(57)【要約】  本開示は、ＨＡＲＱのフィードバック情報の伝送方法、ＵＥ、基地局およびシステムを提供する。当該方法において、ＵＥが、搬送波のうちＨＡＲＱのフィードバック情報の伝送に用いられる伝送サブフレームを指示するための指示情報を基地局から受信することと、前記ＵＥが、ＨＡＲＱのフィードバック情報を生成することと、前記ＵＥが、前記ＨＡＲＱのフィードバック情報を前記伝送サブフレームで前記基地局に伝送することとを含む。【選択図】  図２
2019521558.tif 000002
【特許請求の範囲】
【請求項１】
ＨＡＲＱ（Ｈｙｂｒｉｄ  ａｕｔｏｍａｔｉｃ  ｒｅｐｅａｔ  ｒｅｑｕｅｓｔ）のフィードバック情報の伝送方法において、
ユーザ端末（ＵＥ）が、搬送波のうちＨＡＲＱのフィードバック情報の伝送に用いられる伝送サブフレームを指示するための指示情報を基地局から受信することと、
前記ＵＥが、ＨＡＲＱのフィードバック情報を生成することと、
前記ＵＥが、前記ＨＡＲＱのフィードバック情報を前記伝送サブフレームで前記基地局に伝送することとを含むＨＡＲＱのフィードバック情報の伝送方法。
【請求項２】
前記ＨＡＲＱのフィードバック情報は、
ＨＡＲＱの肯定応答（ＡＣＫ）フィードバック情報またはＨＡＲＱの否定応答（ＮＡＣＫ）フィードバック情報を含む請求項１に記載の方法。
【請求項３】
前記指示情報は、
物理アップリンクチャネル伝送をスケジューリングするアップリンクスケジューリングシグナリングである請求項１に記載の方法。
【請求項４】
前記アップリンクスケジューリングシグナリングは、前記アップリンクスケジューリングシグナリングによってスケジューリングされるサブフレームで前記ＨＡＲＱのフィードバック情報が伝送されるか否かを、ｘビットで指示し、
ｘは、１以上の正の整数である請求項３に記載の方法。
【請求項５】
前記ＨＡＲＱのフィードバック情報は、
前記アップリンクスケジューリングシグナリングでスケジューリングするサブフレームより３つ前のサブフレーム前の、ＨＡＲＱのフィードバックが行われない全てのダウンリンクサブフレームにおいて前記ＵＥにより生成されるＨＡＲＱのフィードバック情報を含む請求項３に記載の方法。
【請求項６】
前記アップリンクスケジューリングシグナリングは、特定のビットフィールド設定によって、前記アップリンクスケジューリングシグナリングによってスケジューリングされるサブフレームでＨＡＲＱのフィードバック情報のみを伝送することを指示する請求項３に記載の方法。
【請求項７】
前記指示情報は、ＨＡＲＱのフィードバック情報の伝送をスケジューリングするシグナリングである請求項１に記載の方法。
【請求項８】
前記シグナリングは、前記シグナリングによってスケジューリングされるサブフレームで前記ＨＡＲＱのフィードバック情報が伝送されるか否かを、ｘビットで指示し、
ｘは１以上の正の整数である請求項７に記載の方法。
【請求項９】
前記ＵＥがＨＡＲＱのフィードバック情報を生成することは、
前記ＵＥが、前記ＨＡＲＱのフィードバック情報のコードブックサイズを確定し、前記コードブックサイズに基づいて前記ＨＡＲＱのフィードバック情報を生成することを含む請求項１〜８のいずれか一項に記載の方法。
【請求項１０】
前記ＵＥが前記ＨＡＲＱのフィードバック情報のコードブックサイズを確定することは、
前記ＵＥが、ダウンリンクプロセス数、配置搬送波の個数、時間領域のＣ−ＤＡＩ（Ｃｏｕｎｔ  Ｄｏｗｎｌｉｎｋ  Ａｓｓｉｇｎｍｅｎｔ  Ｉｎｄｅｘ）、Ｔ−ＤＡＩ（Ｔｏｔａｌ  Ｄｏｗｎｌｉｎｋ  Ａｓｓｉｇｎｍｅｎｔ  Ｉｎｄｅｘ）、所定のパラメータ、基地局から通知されるフィードバックウィンドウサイズ、伝送ブロックの個数、および周波数領域と時間領域のＣ−ＤＡＩのうちの１つまたは複数を含む目標情報に基づいて、前記ＨＡＲＱのフィードバック情報のコードブックサイズを確定することを含む請求項９に記載の方法。
【請求項１１】
前記ＵＥが目標情報に基づいて前記ＨＡＲＱのフィードバック情報のコードブックサイズを確定することは、
前記ＵＥが、周波数領域と時間領域のＣ−ＤＡＩ、Ｔ−ＤＡＩおよび伝送ブロックの個数に基づいて、前記ＨＡＲＱのフィードバック情報のコードブックサイズを確定すること、
または、前記ＵＥが、時間領域のＣ−ＤＡＩ、Ｔ−ＤＡＩ、配置搬送波の個数および伝送ブロックの個数に基づいて、前記ＨＡＲＱのフィードバック情報のコードブックサイズを確定すること、
または、前記ＵＥが、ダウンリンクプロセス数、配置搬送波の個数および伝送ブロックの個数に基づいて、前記ＨＡＲＱのフィードバック情報のコードブックサイズを確定すること、
または、前記ＵＥが、所定のパラメータ、配置搬送波の個数および伝送ブロックの個数に基づいて、前記ＨＡＲＱのフィードバック情報のコードブックサイズを確定すること、
または、前記ＵＥが、基地局から通知されるフィードバックウィンドウサイズ、配置搬送波の個数および伝送ブロックの個数に基づいて、前記ＨＡＲＱのフィードバック情報のコードブックサイズを確定することを含む請求項１０に記載の方法。
【請求項１２】
前記伝送ブロックの個数は、搬送波に使用される伝送方式および／または前記基地局の配置によって確定される請求項１１に記載の方法。
【請求項１３】
前記ＵＥが前記コードブックサイズに基づいて前記ＨＡＲＱのフィードバック情報を生成することは、
前記ＵＥが、少なくとも１つの搬送波のフィードバックビットを搬送波番号に従ってカスケードして前記コードブックサイズのコードブックを得ることによって、前記ＨＡＲＱのフィードバック情報を生成し、各搬送波のフィードバックビットがプロセス番号順にされていること、
または、前記ＵＥが、前記ＨＡＲＱのフィードバックビットを周波数領域と時間領域のＣ−ＤＡＩ順にして前記コードブックサイズのコードブックを得ることによって、前記ＨＡＲＱのフィードバック情報を生成すること、
または、前記ＵＥが、少なくとも１つの搬送波のフィードバックビットを搬送波番号に従ってカスケードして前記コードブックサイズのコードブックを得ることによって、前記ＨＡＲＱのフィードバック情報を生成し、各搬送波のフィードバックビットが時間領域のＣ−ＤＡＩ順にされていることを含む請求項９に記載の方法。
【請求項１４】
前記ＵＥが基地局から指示情報を受信することは、
前記ＵＥが、前記基地局から送信される複数の前記指示情報を１つまたは複数の搬送波上で同一のダウンリンクサブフレームで受信することを含み、
ここで、各指示情報は、異なる搬送波でＨＡＲＱのフィードバック情報の伝送に用いられる伝送サブフレームを指示することに用いられ、
前記ＵＥが前記ＨＡＲＱのフィードバック情報を前記伝送サブフレームで前記基地局に伝送することは、
前記ＵＥが、前記複数の指示情報に指示される複数の搬送波の伝送サブフレームで同一の前記ＨＡＲＱのフィードバック情報を前記基地局に伝送すること、
または、前記ＵＥが、前記複数の指示情報に指示される伝送サブフレームのうちの１つまたは複数のサブフレームである特定伝送サブフレームで前記ＨＡＲＱのフィードバック情報を前記基地局に伝送することを含む請求項１または２に記載の方法。
【請求項１５】
前記基地局から前記ＵＥに対しアップリンク制御情報搬送波群が設定されている場合、
前記ＨＡＲＱのフィードバック情報は、
前記アップリンク制御情報搬送波群のうちの搬送波のダウンリンクサブフレームに対応するＨＡＲＱのフィードバック情報である請求項１４に記載の方法。
【請求項１６】
前記ＵＥが前記ＨＡＲＱのフィードバック情報を特定伝送サブフレームで前記基地局に伝送することは、
前記ＵＥが、前記基地局により事前設定される搬送波に属する伝送サブフレームを、前記複数の指示情報に指示される伝送サブフレームから選択し、当該伝送サブフレームで前記ＨＡＲＱのフィードバック情報を前記基地局に伝送すること、
または、前記ＵＥが、前記複数の指示情報に指示される伝送サブフレームから番号最小の搬送波の伝送サブフレームを選択し、当該伝送サブフレームで前記ＨＡＲＱのフィードバック情報を前記基地局に伝送すること、
または、前記ＵＥが、前記基地局から送信される動的指示に基づいて、前記複数の指示情報に指示される伝送サブフレームから１つまたは複数の伝送サブフレームを選択し、選択した伝送サブフレームで前記ＨＡＲＱのフィードバック情報を前記基地局に伝送することを含む請求項１４に記載の方法。
【請求項１７】
前記動的指示は、ＨＡＲＱのフィードバック情報のトリガーシグナリングが付帯されているアップリンクスケジューリングシグナリングである請求項１６に記載の方法。
【請求項１８】
前記ＵＥが前記ＨＡＲＱのフィードバック情報を前記伝送サブフレームで前記基地局に伝送することは、
前記ＵＥが、前記伝送サブフレームに対しＬＢＴ（Ｌｉｓｔｅｎ  Ｂｅｆｏｒｅ  Ｔａｌｋ）検出を行い、前記ＬＢＴ検出が成功すると、前記ＨＡＲＱのフィードバック情報を前記伝送サブフレームで前記基地局に伝送することを含む請求項１または２に記載の方法。
【請求項１９】
前記ＵＥが前記ＨＡＲＱのフィードバック情報を前記伝送サブフレームで前記基地局に伝送することは、
前記ＵＥが、前記ＨＡＲＱのフィードバック情報のみを前記伝送サブフレームで前記基地局に伝送すること、
または、前記ＵＥが、前記ＨＡＲＱのフィードバック情報とアップリンクデータを前記伝送サブフレームで前記基地局に伝送することを含む請求項１または２に記載の方法。
【請求項２０】
前記ＵＥが前記ＨＡＲＱのフィードバック情報とアップリンクデータを前記伝送サブフレームで前記基地局に伝送する場合、前記ＨＡＲＱのフィードバック情報は、前記伝送サブフレームにおいてパイロット両側のアップリンクデータ伝送用のシンボルにマッピングされ、
または、前記ＵＥが前記ＨＡＲＱのフィードバック情報とアップリンクデータを前記伝送サブフレームで前記基地局に伝送する場合、前記ＨＡＲＱのフィードバック情報と前記アップリンクデータの多重化伝送が行われ、
または、前記ＵＥが前記ＨＡＲＱのフィードバック情報とアップリンクデータを前記伝送サブフレームで前記基地局に伝送する場合、前記ＨＡＲＱのフィードバック情報の変調シンボルは、前記伝送サブフレームにおいてパイロット両側のｙ個のシンボルにマッピングされ、前記アップリンクデータの変調シンボルは、前記伝送サブフレームのうち、パイロットと前記変調シンボルに占用されるリソース以外のリソースにマッピングされ、
ｙは１以上の正の整数である請求項１９に記載の方法。
【請求項２１】
前記ＨＡＲＱのフィードバック情報と前記アップリンクデータの多重化伝送とは、
前記ＵＥが、前記ＨＡＲＱのフィードバック情報の符号化ビットと前記アップリンクデータの符号化ビットをカスケードし、カスケードされた符号化ビットを前記基地局に指示される変調次数に基づいて変調し、変調結果を時間領域が先、周波数領域が後の方式で前記伝送サブフレームのリソースにマッピングすることであり、
または、前記ＨＡＲＱのフィードバック情報と前記アップリンクデータの多重化伝送とは、
前記ＵＥが、前記ＨＡＲＱのフィードバック情報の符号化ビットと前記アップリンクデータの符号化ビットをカスケードし、カスケードされた符号化ビットをインタリーブし、インタリーブ結果を前記基地局に指示される変調次数に基づいて変調し、変調結果を時間領域が先、周波数領域が後の方式で前記伝送サブフレームのリソースにマッピングすることである請求項２０に記載の方法。
【請求項２２】
ＨＡＲＱのフィードバック情報の伝送方法において、
基地局が、搬送波のうちＨＡＲＱのフィードバック情報の伝送に用いられる伝送サブフレームを指示するための指示情報をＵＥに送信することと、
前記基地局が、前記ＵＥによって生成されて前記伝送サブフレームで伝送されるＨＡＲＱのフィードバック情報を前記ＵＥから受信することとを含むＨＡＲＱのフィードバック情報の伝送方法。
【請求項２３】
前記ＨＡＲＱのフィードバック情報は、
ＨＡＲＱの肯定応答（ＡＣＫ）フィードバック情報またはＨＡＲＱの否定応答（ＮＡＣＫ）フィードバック情報を含む請求項２２に記載の方法。
【請求項２４】
前記指示情報は、
物理アップリンクチャネル伝送をスケジューリングするアップリンクスケジューリングシグナリングである請求項２２に記載の方法。
【請求項２５】
前記アップリンクスケジューリングシグナリングは、前記アップリンクスケジューリングシグナリングによってスケジューリングされるサブフレームで前記ＨＡＲＱのフィードバック情報が伝送されるか否かを、ｘビットで指示し、
ｘは、１以上の正の整数である請求項２４に記載の方法。
【請求項２６】
前記ＨＡＲＱのフィードバック情報は、
前記アップリンクスケジューリングシグナリングでスケジューリングするサブフレームより３つ前のサブフレーム前の、ＨＡＲＱのフィードバックが行われない全てのダウンリンクサブフレームにおいて前記ＵＥにより生成されるＨＡＲＱのフィードバック情報を含む請求項２４に記載の方法。
【請求項２７】
前記アップリンクスケジューリングシグナリングは、特定のビットフィールド設定によって、前記アップリンクスケジューリングシグナリングによってスケジューリングされるサブフレームでＨＡＲＱのフィードバック情報のみを伝送することを指示する請求項２４に記載の方法。
【請求項２８】
前記指示情報は、ＨＡＲＱのフィードバック情報の伝送をスケジューリングするシグナリングである請求項２２に記載の方法。
【請求項２９】
前記シグナリングは、前記シグナリングによってスケジューリングされるサブフレームで前記ＨＡＲＱのフィードバック情報が伝送されるか否かを、ｘビットで指示し、
ｘは、１以上の正の整数である請求項２８に記載の方法。
【請求項３０】
前記ＨＡＲＱのフィードバック情報は、
前記ＵＥが、前記ＵＥによって確定された前記ＨＡＲＱのフィードバック情報のコードブックサイズに基づいて生成した前記ＨＡＲＱのフィードバック情報を含む請求項２２〜２９のいずれか一項に記載の方法。
【請求項３１】
前記コードブックサイズは、
前記ＵＥが目標情報に基づいて確定した前記ＨＡＲＱのフィードバック情報のコードブックサイズであり、
前記目標情報は、
ダウンリンクプロセス数、配置搬送波の個数、時間領域のＣ−ＤＡＩ、Ｔ−ＤＡＩ、所定のパラメータ、基地局から通知されるフィードバックウィンドウサイズ、伝送ブロックの個数、および周波数領域と時間領域のＣ−ＤＡＩのうちの１つまたは複数を含む請求項３０に記載の方法。
【請求項３２】
前記コードブックサイズは、
前記ＵＥが周波数領域と時間領域のＣ−ＤＡＩ、Ｔ−ＤＡＩおよび伝送ブロックの個数に基づいて確定した前記ＨＡＲＱのフィードバック情報のコードブックサイズ、
または、前記ＵＥが時間領域のＣ−ＤＡＩ、Ｔ−ＤＡＩ、配置搬送波の個数および伝送ブロックの個数に基づいて確定した前記ＨＡＲＱのフィードバック情報のコードブックサイズ、
または、前記ＵＥがダウンリンクプロセス数、配置搬送波の個数および伝送ブロックの個数に基づいて確定した前記ＨＡＲＱのフィードバック情報のコードブックサイズ、
または、前記ＵＥが所定のパラメータ、配置搬送波の個数および伝送ブロックの個数に基づいて確定した前記ＨＡＲＱのフィードバック情報のコードブックサイズ、
または、前記ＵＥが基地局から通知されるフィードバックウィンドウサイズ、配置搬送波の個数および伝送ブロックの個数に基づいて確定した前記ＨＡＲＱのフィードバック情報のコードブックサイズを含む請求項３１に記載の方法。
【請求項３３】
前記伝送ブロックの個数は、搬送波に使用される伝送方式および／または前記基地局の配置によって確定される請求項３２に記載の方法。
【請求項３４】
前記ＨＡＲＱのフィードバック情報は、
前記ＵＥが、少なくとも１つの搬送波のフィードバックビットを搬送波番号に従ってカスケードして前記コードブックサイズのコードブックを得ることによって生成する前記ＨＡＲＱのフィードバック情報、ここで、各搬送波のフィードバックビットがプロセス番号順にされ、
または、前記ＵＥが、前記ＨＡＲＱのフィードバックビットを周波数領域と時間領域のＣ−ＤＡＩ順にして前記コードブックサイズのコードブックを得ることによって生成する前記ＨＡＲＱのフィードバック情報、
または、前記ＵＥが、少なくとも１つの搬送波のフィードバックビットを搬送波番号に従ってカスケードして前記コードブックサイズのコードブックを得ることによって生成する前記ＨＡＲＱのフィードバック情報を含み、ここで、各搬送波のフィードバックビットが時間領域のＣ−ＤＡＩ順にされている請求項３０に記載の方法。
【請求項３５】
前記基地局がＵＥに指示情報を送信することは、
前記基地局が、複数の前記指示情報を１つまたは複数の搬送波上で同一のダウンリンクサブフレームで前記ＵＥに送信することを含み、
ここで、各指示情報は、異なる搬送波でＨＡＲＱのフィードバック情報の伝送に用いられる伝送サブフレームを指示することに用いられ、
前記基地局が、前記ＵＥから前記伝送サブフレームで伝送されるＨＡＲＱのフィードバック情報を受信することは、
前記基地局が、前記ＵＥから、前記複数の指示情報に指示される複数の搬送波の伝送サブフレームで伝送される同一の前記ＨＡＲＱのフィードバック情報を受信すること、
または、前記基地局が、前記ＵＥから、前記複数の指示情報に指示される伝送サブフレームのうちの１つまたは複数のサブフレームである特定伝送サブフレームで伝送される前記ＨＡＲＱのフィードバック情報を受信することを含む請求項２２または２３に記載の方法。
【請求項３６】
前記基地局から前記ＵＥに対しアップリンク制御情報搬送波群が設定されている場合、
前記ＨＡＲＱのフィードバック情報は、
前記アップリンク制御情報搬送波群のうちの搬送波のダウンリンクサブフレームに対応するＨＡＲＱのフィードバック情報である請求項３５に記載の方法。
【請求項３７】
前記基地局が、前記ＵＥから、特定伝送サブフレームで伝送される前記ＨＡＲＱのフィードバック情報を受信することは、
前記基地局が、前記ＵＥから、少なくとも１つの伝送サブフレームで伝送される前記ＨＡＲＱのフィードバック情報を受信することを含み、ここで、当該少なくとも１つの伝送サブフレームは、前記ＵＥが、前記複数の指示情報に指示される伝送サブフレームから選択され、前記基地局により事前設定される搬送波に属する伝送サブフレームであり、
または、前記基地局が、前記ＵＥから、１つの伝送サブフレームで伝送される前記ＨＡＲＱのフィードバック情報を受信することを含み、ここで、当該伝送サブフレームは、前記ＵＥが、前記複数の指示情報に指示される伝送サブフレームから選択した番号最小の搬送波の伝送サブフレームであり、
または、前記基地局が、前記ＵＥから、少なくとも１つの伝送サブフレームで伝送される前記ＨＡＲＱのフィードバック情報を受信することを含み、ここで、当該少なくとも１つの伝送サブフレームは、前記ＵＥが、前記基地局から送信される動的指示に基づいて、前記複数の指示情報に指示される伝送サブフレームから選択した１つまたは複数の伝送サブフレームである請求項３５に記載の方法。
【請求項３８】
前記動的指示は、ＨＡＲＱのフィードバック情報のトリガーシグナリングが付帯されているアップリンクスケジューリングシグナリングである請求項３７に記載の方法。
【請求項３９】
前記ＵＥから前記ＨＡＲＱのフィードバック情報を前記伝送サブフレームで前記基地局に伝送することは、
前記ＵＥが、前記伝送サブフレームに対しＬＢＴ検出を行い、前記ＬＢＴ検出が成功すると、前記ＨＡＲＱのフィードバック情報を前記伝送サブフレームで前記基地局に伝送することを含む請求項２２または２３に記載の方法。
【請求項４０】
前記基地局が前記ＵＥから前記伝送サブフレームで伝送される前記ＨＡＲＱのフィードバック情報を受信することは、
前記基地局が、前記ＵＥから、前記ＨＡＲＱのフィードバック情報のみが伝送される前記伝送サブフレームで伝送される前記ＨＡＲＱのフィードバック情報を受信すること、
または、前記基地局が、前記ＵＥから、前記伝送サブフレームで伝送される前記ＨＡＲＱのフィードバック情報とアップリンクデータを受信することを含む請求項２２または２３に記載の方法。
【請求項４１】
前記ＵＥが前記ＨＡＲＱのフィードバック情報とアップリンクデータを前記伝送サブフレームで前記基地局に伝送する場合、前記ＨＡＲＱのフィードバック情報は、前記伝送サブフレームにおいてパイロット両側のアップリンクデータ伝送用のシンボルにマッピングされ、
または、前記ＵＥが前記ＨＡＲＱのフィードバック情報とアップリンクデータを前記伝送サブフレームで前記基地局に伝送する場合、前記ＨＡＲＱのフィードバック情報と前記アップリンクデータの多重化伝送が行われ、
または、前記ＵＥが前記ＨＡＲＱのフィードバック情報とアップリンクデータを前記伝送サブフレームで前記基地局に伝送する場合、前記ＨＡＲＱのフィードバック情報の変調シンボルは、前記伝送サブフレームにおいてパイロット両側のｙ個のシンボルにマッピングされ、前記アップリンクデータの変調シンボルは、前記伝送サブフレームのうち、パイロットと前記変調シンボルに占用されるリソース以外のリソースにマッピングされ、
ｙは、１以上の正の整数である請求項４０に記載の方法。
【請求項４２】
前記ＨＡＲＱのフィードバック情報と前記アップリンクデータの多重化伝送とは、
前記ＵＥが、前記ＨＡＲＱのフィードバック情報の符号化ビットと前記アップリンクデータの符号化ビットをカスケードし、カスケードされた符号化ビットを前記基地局に指示される変調次数に基づいて変調し、変調結果を時間領域が先、周波数領域が後の方式で前記伝送サブフレームのリソースにマッピングすることであり、
または、前記ＨＡＲＱのフィードバック情報と前記アップリンクデータの多重化伝送とは、
前記ＵＥが、前記ＨＡＲＱのフィードバック情報の符号化ビットと前記アップリンクデータの符号化ビットをカスケードし、カスケードされた符号化ビットをインタリーブし、インタリーブ結果を前記基地局に指示される変調次数に基づいて変調し、変調結果を時間領域が先、周波数領域が後の方式で前記伝送サブフレームのリソースにマッピングすることである請求項４１に記載の方法。
【請求項４３】
搬送波のうちＨＡＲＱのフィードバック情報の伝送に用いられる伝送サブフレームを指示するための指示情報を基地局から受信することに用いられる受信モジュールと、
ＨＡＲＱのフィードバック情報を生成することに用いられる生成モジュールと、
前記ＨＡＲＱのフィードバック情報を前記伝送サブフレームで前記基地局に伝送することに用いられる伝送モジュールとを含むＵＥ。
【請求項４４】
前記ＨＡＲＱのフィードバック情報は、
ＨＡＲＱの肯定応答（ＡＣＫ）フィードバック情報またはＨＡＲＱの否定応答（ＮＡＣＫ）フィードバック情報を含む請求項４３に記載のＵＥ。
【請求項４５】
前記指示情報は、
物理アップリンクチャネル伝送をスケジューリングするアップリンクスケジューリングシグナリングである請求項４３に記載のＵＥ。
【請求項４６】
前記アップリンクスケジューリングシグナリングは、前記アップリンクスケジューリングシグナリングによってスケジューリングされるサブフレームで前記ＨＡＲＱのフィードバック情報が伝送されるか否かを、ｘビットで指示し、
ｘは、１以上の正の整数である請求項４５に記載のＵＥ。
【請求項４７】
前記ＨＡＲＱのフィードバック情報は、
前記アップリンクスケジューリングシグナリングでスケジューリングするサブフレームより３つ前のサブフレーム前の、ＨＡＲＱのフィードバックが行われない全てのダウンリンクサブフレームにおいて前記ＵＥにより生成されるＨＡＲＱのフィードバック情報を含む請求項４５に記載のＵＥ。
【請求項４８】
前記アップリンクスケジューリングシグナリングは、特定のビットフィールド設定によって、前記アップリンクスケジューリングシグナリングによってスケジューリングされるサブフレームでＨＡＲＱのフィードバック情報のみを伝送することを指示する請求項４５に記載のＵＥ。
【請求項４９】
前記指示情報は、ＨＡＲＱのフィードバック情報の伝送をスケジューリングするシグナリングである請求項４３に記載のＵＥ。
【請求項５０】
前記シグナリングは、前記シグナリングによってスケジューリングされるサブフレームで前記ＨＡＲＱのフィードバック情報が伝送されるか否かを、ｘビットで指示し、
ｘは、１以上の正の整数である請求項４９に記載のＵＥ。
【請求項５１】
前記生成モジュールは、
前記ＨＡＲＱのフィードバック情報のコードブックサイズを確定し、前記コードブックサイズに基づいて前記ＨＡＲＱのフィードバック情報を生成することに用いられる請求項４３〜５０のいずれか一項に記載のＵＥ。
【請求項５２】
前記生成モジュールは、
ダウンリンクプロセス数、配置搬送波の個数、時間領域のＣ−ＤＡＩ、Ｔ−ＤＡＩ、所定のパラメータ、基地局から通知されるフィードバックウィンドウサイズ、伝送ブロックの個数、および周波数領域と時間領域のＣ−ＤＡＩのうちの１つまたは複数を含む目標情報に基づいて、前記ＨＡＲＱのフィードバック情報のコードブックサイズを確定することに用いられる請求項５１に記載のＵＥ。
【請求項５３】
前記生成モジュールは、
周波数領域と時間領域のＣ−ＤＡＩ、Ｔ−ＤＡＩおよび伝送ブロックの個数に基づいて、前記ＨＡＲＱのフィードバック情報のコードブックサイズを確定すること、
または、時間領域のＣ−ＤＡＩ、Ｔ−ＤＡＩ、配置搬送波の個数および伝送ブロックの個数に基づいて、前記ＨＡＲＱのフィードバック情報のコードブックサイズを確定すること、
または、ダウンリンクプロセス数、配置搬送波の個数および伝送ブロックの個数に基づいて、前記ＨＡＲＱのフィードバック情報のコードブックサイズを確定すること、
または、所定のパラメータ、配置搬送波の個数および伝送ブロックの個数に基づいて、前記ＨＡＲＱのフィードバック情報のコードブックサイズを確定すること、
または、基地局から通知されるフィードバックウィンドウサイズ、配置搬送波の個数および伝送ブロックの個数に基づいて、前記ＨＡＲＱのフィードバック情報のコードブックサイズを確定することに用いられる請求項５２に記載のＵＥ。
【請求項５４】
前記伝送ブロックの個数は、搬送波に使用される伝送方式および／または前記基地局の配置によって確定される請求項５３に記載のＵＥ。
【請求項５５】
前記生成モジュールは、
少なくとも１つの搬送波のフィードバックビットを搬送波番号に従ってカスケードして前記コードブックサイズのコードブックを得ることによって、前記ＨＡＲＱのフィードバック情報を生成すること、ここで、各搬送波のフィードバックビットがプロセス番号順にされ、
または、前記ＨＡＲＱのフィードバックビットを周波数領域と時間領域のＣ−ＤＡＩ順にして前記コードブックサイズのコードブックを得ることによって、前記ＨＡＲＱのフィードバック情報を生成すること、
または、少なくとも１つの搬送波のフィードバックビットを搬送波番号に従ってカスケードして前記コードブックサイズのコードブックを得ることによって、前記ＨＡＲＱのフィードバック情報を生成することに用いられ、ここで、各搬送波のフィードバックビットが時間領域のＣ−ＤＡＩ順にされている請求項５１に記載のＵＥ。
【請求項５６】
前記受信モジュールは、
前記基地局から送信される複数の前記指示情報を１つまたは複数の搬送波上で同一のダウンリンクサブフレームで受信することに用いられ、
ここで、各指示情報は、異なる搬送波でＨＡＲＱのフィードバック情報の伝送に用いられる伝送サブフレームを指示することに用いられ、
前記伝送モジュールは、
前記複数の指示情報に指示される複数の搬送波の伝送サブフレームで同一の前記ＨＡＲＱのフィードバック情報を前記基地局に伝送すること、
または、前記複数の指示情報に指示される伝送サブフレームのうちの１つまたは複数のサブフレームである特定伝送サブフレームで前記ＨＡＲＱのフィードバック情報を前記基地局に伝送することに用いられる請求項４３または４４に記載のＵＥ。
【請求項５７】
前記基地局から前記ＵＥに対しアップリンク制御情報搬送波群が設定されている場合、
前記ＨＡＲＱのフィードバック情報は、
前記アップリンク制御情報搬送波群のうちの搬送波のダウンリンクサブフレームに対応するＨＡＲＱのフィードバック情報である請求項５６に記載のＵＥ。
【請求項５８】
前記伝送モジュールは、
前記基地局により事前設定される搬送波に属する伝送サブフレームを、前記複数の指示情報に指示される伝送サブフレームから選択し、当該伝送サブフレームで前記ＨＡＲＱのフィードバック情報を前記基地局に伝送すること、
または、前記複数の指示情報に指示される伝送サブフレームから番号最小の搬送波の伝送サブフレームを選択し、当該伝送サブフレームで前記ＨＡＲＱのフィードバック情報を前記基地局に伝送すること、
または、前記基地局から送信される動的指示に基づいて、前記複数の指示情報に指示される伝送サブフレームから１つまたは複数の伝送サブフレームを選択し、選択した伝送サブフレームで前記ＨＡＲＱのフィードバック情報を前記基地局に伝送することに用いられる請求項５６に記載のＵＥ。
【請求項５９】
前記動的指示は、ＨＡＲＱのフィードバック情報のトリガーシグナリングが付帯されているアップリンクスケジューリングシグナリングである請求項５８に記載のＵＥ。
【請求項６０】
前記伝送モジュールは、
前記伝送サブフレームに対しＬＢＴ検出を行い、前記ＬＢＴ検出が成功すると、前記ＨＡＲＱのフィードバック情報を前記伝送サブフレームで前記基地局に伝送することに用いられる請求項４３または４４に記載のＵＥ。
【請求項６１】
前記伝送モジュールは、
前記ＨＡＲＱのフィードバック情報のみを前記伝送サブフレームで前記基地局に伝送すること、
または、前記ＨＡＲＱのフィードバック情報とアップリンクデータを前記伝送サブフレームで前記基地局に伝送することに用いられる請求項４３または４４に記載のＵＥ。
【請求項６２】
前記ＵＥが前記ＨＡＲＱのフィードバック情報とアップリンクデータを前記伝送サブフレームで前記基地局に伝送する場合、前記ＨＡＲＱのフィードバック情報は、前記伝送サブフレームにおいてパイロット両側のアップリンクデータ伝送用のシンボルにマッピングされ、
または、前記ＵＥが前記ＨＡＲＱのフィードバック情報とアップリンクデータを前記伝送サブフレームで前記基地局に伝送する場合、前記ＨＡＲＱのフィードバック情報と前記アップリンクデータの多重化伝送が行われ、
または、前記ＵＥが前記ＨＡＲＱのフィードバック情報とアップリンクデータを前記伝送サブフレームで前記基地局に伝送する場合、前記ＨＡＲＱのフィードバック情報の変調シンボルは、前記伝送サブフレームにおいてパイロット両側のｙ個のシンボルにマッピングされ、前記アップリンクデータの変調シンボルは、前記伝送サブフレームのうち、パイロットと前記変調シンボルに占用されるリソース以外のリソースにマッピングされ
ｙは、１以上の正の整数である請求項６１に記載のＵＥ。
【請求項６３】
前記ＨＡＲＱのフィードバック情報と前記アップリンクデータの多重化伝送とは、
前記ＵＥが、前記ＨＡＲＱのフィードバック情報の符号化ビットと前記アップリンクデータの符号化ビットをカスケードし、カスケードされた符号化ビットを前記基地局に指示される変調次数に基づいて変調し、変調結果を時間領域が先、周波数領域が後の方式で前記伝送サブフレームのリソースにマッピングすることであり、
または、前記ＨＡＲＱのフィードバック情報と前記アップリンクデータの多重化伝送とは、
前記ＵＥが、前記ＨＡＲＱのフィードバック情報の符号化ビットと前記アップリンクデータの符号化ビットをカスケードし、カスケードされた符号化ビットをインタリーブし、インタリーブ結果を前記基地局に指示される変調次数に基づいて変調し、変調結果を時間領域が先、周波数領域が後の方式で前記伝送サブフレームのリソースにマッピングすることである請求項６２に記載のＵＥ。
【請求項６４】
搬送波のうちＨＡＲＱのフィードバック情報の伝送に用いられる伝送サブフレームを指示するための指示情報をＵＥに送信することに用いられる送信モジュールと、
前記ＵＥによって生成されて前記伝送サブフレームで伝送されるＨＡＲＱのフィードバック情報を前記ＵＥから受信することに用いられる受信モジュールとを含む基地局。
【請求項６５】
前記ＨＡＲＱのフィードバック情報は、
ＨＡＲＱの肯定応答（ＡＣＫ）フィードバック情報またはＨＡＲＱの否定応答（ＮＡＣＫ）フィードバック情報を含む請求項６４に記載の基地局。
【請求項６６】
前記指示情報は、
物理アップリンクチャネル伝送をスケジューリングするアップリンクスケジューリングシグナリングである請求項６４に記載の基地局。
【請求項６７】
前記アップリンクスケジューリングシグナリングは、前記アップリンクスケジューリングシグナリングによってスケジューリングされるサブフレームで前記ＨＡＲＱのフィードバック情報が伝送されるか否かを、ｘビットで指示し、
ｘは、１以上の正の整数である請求項６６に記載の基地局。
【請求項６８】
前記ＨＡＲＱのフィードバック情報は、
前記アップリンクスケジューリングシグナリングでスケジューリングするサブフレームより３つ前のサブフレーム前の、ＨＡＲＱのフィードバックが行われない全てのダウンリンクサブフレームにおいて前記ＵＥにより生成されるＨＡＲＱのフィードバック情報を含む請求項６６に記載の基地局。
【請求項６９】
前記アップリンクスケジューリングシグナリングは、特定のビットフィールド設定によって、前記アップリンクスケジューリングシグナリングによってスケジューリングされるサブフレームでＨＡＲＱのフィードバック情報のみを伝送することを指示する請求項６６に記載の基地局。
【請求項７０】
前記指示情報は、ＨＡＲＱのフィードバック情報の伝送をスケジューリングするシグナリングである請求項６４に記載の基地局。
【請求項７１】
前記シグナリングは、前記シグナリングによってスケジューリングされるサブフレームで前記ＨＡＲＱのフィードバック情報が伝送されるか否かを、ｘビットで指示し、
ｘは、１以上の正の整数である請求項７０に記載の基地局。
【請求項７２】
前記ＨＡＲＱのフィードバック情報は、
前記ＵＥが、前記ＵＥによって確定された前記ＨＡＲＱのフィードバック情報のコードブックサイズに基づいて生成した前記ＨＡＲＱのフィードバック情報を含む請求項６４〜７１のいずれか一項に記載の基地局。
【請求項７３】
前記コードブックサイズは、
前記ＵＥが目標情報に基づいて確定した前記ＨＡＲＱのフィードバック情報のコードブックサイズであり、
ここで、前記目標情報は、
ダウンリンクプロセス数、配置搬送波の個数、時間領域のＣ−ＤＡＩ、Ｔ−ＤＡＩ、所定のパラメータ、基地局から通知されるフィードバックウィンドウサイズ、伝送ブロックの個数、および周波数領域と時間領域のＣ−ＤＡＩのうちの１つまたは複数を含む請求項７２に記載の基地局。
【請求項７４】
前記コードブックサイズは、
前記ＵＥが周波数領域と時間領域のＣ−ＤＡＩ、Ｔ−ＤＡＩおよび伝送ブロックの個数に基づいて確定した前記ＨＡＲＱのフィードバック情報のコードブックサイズ、
または、前記ＵＥが時間領域のＣ−ＤＡＩ、Ｔ−ＤＡＩ、配置搬送波の個数および伝送ブロックの個数に基づいて確定した前記ＨＡＲＱのフィードバック情報のコードブックサイズ、
または、前記ＵＥがダウンリンクプロセス数、配置搬送波の個数および伝送ブロックの個数に基づいて確定した前記ＨＡＲＱのフィードバック情報のコードブックサイズ、
または、前記ＵＥが所定のパラメータ、配置搬送波の個数および伝送ブロックの個数に基づいて確定した前記ＨＡＲＱのフィードバック情報のコードブックサイズ、
または、前記ＵＥが基地局から通知されるフィードバックウィンドウサイズ、配置搬送波の個数および伝送ブロックの個数に基づいて確定した前記ＨＡＲＱのフィードバック情報のコードブックサイズを含む請求項７３に記載の基地局。
【請求項７５】
前記伝送ブロックの個数は、搬送波に使用される伝送方式および／または前記基地局の配置によって確定される請求項７４に記載の基地局。
【請求項７６】
前記ＨＡＲＱのフィードバック情報は、
前記ＵＥが、少なくとも１つの搬送波のフィードバックビットを搬送波番号に従ってカスケードして前記コードブックサイズのコードブックを得ることによって生成する前記ＨＡＲＱのフィードバック情報、ここで、各搬送波のフィードバックビットがプロセス番号順にされ、
または、前記ＵＥが、前記ＨＡＲＱのフィードバックビットを周波数領域と時間領域のＣ−ＤＡＩ順にして前記コードブックサイズのコードブックを得ることによって生成する前記ＨＡＲＱのフィードバック情報、
または、前記ＵＥが、少なくとも１つの搬送波のフィードバックビットを搬送波番号に従ってカスケードして前記コードブックサイズのコードブックを得ることによって生成する前記ＨＡＲＱのフィードバック情報を含み、ここで、各搬送波のフィードバックビットが時間領域のＣ−ＤＡＩ順にされている請求項７２に記載の基地局。
【請求項７７】
前記送信モジュールは、
複数の前記指示情報を１つまたは複数の搬送波上で同一のダウンリンクサブフレームで前記ＵＥに送信することに用いられ、
ここで、各指示情報は、異なる搬送波でＨＡＲＱのフィードバック情報の伝送に用いられる伝送サブフレームを指示することに用いられ、
前記受信モジュールは、
前記ＵＥから、前記複数の指示情報に指示される複数の搬送波の伝送サブフレームで伝送される同一の前記ＨＡＲＱのフィードバック情報を受信すること、
または、前記ＵＥから、前記複数の指示情報に指示される伝送サブフレームのうちの１つまたは複数のサブフレームである特定伝送サブフレームで伝送される前記ＨＡＲＱのフィードバック情報を受信することに用いられる請求項６４または６５に記載の基地局。
【請求項７８】
前記基地局から前記ＵＥに対しアップリンク制御情報搬送波群が設定されている場合、
前記ＨＡＲＱのフィードバック情報は、
前記アップリンク制御情報搬送波群のうちの搬送波のダウンリンクサブフレームに対応するＨＡＲＱのフィードバック情報である請求項７７に記載の基地局。
【請求項７９】
前記受信モジュールは、
前記ＵＥから、少なくとも１つの伝送サブフレームで伝送される前記ＨＡＲＱのフィードバック情報を受信することに用いられ、ここで、当該少なくとも１つの伝送サブフレームは、前記ＵＥが、前記複数の指示情報に指示される伝送サブフレームから選択され、前記基地局により事前設定される搬送波に属する伝送サブフレームであり、
または、前記ＵＥから、１つの伝送サブフレームで伝送される前記ＨＡＲＱのフィードバック情報を受信することに用いられ、ここで、当該伝送サブフレームは、前記ＵＥが、前記複数の指示情報に指示される伝送サブフレームから選択した番号最小の搬送波の伝送サブフレームであり、
または、前記ＵＥから、少なくとも１つの伝送サブフレームで伝送される前記ＨＡＲＱのフィードバック情報を受信することに用いられ、ここで、当該少なくとも１つの伝送サブフレームは、前記ＵＥが、前記基地局から送信される動的指示に基づいて、前記複数の指示情報に指示される伝送サブフレームから選択した１つまたは複数の伝送サブフレームである請求項７７に記載の基地局。
【請求項８０】
前記動的指示は、ＨＡＲＱのフィードバック情報のトリガーシグナリングが付帯されているアップリンクスケジューリングシグナリングである請求項７９に記載の基地局。
【請求項８１】
前記ＵＥから前記ＨＡＲＱのフィードバック情報を前記伝送サブフレームで前記基地局に伝送することは、
前記ＵＥが、前記伝送サブフレームに対しＬＢＴ検出を行い、前記ＬＢＴ検出が成功すると、前記ＨＡＲＱのフィードバック情報を前記伝送サブフレームで前記基地局に伝送することを含む請求項６４または６５に記載の基地局。
【請求項８２】
前記受信モジュールは、
前記ＵＥから、前記ＨＡＲＱのフィードバック情報のみが伝送される前記伝送サブフレームで伝送される前記ＨＡＲＱのフィードバック情報を受信すること、
または、前記ＵＥから、前記伝送サブフレームで伝送される前記ＨＡＲＱのフィードバック情報とアップリンクデータを受信することに用いられる請求項６４または６５に記載の基地局。
【請求項８３】
前記ＵＥが前記ＨＡＲＱのフィードバック情報とアップリンクデータを前記伝送サブフレームで前記基地局に伝送する場合、前記ＨＡＲＱのフィードバック情報は、前記伝送サブフレームにおいてパイロット両側のアップリンクデータ伝送用のシンボルにマッピングされ、
または、前記ＵＥが前記ＨＡＲＱのフィードバック情報とアップリンクデータを前記伝送サブフレームで前記基地局に伝送する場合、前記ＨＡＲＱのフィードバック情報と前記アップリンクデータの多重化伝送が行われ、
または、前記ＵＥが前記ＨＡＲＱのフィードバック情報とアップリンクデータを前記伝送サブフレームで前記基地局に伝送する場合、前記ＨＡＲＱのフィードバック情報の変調シンボルは、前記伝送サブフレームにおいてパイロット両側のｙ個のシンボルにマッピングされ、前記アップリンクデータの変調シンボルは、前記伝送サブフレームのうち、パイロットと前記変調シンボルに占用されるリソース以外のリソースにマッピングされ、
ｙは、１以上の正の整数である請求項８２に記載の基地局。
【請求項８４】
前記ＨＡＲＱのフィードバック情報と前記アップリンクデータの多重化伝送とは、
前記ＵＥが、前記ＨＡＲＱのフィードバック情報の符号化ビットと前記アップリンクデータの符号化ビットをカスケードし、カスケードされた符号化ビットを前記基地局に指示される変調次数に基づいて変調し、変調結果を時間領域が先、周波数領域が後の方式で前記伝送サブフレームのリソースにマッピングすることであり、
または、前記ＨＡＲＱのフィードバック情報と前記アップリンクデータの多重化伝送とは、
前記ＵＥが、前記ＨＡＲＱのフィードバック情報の符号化ビットと前記アップリンクデータの符号化ビットをカスケードし、カスケードされた符号化ビットをインタリーブし、インタリーブ結果を前記基地局に指示される変調次数に基づいて変調し、変調結果を時間領域が先、周波数領域が後の方式で前記伝送サブフレームのリソースにマッピングすることである請求項８３に記載の基地局。
【請求項８５】
ＨＡＲＱのフィードバック情報の伝送システムにおいて、
搬送波のうちＨＡＲＱのフィードバック情報の伝送に用いられる伝送サブフレームを指示するための指示情報をＵＥに送信することに用いられる基地局と、
前記基地局から送信される前記指示情報を受信することに用いられる前記ＵＥとを含み、
前記ＵＥは、さらに、
ＨＡＲＱのフィードバック情報を生成することと、
前記ＨＡＲＱのフィードバック情報を前記伝送サブフレームで前記基地局に伝送することに用いられ、
前記基地局は、さらに、
前記ＵＥから前記伝送サブフレームで伝送される前記ＨＡＲＱのフィードバック情報を受信することに用いられるＨＡＲＱのフィードバック情報の伝送システム。
【請求項８６】
プロセッサと、前記プロセッサによる制御でデータを送受信することに用いられるトランシーバと、メモリとを含むＵＥにおいて、
前記プロセッサは、前記メモリからプログラムを読み取ることによって、
搬送波のうちＨＡＲＱのフィードバック情報の伝送に用いられる伝送サブフレームを指示するための指示情報を、前記トランシーバを介して基地局から受信するプロセスと、
ＨＡＲＱのフィードバック情報を生成するプロセスと、
前記トランシーバを介して、前記ＨＡＲＱのフィードバック情報を前記伝送サブフレームで前記基地局に伝送するプロセスを実行するＵＥ。
【請求項８７】
プロセッサと、前記プロセッサによる制御でデータを送受信することに用いられるトランシーバと、メモリとを含む基地局において、
前記プロセッサは、前記メモリからプログラムを読み取ることによって、
搬送波のうちＨＡＲＱのフィードバック情報の伝送に用いられる伝送サブフレームを指示するための指示情報を、前記トランシーバを介してＵＥに送信するプロセスと、
前記ＵＥによって生成されて前記伝送サブフレームで伝送されるＨＡＲＱのフィードバック情報を、前記トランシーバを介して前記ＵＥから受信するプロセスを実行する基地局。
【発明の詳細な説明】
【技術分野】
【０００１】
本願は、２０１６年５月１０日に中国特許庁に提出された中国特許出願２０１６１０３０６０１７．９の優先権を主張し、その全ての内容が援用によりここに取り込まれる。
【０００２】
本開示は、通信技術分野に係り、特にＨＡＲＱ（Ｈｙｂｒｉｄ  Ａｕｔｏｍａｔｉｃ  Ｒｅｐｅａｔ  ｒｅ  Ｑｕｅｓｔ）のフィードバック情報の伝送方法、ユーザ端末（ＵＥ：Ｕｓｅｒ  Ｅｑｕｉｐｍｅｎｔ）、基地局およびシステムに係る。
【背景技術】
【０００３】
通信技術の発展に伴い、長期的進化（ＬＴＥ：Ｌｏｎｇ  Ｔｅｒｍ  Ｅｖｏｌｕｔｉｏｎ）システムにおいて、アンライセンススペクトルリソースでの伝送をサポートすることによって、ユーザ体験を向上させるとともに、カバー範囲を拡張させる。ＬＴＥシステムによるアンライセンススペクトルリソースでの伝送をサポートするために、現在、ＬＡＡ（Ｌｉｃｅｎｓｅｄ  Ａｓｓｉｓｔｅｄ  Ａｃｃｅｓｓ）方式を定義することによって、ＬＴＥシステムによるアンライセンススペクトルリソースでの伝送を実現する。ＬＡＡ方式において、ＵＥは、アンライセンス搬送波を使用する場合、まず１つのライセンスド主搬送波にアクセスしなければならないが、アンライセンス搬送波は、副搬送波に過ぎない。しかし、現在のＬＡＡ方式において、ＨＡＲＱのフィードバック情報をどのように伝送するかについて、まだ明確な伝送方式がない。ＨＡＲＱのフィードバック情報の伝送をどのように実現するかは、現在の解決が急がれる技術課題になっている。
【発明の概要】
【発明が解決しようとする課題】
【０００４】
本開示の目的は、ＨＡＲＱのフィードバック情報の伝送問題を解決したＨＡＲＱのフィードバック情報の伝送方法、ＵＥ、基地局およびシステムを提供することである。
【課題を解決するための手段】
【０００５】
上記目的を達成するために、本開示の実施例によるＨＡＲＱのフィードバック情報の伝送方法において、ＵＥが、搬送波のうちＨＡＲＱのフィードバック情報の伝送に用いられる伝送サブフレームを指示するための指示情報を基地局から受信することと、前記ＵＥが、ＨＡＲＱのフィードバック情報を生成することと、前記ＵＥが、前記ＨＡＲＱのフィードバック情報を前記伝送サブフレームで前記基地局に伝送することとを含む。
【０００６】
選択可能に、前記ＨＡＲＱのフィードバック情報は、ＨＡＲＱの肯定応答（ＡＣＫ：ＡＣＫｎｏｗｌｅｄｇｅｍｅｎｔ）フィードバック情報またはＨＡＲＱの否定応答（ＮＡＣＫ：Ｎｏｎ−ＡＣＫｎｏｗｌｅｄｇｅｍｅｎｔ）フィードバック情報を含む。
【０００７】
選択可能に、前記指示情報は、物理アップリンクチャネル伝送をスケジューリングするアップリンクスケジューリングシグナリングである。
【０００８】
選択可能に、前記アップリンクスケジューリングシグナリングは、前記アップリンクスケジューリングシグナリングによってスケジューリングされるサブフレームで前記ＨＡＲＱのフィードバック情報が伝送されるか否かを、ｘ（１以上の正の整数）ビットで指示する。
【０００９】
選択可能に、前記ＨＡＲＱのフィードバック情報は、前記アップリンクスケジューリングシグナリングでスケジューリングするサブフレームより３つ前のサブフレーム前の、ＨＡＲＱのフィードバックが行われない全てのダウンリンクサブフレームにおいて前記ＵＥにより生成されるＨＡＲＱのフィードバック情報を含む。
【００１０】
選択可能に、前記アップリンクスケジューリングシグナリングは、特定のビットフィールド設定によって、前記アップリンクスケジューリングシグナリングによってスケジューリングされるサブフレームでＨＡＲＱのフィードバック情報のみを伝送することを指示する。
【００１１】
選択可能に、前記指示情報は、ＨＡＲＱのフィードバック情報の伝送をスケジューリングするシグナリングである。
【００１２】
選択可能に、前記シグナリングは、前記シグナリングによってスケジューリングされるサブフレームで前記ＨＡＲＱのフィードバック情報が伝送されるか否かを、ｘ（１以上の正の整数）ビットで指示する。
【００１３】
選択可能に、前記ＵＥがＨＡＲＱのフィードバック情報を生成することは、前記ＵＥが、前記ＨＡＲＱのフィードバック情報のコードブックサイズを確定し、前記コードブックサイズに基づいて前記ＨＡＲＱのフィードバック情報を生成することを含む。
【００１４】
選択可能に、前記ＵＥが前記ＨＡＲＱのフィードバック情報のコードブックサイズを確定することは、前記ＵＥが、ダウンリンクプロセス数、配置搬送波の個数、時間領域のＣ−ＤＡＩ（Ｃｏｕｎｔ  Ｄｏｗｎｌｉｎｋ  Ａｓｓｉｇｎｍｅｎｔ  Ｉｎｄｅｘ）、Ｔ−ＤＡＩ（Ｔｏｔａｌ  Ｄｏｗｎｌｉｎｋ  Ａｓｓｉｇｎｍｅｎｔ  Ｉｎｄｅｘ）、所定のパラメータ、基地局から通知されるフィードバックウィンドウサイズ、伝送ブロックの個数、および周波数領域と時間領域のＣ−ＤＡＩのうちの１つまたは複数を含む目標情報に基づいて、前記ＨＡＲＱのフィードバック情報のコードブックサイズを確定することを含む。
【００１５】
選択可能に、前記ＵＥが目標情報に基づいて前記ＨＡＲＱのフィードバック情報のコードブックサイズを確定することは、前記ＵＥが、周波数領域と時間領域のＣ−ＤＡＩ、Ｔ−ＤＡＩおよび伝送ブロックの個数に基づいて、前記ＨＡＲＱのフィードバック情報のコードブックサイズを確定すること、または、前記ＵＥが、時間領域のＣ−ＤＡＩ、Ｔ−ＤＡＩ、配置搬送波の個数および伝送ブロックの個数に基づいて、前記ＨＡＲＱのフィードバック情報のコードブックサイズを確定すること、または、前記ＵＥが、ダウンリンクプロセス数、配置搬送波の個数および伝送ブロックの個数に基づいて、前記ＨＡＲＱのフィードバック情報のコードブックサイズを確定すること、または、前記ＵＥが、所定のパラメータ、配置搬送波の個数および伝送ブロックの個数に基づいて、前記ＨＡＲＱのフィードバック情報のコードブックサイズを確定すること、または、前記ＵＥが、基地局から通知されるフィードバックウィンドウサイズ、配置搬送波の個数および伝送ブロックの個数に基づいて、前記ＨＡＲＱのフィードバック情報のコードブックサイズを確定することを含む。
【００１６】
選択可能に、前記伝送ブロックの個数は、搬送波に使用される伝送方式および／または前記基地局の配置によって確定される。
【００１７】
選択可能に、前記ＵＥが前記コードブックサイズに基づいて前記ＨＡＲＱのフィードバック情報を生成することは、前記ＵＥが、少なくとも１つの搬送波のフィードバックビットを搬送波番号に従ってカスケードして前記コードブックサイズのコードブックを得ることによって、前記ＨＡＲＱのフィードバック情報を生成すること、各搬送波のフィードバックビットがプロセス番号順にされている、または、前記ＵＥが、前記ＨＡＲＱのフィードバックビットを周波数領域と時間領域のＣ−ＤＡＩ順にして前記コードブックサイズのコードブックを得ることによって、前記ＨＡＲＱのフィードバック情報を生成すること、または、前記ＵＥが、少なくとも１つの搬送波のフィードバックビットを搬送波番号に従ってカスケードして前記コードブックサイズのコードブックを得ることによって、前記ＨＡＲＱのフィードバック情報を生成することを含み、各搬送波のフィードバックビットが時間領域のＣ−ＤＡＩ順にされている。
【００１８】
選択可能に、前記ＵＥが基地局から指示情報を受信することは、前記ＵＥが、前記基地局から送信される複数の前記指示情報を１つまたは複数の搬送波上で同一のダウンリンクサブフレームで受信することを含む。ここで、各指示情報は、異なる搬送波でＨＡＲＱのフィードバック情報の伝送に用いられる伝送サブフレームを指示することに用いられる。前記ＵＥが前記ＨＡＲＱのフィードバック情報を前記伝送サブフレームで前記基地局に伝送することは、前記ＵＥが、前記複数の指示情報に指示される複数の搬送波の伝送サブフレームで同一の前記ＨＡＲＱのフィードバック情報を前記基地局に伝送すること、または、前記ＵＥが、前記複数の指示情報に指示される伝送サブフレームのうちの１つまたは複数のサブフレームである特定伝送サブフレームで前記ＨＡＲＱのフィードバック情報を前記基地局に伝送することを含む。
【００１９】
選択可能に、前記基地局から前記ＵＥに対しアップリンク制御情報搬送波群が設定されている場合、前記ＨＡＲＱのフィードバック情報は、前記アップリンク制御情報搬送波群のうちの搬送波のダウンリンクサブフレームに対応するＨＡＲＱのフィードバック情報である。
【００２０】
選択可能に、前記ＵＥが前記ＨＡＲＱのフィードバック情報を特定伝送サブフレームで前記基地局に伝送することは、前記ＵＥが、前記基地局により事前設定される搬送波に属する伝送サブフレームを、前記複数の指示情報に指示される伝送サブフレームから選択し、当該伝送サブフレームで前記ＨＡＲＱのフィードバック情報を前記基地局に伝送すること、または、前記ＵＥが、前記複数の指示情報に指示される伝送サブフレームから番号最小の搬送波の伝送サブフレームを選択し、当該伝送サブフレームで前記ＨＡＲＱのフィードバック情報を前記基地局に伝送すること、または、前記ＵＥが、前記基地局から送信される動的指示に基づいて、前記複数の指示情報に指示される伝送サブフレームから１つまたは複数の伝送サブフレームを選択し、選択した伝送サブフレームで前記ＨＡＲＱのフィードバック情報を前記基地局に伝送することを含む。
【００２１】
選択可能に、前記動的指示は、ＨＡＲＱのフィードバック情報のトリガーシグナリングが付帯されているアップリンクスケジューリングシグナリングである。
【００２２】
選択可能に、前記ＵＥが前記ＨＡＲＱのフィードバック情報を前記伝送サブフレームで前記基地局に伝送することは、前記ＵＥが、前記伝送サブフレームに対しＬＢＴ（Ｌｉｓｔｅｎ  Ｂｅｆｏｒｅ  Ｔａｌｋ）検出を行い、前記ＬＢＴ検出が成功すると、前記ＨＡＲＱのフィードバック情報を前記伝送サブフレームで前記基地局に伝送することを含む。
【００２３】
選択可能に、前記ＵＥが前記ＨＡＲＱのフィードバック情報を前記伝送サブフレームで前記基地局に伝送することは、前記ＵＥが、前記ＨＡＲＱのフィードバック情報のみを前記伝送サブフレームで前記基地局に伝送すること、または、前記ＵＥが、前記ＨＡＲＱのフィードバック情報とアップリンクデータを前記伝送サブフレームで前記基地局に伝送することを含む。
【００２４】
選択可能に、前記ＵＥが前記ＨＡＲＱのフィードバック情報とアップリンクデータを前記伝送サブフレームで前記基地局に伝送する場合、前記ＨＡＲＱのフィードバック情報は、前記伝送サブフレームにおいてパイロット両側のアップリンクデータ伝送用のシンボルにマッピングされ、または、前記ＵＥが前記ＨＡＲＱのフィードバック情報とアップリンクデータを前記伝送サブフレームで前記基地局に伝送する場合、前記ＨＡＲＱのフィードバック情報と前記アップリンクデータの多重化伝送が行われ、または、前記ＵＥが前記ＨＡＲＱのフィードバック情報とアップリンクデータを前記伝送サブフレームで前記基地局に伝送する場合、前記ＨＡＲＱのフィードバック情報の変調シンボルは、前記伝送サブフレームおいてパイロット両側のｙ（１以上の正の整数）個のシンボルにマッピングされ、前記アップリンクデータの変調シンボルは、前記伝送サブフレームのうち、パイロットと前記変調シンボルに占用されるリソース以外のリソースにマッピングされる。
【００２５】
選択可能に、前記ＨＡＲＱのフィードバック情報と前記アップリンクデータの多重化伝送とは、前記ＵＥが、前記ＨＡＲＱのフィードバック情報の符号化ビットと前記アップリンクデータの符号化ビットをカスケードし、カスケードされた符号化ビットを前記基地局に指示される変調次数（Ｍｏｄｕｌａｔｉｏｎ  ｏｒｄｅｒ）に基づいて変調し、変調結果を時間領域が先、周波数領域が後の方式で前記伝送サブフレームのリソースにマッピングすることである。または、前記ＨＡＲＱのフィードバック情報と前記アップリンクデータの多重化伝送とは、前記ＵＥが、前記ＨＡＲＱのフィードバック情報の符号化ビットと前記アップリンクデータの符号化ビットをカスケードし、カスケードされた符号化ビットをインタリーブし、インタリーブ結果を前記基地局に指示される変調次数に基づいて変調し、変調結果を時間領域が先、周波数領域が後の方式で前記伝送サブフレームのリソースにマッピングすることである。
【００２６】
本開示の実施例による別のＨＡＲＱのフィードバック情報の伝送方法において、基地局が、搬送波のうちＨＡＲＱのフィードバック情報の伝送に用いられる伝送サブフレームを指示するための指示情報をＵＥに送信することと、前記基地局が、前記伝送サブフレームで伝送されるＨＡＲＱのフィードバック情報を前記ＵＥから受信することとを含み、前記ＨＡＲＱのフィードバック情報は、前記ＵＥによって生成されるものである。
【００２７】
選択可能に、前記ＨＡＲＱのフィードバック情報は、ＨＡＲＱの肯定応答（ＡＣＫ）フィードバック情報またはＨＡＲＱの否定応答（ＮＡＣＫ）フィードバック情報を含む。
【００２８】
選択可能に、前記指示情報は、物理アップリンクチャネル伝送をスケジューリングするアップリンクスケジューリングシグナリングである。
【００２９】
選択可能に、前記アップリンクスケジューリングシグナリングは、前記アップリンクスケジューリングシグナリングによってスケジューリングされるサブフレームで前記ＨＡＲＱのフィードバック情報が伝送されるか否かを、ｘ（１以上の正の整数）ビットで指示する。
【００３０】
選択可能に、前記ＨＡＲＱのフィードバック情報は、前記アップリンクスケジューリングシグナリングでスケジューリングするサブフレームより３つ前のサブフレーム前の、ＨＡＲＱのフィードバックが行われない全てのダウンリンクサブフレームにおいて前記ＵＥにより生成されるＨＡＲＱのフィードバック情報を含む。
【００３１】
選択可能に、前記アップリンクスケジューリングシグナリングは、特定のビットフィールド設定によって、前記アップリンクスケジューリングシグナリングによってスケジューリングされるサブフレームでＨＡＲＱのフィードバック情報のみを伝送することを指示する。
【００３２】
選択可能に、前記指示情報は、ＨＡＲＱのフィードバック情報の伝送をスケジューリングするシグナリングである。
【００３３】
選択可能に、前記シグナリングは、前記シグナリングによってスケジューリングされるサブフレームで前記ＨＡＲＱのフィードバック情報が伝送されるか否かを、ｘ（１以上の正の整数）ビットで指示する。
【００３４】
選択可能に、前記ＨＡＲＱのフィードバック情報は、前記ＵＥが、前記ＵＥによって確定された前記ＨＡＲＱのフィードバック情報のコードブックサイズに基づいて生成した前記ＨＡＲＱのフィードバック情報を含む。
【００３５】
選択可能に、前記コードブックサイズは、前記ＵＥが目標情報に基づいて確定した前記ＨＡＲＱのフィードバック情報のコードブックサイズである。ここで、前記目標情報は、ダウンリンクプロセス数、配置搬送波の個数、時間領域のＣ−ＤＡＩ、Ｔ−ＤＡＩ、所定のパラメータ、基地局から通知されるフィードバックウィンドウサイズ、伝送ブロックの個数、および周波数領域と時間領域のＣ−ＤＡＩのうちの１つまたは複数を含む。
【００３６】
選択可能に、前記コードブックサイズは、前記ＵＥが周波数領域と時間領域のＣ−ＤＡＩ、Ｔ−ＤＡＩおよび伝送ブロックの個数に基づいて確定した前記ＨＡＲＱのフィードバック情報のコードブックサイズ、または、前記ＵＥが時間領域のＣ−ＤＡＩ、Ｔ−ＤＡＩ、配置搬送波の個数および伝送ブロックの個数に基づいて確定した前記ＨＡＲＱのフィードバック情報のコードブックサイズ、または、前記ＵＥがダウンリンクプロセス数、配置搬送波の個数および伝送ブロックの個数に基づいて確定した前記ＨＡＲＱのフィードバック情報のコードブックサイズ、または、前記ＵＥが所定のパラメータ、配置搬送波の個数および伝送ブロックの個数に基づいて確定した前記ＨＡＲＱのフィードバック情報のコードブックサイズ、または、前記ＵＥが基地局から通知されるフィードバックウィンドウサイズ、配置搬送波の個数および伝送ブロックの個数に基づいて確定した前記ＨＡＲＱのフィードバック情報のコードブックサイズを含む。
【００３７】
選択可能に、前記伝送ブロックの個数は、搬送波に使用される伝送方式および／または前記基地局の配置によって確定される。
【００３８】
選択可能に、前記ＨＡＲＱのフィードバック情報は、前記ＵＥが少なくとも１つの搬送波のフィードバックビットを搬送波番号に従ってカスケードして前記コードブックサイズのコードブックを得ることによって生成する前記ＨＡＲＱのフィードバック情報、ここで、各搬送波のフィードバックビットがプロセス番号順にされている、または、前記ＵＥが、前記ＨＡＲＱのフィードバックビットを周波数領域と時間領域のＣ−ＤＡＩ順にして前記コードブックサイズのコードブックを得ることによって生成する前記ＨＡＲＱのフィードバック情報、または、前記ＵＥが、少なくとも１つの搬送波のフィードバックビットを搬送波番号に従ってカスケードして前記コードブックサイズのコードブックを得ることによって生成する前記ＨＡＲＱのフィードバック情報を含み、ここで、各搬送波のフィードバックビットが時間領域のＣ−ＤＡＩ順にされている。
【００３９】
選択可能に、前記基地局がＵＥに指示情報を送信することは、前記基地局が、複数の前記指示情報を１つまたは複数の搬送波上で同一のダウンリンクサブフレームで前記ＵＥに送信することを含む。ここで、各指示情報は、異なる搬送波でＨＡＲＱのフィードバック情報の伝送に用いられる伝送サブフレームを指示することに用いられる。前記基地局が、前記ＵＥから前記伝送サブフレームで伝送されるＨＡＲＱのフィードバック情報を受信することは、前記基地局が、前記ＵＥから、前記複数の指示情報に指示される複数の搬送波の伝送サブフレームで伝送される同一の前記ＨＡＲＱのフィードバック情報を受信すること、または、前記基地局が、前記ＵＥから、前記複数の指示情報に指示される伝送サブフレームのうちの１つまたは複数のサブフレームである特定伝送サブフレームで伝送される前記ＨＡＲＱのフィードバック情報を受信することを含む。
【００４０】
選択可能に、前記基地局から前記ＵＥに対しアップリンク制御情報搬送波群が設定されている場合、前記ＨＡＲＱのフィードバック情報は、前記アップリンク制御情報搬送波群のうちの搬送波のダウンリンクサブフレームに対応するＨＡＲＱのフィードバック情報である。
【００４１】
選択可能に、前記基地局が、前記ＵＥから、特定伝送サブフレームで伝送される前記ＨＡＲＱのフィードバック情報を受信することは、前記基地局が、前記ＵＥから、少なくとも１つの伝送サブフレームで伝送される前記ＨＡＲＱのフィードバック情報を受信することを含み、ここで、当該少なくとも１つの伝送サブフレームは、前記ＵＥが、前記複数の指示情報に指示される伝送サブフレームから選択され、前記基地局により事前設定される搬送波に属する伝送サブフレームである。または、前記基地局が、前記ＵＥから、１つの伝送サブフレームで伝送される前記ＨＡＲＱのフィードバック情報を受信することを含み、ここで、当該伝送サブフレームは、前記ＵＥが、前記複数の指示情報に指示される伝送サブフレームから選択した番号最小の搬送波の伝送サブフレームである。または、前記基地局が、前記ＵＥから、少なくとも１つの伝送サブフレームで伝送される前記ＨＡＲＱのフィードバック情報を受信することを含み、ここで、当該少なくとも１つの伝送サブフレームは、前記ＵＥが、前記基地局から送信される動的指示に基づいて、前記複数の指示情報に指示される伝送サブフレームから選択した１つまたは複数の伝送サブフレームである。
【００４２】
選択可能に、前記動的指示は、ＨＡＲＱのフィードバック情報のトリガーシグナリングが付帯されているアップリンクスケジューリングシグナリングである。
【００４３】
選択可能に、前記ＵＥから前記ＨＡＲＱのフィードバック情報を前記伝送サブフレームで前記基地局に伝送することは、前記ＵＥが、前記伝送サブフレームに対しＬＢＴ検出を行い、前記ＬＢＴ検出が成功すると、前記ＨＡＲＱのフィードバック情報を前記伝送サブフレームで前記基地局に伝送することを含む。
【００４４】
選択可能に、前記基地局が前記ＵＥから前記伝送サブフレームで伝送される前記ＨＡＲＱのフィードバック情報を受信することは、前記基地局が、前記ＵＥから、前記ＨＡＲＱのフィードバック情報のみが伝送される前記伝送サブフレームで伝送される前記ＨＡＲＱのフィードバック情報を受信すること、または、前記基地局が、前記ＵＥから、前記伝送サブフレームで伝送される前記ＨＡＲＱのフィードバック情報とアップリンクデータを受信することを含む。
【００４５】
選択可能に、前記ＵＥが前記ＨＡＲＱのフィードバック情報とアップリンクデータを前記伝送サブフレームで前記基地局に伝送する場合、前記ＨＡＲＱのフィードバック情報は、前記伝送サブフレームにおいてパイロット両側のアップリンクデータ伝送用のシンボルにマッピングされる。または、前記ＵＥが前記ＨＡＲＱのフィードバック情報とアップリンクデータを前記伝送サブフレームで前記基地局に伝送する場合、前記ＨＡＲＱのフィードバック情報と前記アップリンクデータの多重化伝送が行われる。または、前記ＵＥが前記ＨＡＲＱのフィードバック情報とアップリンクデータを前記伝送サブフレームで前記基地局に伝送する場合、前記ＨＡＲＱのフィードバック情報の変調シンボルは、前記伝送サブフレームにおいてパイロット両側のｙ（１以上の正の整数）個のシンボルにマッピングされ、前記アップリンクデータの変調シンボルは、前記伝送サブフレームのうち、パイロットと前記変調シンボルに占用されるリソース以外のリソースにマッピングされる。
【００４６】
選択可能に、前記ＨＡＲＱのフィードバック情報と前記アップリンクデータの多重化伝送とは、前記ＵＥが、前記ＨＡＲＱのフィードバック情報の符号化ビットと前記アップリンクデータの符号化ビットをカスケードし、カスケードされた符号化ビットを前記基地局に指示される変調次数に基づいて変調し、変調結果を時間領域が先、周波数領域が後の方式で前記伝送サブフレームのリソースにマッピングすることである。または、前記ＨＡＲＱのフィードバック情報と前記アップリンクデータの多重化伝送とは、前記ＵＥが、前記ＨＡＲＱのフィードバック情報の符号化ビットと前記アップリンクデータの符号化ビットをカスケードし、カスケードされた符号化ビットをインタリーブし、インタリーブ結果を前記基地局に指示される変調次数に基づいて変調し、変調結果を時間領域が先、周波数領域が後の方式で前記伝送サブフレームのリソースにマッピングすることである。
【００４７】
本開示の実施例によるＵＥは、搬送波のうちＨＡＲＱのフィードバック情報の伝送に用いられる伝送サブフレームを指示するための指示情報を基地局から受信することに用いられる受信モジュールと、ＨＡＲＱのフィードバック情報を生成することに用いられる生成モジュールと、前記ＨＡＲＱのフィードバック情報を前記伝送サブフレームで前記基地局に伝送することに用いられる伝送モジュールとを含む。
【００４８】
選択可能に、前記ＨＡＲＱのフィードバック情報は、ＨＡＲＱの肯定応答（ＡＣＫ）フィードバック情報またはＨＡＲＱの否定応答（ＮＡＣＫ）フィードバック情報を含む。
【００４９】
選択可能に、前記指示情報は、物理アップリンクチャネル伝送をスケジューリングするアップリンクスケジューリングシグナリングである。
【００５０】
選択可能に、前記アップリンクスケジューリングシグナリングは、前記アップリンクスケジューリングシグナリングによってスケジューリングされるサブフレームで前記ＨＡＲＱのフィードバック情報が伝送されるか否かを、ｘ（１以上の正の整数）ビットで指示する。
【００５１】
選択可能に、前記ＨＡＲＱのフィードバック情報は、前記アップリンクスケジューリングシグナリングでスケジューリングするサブフレームより３つ前のサブフレーム前の、ＨＡＲＱのフィードバックが行われない全てのダウンリンクサブフレームにおいて前記ＵＥにより生成されるＨＡＲＱのフィードバック情報を含む。
【００５２】
選択可能に、前記アップリンクスケジューリングシグナリングは、特定のビットフィールド設定によって、前記アップリンクスケジューリングシグナリングによってスケジューリングされるサブフレームでＨＡＲＱのフィードバック情報のみを伝送することを指示する。
【００５３】
選択可能に、前記指示情報は、ＨＡＲＱのフィードバック情報の伝送をスケジューリングするシグナリングである。
【００５４】
選択可能に、前記シグナリングは、前記シグナリングによってスケジューリングされるサブフレームで前記ＨＡＲＱのフィードバック情報が伝送されるか否かを、ｘ（１以上の正の整数）ビットで指示する。
【００５５】
選択可能に、前記生成モジュールは、前記ＨＡＲＱのフィードバック情報のコードブックサイズを確定し、前記コードブックサイズに基づいて前記ＨＡＲＱのフィードバック情報を生成することに用いられる。
【００５６】
選択可能に、前記生成モジュールは、ダウンリンクプロセス数、配置搬送波の個数、時間領域のＣ−ＤＡＩ、Ｔ−ＤＡＩ、所定のパラメータ、基地局から通知されるフィードバックウィンドウサイズ、伝送ブロックの個数、および周波数領域と時間領域のＣ−ＤＡＩのうちの１つまたは複数を含む目標情報に基づいて、前記ＨＡＲＱのフィードバック情報のコードブックサイズを確定することに用いられる。
【００５７】
選択可能に、前記生成モジュールは、周波数領域と時間領域のＣ−ＤＡＩ、Ｔ−ＤＡＩおよび伝送ブロックの個数に基づいて、前記ＨＡＲＱのフィードバック情報のコードブックサイズを確定すること、または、時間領域のＣ−ＤＡＩ、Ｔ−ＤＡＩ、配置搬送波の個数および伝送ブロックの個数に基づいて、前記ＨＡＲＱのフィードバック情報のコードブックサイズを確定すること、または、ダウンリンクプロセス数、配置搬送波の個数および伝送ブロックの個数に基づいて、前記ＨＡＲＱのフィードバック情報のコードブックサイズを確定すること、または、所定のパラメータ、配置搬送波の個数および伝送ブロックの個数に基づいて、前記ＨＡＲＱのフィードバック情報のコードブックサイズを確定すること、または、基地局から通知されるフィードバックウィンドウサイズ、配置搬送波の個数および伝送ブロックの個数に基づいて、前記ＨＡＲＱのフィードバック情報のコードブックサイズを確定することに用いられる。
【００５８】
選択可能に、前記伝送ブロックの個数は、搬送波に使用される伝送方式および／または前記基地局の配置によって確定される。
【００５９】
選択可能に、前記生成モジュールは、少なくとも１つの搬送波のフィードバックビットを搬送波番号に従ってカスケードして前記コードブックサイズのコードブックを得ることによって、前記ＨＡＲＱのフィードバック情報を生成すること、ここで、各搬送波のフィードバックビットがプロセス番号順にされている、または、前記ＨＡＲＱのフィードバックビットを周波数領域と時間領域のＣ−ＤＡＩ順にして前記コードブックサイズのコードブックを得ることによって、前記ＨＡＲＱのフィードバック情報を生成すること、または、少なくとも１つの搬送波のフィードバックビットを搬送波番号に従ってカスケードして前記コードブックサイズのコードブックを得ることによって、前記ＨＡＲＱのフィードバック情報を生成することに用いられ、ここで、各搬送波のフィードバックビットが時間領域のＣ−ＤＡＩ順にされている。
【００６０】
選択可能に、前記受信モジュールは、前記基地局から送信される複数の前記指示情報を１つまたは複数の搬送波上で同一のダウンリンクサブフレームで受信することに用いられる。ここで、各指示情報は、異なる搬送波でＨＡＲＱのフィードバック情報の伝送に用いられる伝送サブフレームを指示することに用いられる。前記伝送モジュールは、前記複数の指示情報に指示される複数の搬送波の伝送サブフレームで同一の前記ＨＡＲＱのフィードバック情報を前記基地局に伝送すること、または、前記複数の指示情報に指示される伝送サブフレームのうちの１つまたは複数のサブフレームである特定伝送サブフレームで前記ＨＡＲＱのフィードバック情報を前記基地局に伝送することに用いられる。
【００６１】
選択可能に、前記基地局から前記ＵＥに対しアップリンク制御情報搬送波群が設定されている場合、前記ＨＡＲＱのフィードバック情報は、前記アップリンク制御情報搬送波群のうちの搬送波のダウンリンクサブフレームに対応するＨＡＲＱのフィードバック情報である。
【００６２】
選択可能に、前記伝送モジュールは、前記基地局により事前設定される搬送波に属する伝送サブフレームを、前記複数の指示情報に指示される伝送サブフレームから選択し、当該伝送サブフレームで前記ＨＡＲＱのフィードバック情報を前記基地局に伝送すること、または、前記複数の指示情報に指示される伝送サブフレームから番号最小の搬送波の伝送サブフレームを選択し、当該伝送サブフレームで前記ＨＡＲＱのフィードバック情報を前記基地局に伝送すること、または、前記基地局から送信される動的指示に基づいて、前記複数の指示情報に指示される伝送サブフレームから１つまたは複数の伝送サブフレームを選択し、選択した伝送サブフレームで前記ＨＡＲＱのフィードバック情報を前記基地局に伝送することに用いられる。
【００６３】
選択可能に、前記動的指示は、ＨＡＲＱのフィードバック情報のトリガーシグナリングが付帯されているアップリンクスケジューリングシグナリングである。
【００６４】
選択可能に、前記伝送モジュールは、前記伝送サブフレームに対しＬＢＴ検出を行い、前記ＬＢＴ検出が成功すると、前記ＨＡＲＱのフィードバック情報を前記伝送サブフレームで前記基地局に伝送することに用いられる。
【００６５】
選択可能に、前記伝送モジュールは、前記ＨＡＲＱのフィードバック情報のみを前記伝送サブフレームで前記基地局に伝送すること、または、前記ＨＡＲＱのフィードバック情報とアップリンクデータを前記伝送サブフレームで前記基地局に伝送することに用いられる。
【００６６】
選択可能に、前記ＵＥが前記ＨＡＲＱのフィードバック情報とアップリンクデータを前記伝送サブフレームで前記基地局に伝送する場合、前記ＨＡＲＱのフィードバック情報は、前記伝送サブフレームにおいてパイロット両側のアップリンクデータ伝送用のシンボルにマッピングされる。または、前記ＵＥが前記ＨＡＲＱのフィードバック情報とアップリンクデータを前記伝送サブフレームで前記基地局に伝送する場合、前記ＨＡＲＱのフィードバック情報と前記アップリンクデータの多重化伝送が行われる。または、前記ＵＥが前記ＨＡＲＱのフィードバック情報とアップリンクデータを前記伝送サブフレームで前記基地局に伝送する場合、前記ＨＡＲＱのフィードバック情報の変調シンボルは、前記伝送サブフレームにおいてパイロット両側のｙ（１以上の正の整数）個のシンボルにマッピングされ、前記アップリンクデータの変調シンボルは、前記伝送サブフレームのうち、パイロットと前記変調シンボルに占用されるリソース以外のリソースにマッピングされる。
【００６７】
選択可能に、前記ＨＡＲＱのフィードバック情報と前記アップリンクデータの多重化伝送とは、前記ＵＥが、前記ＨＡＲＱのフィードバック情報の符号化ビットと前記アップリンクデータの符号化ビットをカスケードし、カスケードされた符号化ビットを前記基地局に指示される変調次数に基づいて変調し、変調結果を時間領域が先、周波数領域が後の方式で前記伝送サブフレームのリソースにマッピングすることである。または、前記ＨＡＲＱのフィードバック情報と前記アップリンクデータの多重化伝送とは、前記ＵＥが、前記ＨＡＲＱのフィードバック情報の符号化ビットと前記アップリンクデータの符号化ビットをカスケードし、カスケードされた符号化ビットをインタリーブし、インタリーブ結果を前記基地局に指示される変調次数に基づいて変調し、変調結果を時間領域が先、周波数領域が後の方式で前記伝送サブフレームのリソースにマッピングすることである。
【００６８】
本開示の実施例による基地局は、搬送波のうちＨＡＲＱのフィードバック情報の伝送に用いられる伝送サブフレームを指示するための指示情報をＵＥに送信することに用いられる送信モジュールと、前記伝送サブフレームで伝送されるＨＡＲＱのフィードバック情報を前記ＵＥから受信することに用いられる受信モジュールとを含み、前記ＨＡＲＱのフィードバック情報は、前記ＵＥによって生成されるものである。
【００６９】
選択可能に、前記ＨＡＲＱのフィードバック情報は、ＨＡＲＱの肯定応答（ＡＣＫ）フィードバック情報またはＨＡＲＱの否定応答（ＮＡＣＫ）フィードバック情報を含む。
【００７０】
選択可能に、前記指示情報は、物理アップリンクチャネル伝送をスケジューリングするアップリンクスケジューリングシグナリングである。
【００７１】
選択可能に、前記アップリンクスケジューリングシグナリングは、前記アップリンクスケジューリングシグナリングによってスケジューリングされるサブフレームで前記ＨＡＲＱのフィードバック情報が伝送されるか否かを、ｘ（１以上の正の整数）ビットで指示する。
【００７２】
選択可能に、前記ＨＡＲＱのフィードバック情報は、前記アップリンクスケジューリングシグナリングでスケジューリングするサブフレームより３つ前のサブフレーム前の、ＨＡＲＱのフィードバックが行われない全てのダウンリンクサブフレームにおいて前記ＵＥにより生成されるＨＡＲＱのフィードバック情報を含む。
【００７３】
選択可能に、前記アップリンクスケジューリングシグナリングは、特定のビットフィールド設定によって、前記アップリンクスケジューリングシグナリングによってスケジューリングされるサブフレームでＨＡＲＱのフィードバック情報のみを伝送することを指示する。
【００７４】
選択可能に、前記指示情報は、ＨＡＲＱのフィードバック情報の伝送をスケジューリングするシグナリングである。
【００７５】
選択可能に、前記シグナリングは、前記シグナリングによってスケジューリングされるサブフレームで前記ＨＡＲＱのフィードバック情報が伝送されるか否かを、ｘ（１以上の正の整数）ビットで指示する。
【００７６】
選択可能に、前記ＨＡＲＱのフィードバック情報は、前記ＵＥが、前記ＵＥによって確定された前記ＨＡＲＱのフィードバック情報のコードブックサイズに基づいて生成した前記ＨＡＲＱのフィードバック情報を含む。
【００７７】
選択可能に、前記コードブックサイズは、前記ＵＥが目標情報に基づいて確定した前記ＨＡＲＱのフィードバック情報のコードブックサイズである。ここで、前記目標情報は、ダウンリンクプロセス数、配置搬送波の個数、時間領域のＣ−ＤＡＩ、Ｔ−ＤＡＩ、所定のパラメータ、基地局から通知されるフィードバックウィンドウサイズ、伝送ブロックの個数、および周波数領域と時間領域のＣ−ＤＡＩのうちの１つまたは複数を含む。
【００７８】
選択可能に、前記コードブックサイズは、前記ＵＥが周波数領域と時間領域のＣ−ＤＡＩ、Ｔ−ＤＡＩおよび伝送ブロックの個数に基づいて確定した前記ＨＡＲＱのフィードバック情報のコードブックサイズ、または、前記ＵＥが時間領域のＣ−ＤＡＩ、Ｔ−ＤＡＩ、配置搬送波の個数および伝送ブロックの個数に基づいて確定した前記ＨＡＲＱのフィードバック情報のコードブックサイズ、または、前記ＵＥがダウンリンクプロセス数、配置搬送波の個数および伝送ブロックの個数に基づいて確定した前記ＨＡＲＱのフィードバック情報のコードブックサイズ、または、前記ＵＥが所定のパラメータ、配置搬送波の個数および伝送ブロックの個数に基づいて確定した前記ＨＡＲＱのフィードバック情報のコードブックサイズ、または、前記ＵＥが基地局から通知されるフィードバックウィンドウサイズ、配置搬送波の個数および伝送ブロックの個数に基づいて確定した前記ＨＡＲＱのフィードバック情報のコードブックサイズを含む。
【００７９】
選択可能に、前記伝送ブロックの個数は、搬送波に使用される伝送方式および／または前記基地局の配置によって確定される。
【００８０】
選択可能に、前記ＨＡＲＱのフィードバック情報は、前記ＵＥが、少なくとも１つの搬送波のフィードバックビットを搬送波番号に従ってカスケードして前記コードブックサイズのコードブックを得ることによって生成する前記ＨＡＲＱのフィードバック情報、ここで、各搬送波のフィードバックビットがプロセス番号順にされている、または、前記ＵＥが、前記ＨＡＲＱのフィードバックビットを周波数領域と時間領域のＣ−ＤＡＩ順にして前記コードブックサイズのコードブックを得ることによって生成する前記ＨＡＲＱのフィードバック情報、または、前記ＵＥが、少なくとも１つの搬送波のフィードバックビットを搬送波番号に従ってカスケードして前記コードブックサイズのコードブックを得ることによって生成する前記ＨＡＲＱのフィードバック情報を含み、ここで、各搬送波のフィードバックビットが時間領域のＣ−ＤＡＩ順にされている。
【００８１】
選択可能に、前記送信モジュールは、複数の前記指示情報を１つまたは複数の搬送波上で同一のダウンリンクサブフレームで前記ＵＥに送信することに用いられる。ここで、各指示情報は、異なる搬送波でＨＡＲＱのフィードバック情報の伝送に用いられる伝送サブフレームを指示することに用いられる。前記受信モジュールは、前記ＵＥから、前記複数の指示情報に指示される複数の搬送波の伝送サブフレームで伝送される同一の前記ＨＡＲＱのフィードバック情報を受信すること、または、前記ＵＥから、前記複数の指示情報に指示される伝送サブフレームのうちの１つまたは複数のサブフレームである特定伝送サブフレームで伝送される前記ＨＡＲＱのフィードバック情報を受信することに用いられる。
【００８２】
選択可能に、前記基地局から前記ＵＥに対しアップリンク制御情報搬送波群が設定されている場合、前記ＨＡＲＱのフィードバック情報は、前記アップリンク制御情報搬送波群のうちの搬送波のダウンリンクサブフレームに対応するＨＡＲＱのフィードバック情報である。
【００８３】
選択可能に、前記受信モジュールは、前記ＵＥから、少なくとも１つの伝送サブフレームで伝送される前記ＨＡＲＱのフィードバック情報を受信することに用いられ、ここで、当該少なくとも１つの伝送サブフレームは、前記ＵＥが、前記複数の指示情報に指示される伝送サブフレームから選択され、前記基地局により事前設定される搬送波に属する伝送サブフレームである。または、前記ＵＥから、１つの伝送サブフレームで伝送される前記ＨＡＲＱのフィードバック情報を受信することに用いられ、ここで、当該伝送サブフレームは、前記ＵＥが、前記複数の指示情報に指示される伝送サブフレームから選択した番号最小の搬送波の伝送サブフレームである。または、前記ＵＥから、少なくとも１つの伝送サブフレームで伝送される前記ＨＡＲＱのフィードバック情報を受信することに用いられ、ここで、当該少なくとも１つの伝送サブフレームは、前記ＵＥが、前記基地局から送信される動的指示に基づいて、前記複数の指示情報に指示される伝送サブフレームから選択した１つまたは複数の伝送サブフレームである。
【００８４】
選択可能に、前記動的指示は、ＨＡＲＱのフィードバック情報のトリガーシグナリングが付帯されているアップリンクスケジューリングシグナリングである。
【００８５】
選択可能に、前記ＵＥから前記ＨＡＲＱのフィードバック情報を前記伝送サブフレームで前記基地局に伝送することは、前記ＵＥが、前記伝送サブフレームに対しＬＢＴ検出を行い、前記ＬＢＴ検出が成功すると、前記ＨＡＲＱのフィードバック情報を前記伝送サブフレームで前記基地局に伝送することを含む。
【００８６】
選択可能に、前記受信モジュールは、前記ＵＥから、前記ＨＡＲＱのフィードバック情報のみが伝送される前記伝送サブフレームで伝送される前記ＨＡＲＱのフィードバック情報を受信すること、または、前記ＵＥから、前記伝送サブフレームで伝送される前記ＨＡＲＱのフィードバック情報とアップリンクデータを受信することに用いられる。
【００８７】
選択可能に、前記ＵＥが前記ＨＡＲＱのフィードバック情報とアップリンクデータを前記伝送サブフレームで前記基地局に伝送する場合、前記ＨＡＲＱのフィードバック情報は、前記伝送サブフレームにおいてパイロット両側のアップリンクデータ伝送用のシンボルにマッピングされる。または、前記ＵＥが前記ＨＡＲＱのフィードバック情報とアップリンクデータを前記伝送サブフレームで前記基地局に伝送する場合、前記ＨＡＲＱのフィードバック情報と前記アップリンクデータの多重化伝送が行われる。または、前記ＵＥが前記ＨＡＲＱのフィードバック情報とアップリンクデータを前記伝送サブフレームで前記基地局に伝送する場合、前記ＨＡＲＱのフィードバック情報の変調シンボルは、前記伝送サブフレームにおいてパイロット両側のｙ（１以上の正の整数）個のシンボルにマッピングされ、前記アップリンクデータの変調シンボルは、前記伝送サブフレームのうち、パイロットと前記変調シンボルに占用されるリソース以外のリソースにマッピングされる。
【００８８】
選択可能に、前記ＨＡＲＱのフィードバック情報と前記アップリンクデータの多重化伝送とは、前記ＵＥが、前記ＨＡＲＱのフィードバック情報の符号化ビットと前記アップリンクデータの符号化ビットをカスケードし、カスケードされた符号化ビットを前記基地局に指示される変調次数に基づいて変調し、変調結果を時間領域が先、周波数領域が後の方式で前記伝送サブフレームのリソースにマッピングすることである。または、前記ＨＡＲＱのフィードバック情報と前記アップリンクデータの多重化伝送とは、前記ＵＥが、前記ＨＡＲＱのフィードバック情報の符号化ビットと前記アップリンクデータの符号化ビットをカスケードし、カスケードされた符号化ビットをインタリーブし、インタリーブ結果を前記基地局に指示される変調次数に基づいて変調し、変調結果を時間領域が先、周波数領域が後の方式で前記伝送サブフレームのリソースにマッピングすることである。
【００８９】
本開示の実施例によるＨＡＲＱのフィードバック情報の伝送システムにおいて、搬送波のうちＨＡＲＱのフィードバック情報の伝送に用いられる伝送サブフレームを指示するための指示情報をＵＥに送信することに用いられる基地局と、前記基地局から送信される前記指示情報を受信することに用いられる前記ＵＥとを含む。前記ＵＥは、さらに、ＨＡＲＱのフィードバック情報を生成することと、前記ＨＡＲＱのフィードバック情報を前記伝送サブフレームで前記基地局に伝送することに用いられる。前記基地局は、さらに、前記ＵＥから前記伝送サブフレームで伝送される前記ＨＡＲＱのフィードバック情報を受信することに用いられる。
発明の効果
【００９０】
ＵＥは、搬送波のうちＨＡＲＱのフィードバック情報の伝送に用いられる伝送サブフレームを指示するための指示情報を基地局から受信し、ＨＡＲＱのフィードバック情報を生成し、前記ＨＡＲＱのフィードバック情報を前記伝送サブフレームで前記基地局に伝送する。よって、ＨＡＲＱのフィードバック情報の伝送を実現することができる。
【図面の簡単な説明】
【００９１】
【図１】本開示の実施例によるネットワークの構造図である。
【図２】本開示の実施例によるＨＡＲＱのフィードバック情報の伝送方法のフローチャートである。
【図３】本開示の実施例による別のＨＡＲＱのフィードバック情報の伝送方法のフローチャートである。
【図４】本開示の実施例によるＵＥの構造図である。
【図５】本開示の実施例による基地局の構造図である。
【図６】本開示の実施例による別のＵＥの構造図である。
【図７】本開示の実施例による別の基地局の構造図である。
【図８】本開示の実施例によるＨＡＲＱのフィードバック情報の伝送システムの構造図である。
【発明を実施するための形態】
【００９２】
本開示の解決しようとする技術課題、技術手段および利点をより明確にするために、以下、図面および具体的な実施例を参照して詳細に記載する。
【００９３】
実施例１
図１は、本開示の実施例によるネットワークの構造図である。図１に示されているように、基地局１１とＵＥ１２が含まれている。ここで、基地局１１は、進化型基地局ｅＮＢ（ｅｖｏｌｖｅｄ  Ｎｏｄｅ  Ｂ）または他の基地局である。なお、本開示の実施例において、基地局１１の具体的な種類を限定しない。基地局１１は、ＵＥ１２と通信可能である。ここで、図面におけるネットワークは、基地局１１とＵＥ１２とは無線で通信可能であることを示す。ＵＥ１２は、携帯電話、タブレットパソコン（Ｔａｂｌｅｔ  Ｐｅｒｓｏｎａｌ  Ｃｏｍｐｕｔｅｒ）、ラップトップパソコン（Ｌａｐｔｏｐ  Ｃｏｍｐｕｔｅｒ）、パーソナルデジタルアシスタントＰＤＡ（ｐｅｒｓｏｎａｌ  ｄｉｇｉｔａｌ  ａｓｓｉｓｔａｎｔ）、モバイルインターネットデバイスＭＩＤ（Ｍｏｂｉｌｅ  Ｉｎｔｅｒｎｅｔ  Ｄｅｖｉｃｅ）またはウェアラブルデバイス（Ｗｅａｒａｂｌｅ  Ｄｅｖｉｃｅ）などの端末機器である。なお、本開示の実施例において、ＵＥ１２の具体的な種類を限定しない。
【００９４】
図１に示すネットワーク構造に基づき、本開示の実施例によるＨＡＲＱのフィードバック情報の伝送方法において、図２に示されているように、ＵＥが、搬送波のうちＨＡＲＱのフィードバック情報の伝送に用いられる伝送サブフレームを指示するための指示情報を基地局から受信するステップ２０１と、ＵＥがＨＡＲＱのフィードバック情報を生成するステップ２０２と、ＵＥが前記ＨＡＲＱのフィードバック情報を前記伝送サブフレームで前記基地局に伝送するステップ２０３とを含む。
【００９５】
本実施例において、上記指示情報は、１つの搬送波のダウンリンクサブフレームで送信される。また、上記伝送サブフレームは、当該搬送波のうちの１つのサブフレームである。例えば、基地局は、搬送波７のサブフレーム５で上記指示情報を送信し、搬送波７のサブフレーム９がＨＡＲＱのフィードバック情報の伝送に用いられる伝送サブフレームであるとＵＥに指示する。もちろん、場合によっては、１つの指示情報のみを送信してもよく、すなわちステップ２０１で受信する指示情報は、１つの指示情報である。別の場合では複数の指示情報を送信してもよく、すなわちステップ２０１で受信する指示情報は、複数の指示情報である。例えば、搬送波内のスケジューリング（Ｉｎｔｒａ−ｃａｒｒｉｅｒ  ｓｃｈｅｄｕｌｉｎｇ）の場合、基地局は、搬送波８、９、１０のサブフレーム６でそれぞれ指示情報を送信し、搬送波８、９、１０のサブフレーム１０がＨＡＲＱのフィードバック情報の伝送に用いられる伝送サブフレームであると指示する。搬送波間のスケジューリングの場合、基地局は、搬送波８のサブフレーム６で３つの指示情報を送信し、それぞれ搬送波８、９、１０のサブフレーム１０がＨＡＲＱのフィードバック情報の伝送に用いられる伝送サブフレームであると指示する。
【００９６】
ここで、上記ＨＡＲＱのフィードバック情報の伝送に用いられる伝送サブフレームについて、当該伝送サブフレームは、ＨＡＲＱのフィードバック情報を伝送することに用いられるが、ＨＡＲＱのフィードバック情報しか伝送できないことに限定されない。例えば、当該伝送サブフレームは、ＨＡＲＱのフィードバック情報とアップリンクデータを伝送することができ、または、ＨＡＲＱのフィードバック情報しか伝送できない。もちろん、場合によっては、上記伝送サブフレームは、ＨＡＲＱのフィードバック情報しか伝送できないことに限定されてもよい。前記指示情報には、ＨＡＲＱのフィードバック情報の伝送ができるかを指示するビットフィールドが含まれる場合、前記ビットフィールドによって、該当伝送サブフレームにＨＡＲＱのフィードバック情報が含まれないと指示すると、前記ＨＡＲＱのフィードバック情報の伝送に用いられる伝送サブフレームは、アップリンクデータのみを伝送してもよい。
【００９７】
本実施例において、ＵＥが前記伝送サブフレームで前記基地局に前記ＨＡＲＱのフィードバック情報を伝送することは、ＨＡＲＱのフィードバック情報を上記伝送サブフレームにマッピングして上記基地局に伝送すると理解される。
【００９８】
また、本実施例において、上記搬送波は、アンライセンス搬送波であってもよい。このように、アンライセンス搬送波でＨＡＲＱのフィードバック情報を伝送することが実現され、ライセンスド主搬送波での制御チャネルのコストを低減させる。もちろん、場合によっては、上記搬送波は、ライセンスド搬送波であってもよい。これについて、本実施例では限定しない。
【００９９】
選択可能に、上記ＨＡＲＱのフィードバック情報は、ＨＡＲＱのＡＣＫフィードバック情報またはＨＡＲＱのＮＡＣＫフィードバック情報を含む。
【０１００】
当該実施形態において、ＨＡＲＱのＡＣＫフィードバック情報またはＨＡＲＱのＮＡＣＫフィードバック情報の伝送が実現される。
【０１０１】
選択可能に、上記指示情報は、物理アップリンクチャネル伝送をスケジューリングするアップリンクスケジューリングシグナリングである。
【０１０２】
当該実施形態において、上記伝送サブフレームは、当該アップリンクスケジューリングシグナリングによってスケジューリングされるサブフレームである。このように、物理アップリンクチャネル伝送をスケジューリングするアップリンクスケジューリングシグナリングによって、前記ＨＡＲＱのフィードバック情報の伝送をスケジューリングすることが実現される。また、上記物理アップリンクチャネル伝送をスケジューリングするアップリンクスケジューリングシグナリングは、ダウンリンク制御情報ＤＣＩ（Ｄｏｗｎｌｉｎｋ  Ｃｏｎｔｒｏｌ  Ｉｎｆｏｒｍａｔｉｏｎ）フォーマットを使用することができる。ＤＣＩフォーマットにおける一部のフィールドが特定値であるかによって、前記アップリンクスケジューリングシグナリングは、ＰＵＳＣＨ伝送をスケジューリングするためのアップリンクスケジューリングシグナリングであるか、ＨＡＲＱのフィードバック情報の伝送をスケジューリングするためのアップリンクスケジューリングシグナリングであるか、ＰＵＳＣＨとＨＡＲＱのフィードバック情報の伝送を同時にスケジューリングするためのアップリンクスケジューリングシグナリングであるかを区分する。
【０１０３】
選択可能に、当該実施形態において、上記アップリンクスケジューリングシグナリングは、前記アップリンクスケジューリングシグナリングによってスケジューリングされるサブフレームで前記ＨＡＲＱのフィードバック情報が伝送されるか否かを、ｘ（１以上の正の整数）ビットで指示する。
【０１０４】
選択可能に、ｘ＝１の場合、上記アップリンクスケジューリングシグナリングによってスケジューリングされるサブフレームで、前記ＨＡＲＱのフィードバック情報を伝送するかを１ビットで指示し、０であると、ＨＡＲＱ−ＡＣＫフィードバック情報を伝送しないことを示し、１であると、ＨＡＲＱのフィードバック情報を伝送することを示す。もちろん、上記ｘは、２または３などであってもよい。これについて、本実施例では限定しない。もちろん、一部の実施例において、上記アップリンクスケジューリングシグナリングは、前記アップリンクスケジューリングシグナリングによってスケジューリングされるサブフレームで前記ＨＡＲＱのフィードバック情報が伝送されるか否かを、ｘビットで指示する以外もありうる。例えば、ＵＥは、上記アップリンクスケジューリングシグナリングを受信すると、当該アップリンクスケジューリングシグナリングでＨＡＲＱのフィードバック情報を伝送することを黙認する。
【０１０５】
選択可能に、上記実施形態において、前記ＨＡＲＱのフィードバック情報は、前記アップリンクスケジューリングシグナリングでスケジューリングするサブフレームより３つ前のサブフレーム前の、ＨＡＲＱのフィードバックが行われない全てのダウンリンクサブフレームにおいて前記ＵＥにより生成されるＨＡＲＱのフィードバック情報を含む。
【０１０６】
例えば、上記アップリンクスケジューリングシグナリングによってスケジューリングされるサブフレームがサブフレームｎであると、上記ＨＡＲＱのフィードバック情報は、サブフレームｎ−３前の、ＨＡＲＱのフィードバックが行われない全てのダウンリンクサブフレームのＨＡＲＱのフィードバック情報を含む。すなわち、ＵＥは、上記アップリンクスケジューリングシグナリングによってスケジューリングされるサブフレームで、サブフレームｎ−３前の、ＨＡＲＱのフィードバックが行われない全てのダウンリンクサブフレームのＨＡＲＱのフィードバック情報を基地局にフィードバックする。当該実施形態において、すべてのＨＡＲＱのフィードバック情報を一回でフィードバックするため、基地局と端末とは、ＨＡＲＱのフィードバック情報のビットサイズに関する認識が相違することが避けられる。
【０１０７】
選択可能に、上記実施形態において、上記アップリンクスケジューリングシグナリングは、特定のビットフィールド設定によって、前記アップリンクスケジューリングシグナリングによってスケジューリングされるサブフレームでＨＡＲＱのフィードバック情報のみを伝送することを指示する。
【０１０８】
当該実施形態において、上記アップリンクスケジューリングシグナリングによってスケジューリングされるサブフレームでＨＡＲＱのフィードバック情報のみを伝送し、アップリンクデータを伝送しないことが実現される。このように、端末側でアップリンクデータを伝送しなくてもＨＡＲＱのフィードバックができることを確保する。
【０１０９】
選択可能に、上記指示情報は、ＨＡＲＱのフィードバック情報の伝送をスケジューリングするシグナリングである。
【０１１０】
当該実施形態において、基地局は、ＨＡＲＱのフィードバック情報に対し専用のスケジューリングシグナリングを生成して配布する。当該シグナリングは、ＤＣＩフォーマットを使用し、ＤＣＩフォーマットにおける一部のフィールドが特定値であるかによって、ＨＡＲＱのフィードバック情報の伝送をスケジューリングするシグナリングであるかを区分する。当該実施形態において、上記伝送サブフレームは、上記シグナリングによってスケジューリングされるサブフレームである。
【０１１１】
選択可能に、当該実施形態において、前記シグナリングは、前記シグナリングによってスケジューリングされるサブフレームで前記ＨＡＲＱのフィードバック情報が伝送されるか否かを、ｘ（１以上の正の整数）ビットで指示する。
【０１１２】
選択可能に、ｘ＝１の場合、上記シグナリングによってスケジューリングされるサブフレームで、前記ＨＡＲＱのフィードバック情報を伝送するかを１ビットで指示し、０であると、ＨＡＲＱ−ＡＣＫフィードバック情報を伝送しないことを示し、１であると、ＨＡＲＱのフィードバック情報を伝送することを示す。もちろん、上記ｘは、２または３などであってもよい。これについて、本実施例では限定しない。もちろん、一部の実施形態において、上記シグナリングは、前記シグナリングによってスケジューリングされるサブフレームで前記ＨＡＲＱのフィードバック情報が伝送されるか否かを、ｘビットで指示する以外もありうる。例えば、ＵＥは、上記シグナリングを受信すると、当該シグナリングでＨＡＲＱのフィードバック情報を伝送することを黙認する。
【０１１３】
選択可能に、上記の前記ＵＥがＨＡＲＱのフィードバック情報を生成することは、ＵＥが、前記ＨＡＲＱのフィードバック情報のコードブックサイズを確定し、前記コードブックサイズに基づいて前記ＨＡＲＱのフィードバック情報を生成することを含む。
【０１１４】
当該実施形態において、上記コードブックサイズは、一部の情報によって臨時的に確定されてもよく、ＵＥによって予め設定されてもよい。また、上記の前記コードブックサイズに基づいて前記ＨＡＲＱのフィードバック情報を生成することは、コードブックが上記コードブックサイズであるＨＡＲＱのフィードバック情報を生成すると理解される。ここで、ＨＡＲＱのフィードバック情報は、０と１からなるビットである。または、場合によっては、ＵＥは、一定フォーマットまたは一定サイズのＨＡＲＱのフィードバック情報を生成するなど、他の方式によってＨＡＲＱのフィードバック情報を生成してもよいが、これについて、本実施例では限定しない。
【０１１５】
選択可能に、当該実施形態において、上記のＵＥが前記ＨＡＲＱのフィードバック情報のコードブックサイズを確定することは、前記ＵＥが、ダウンリンクプロセス数、配置搬送波の個数、時間領域のＣ−ＤＡＩ、Ｔ−ＤＡＩ、所定のパラメータ、基地局から通知されるフィードバックウィンドウサイズ、伝送ブロックの個数、および周波数領域と時間領域のＣ−ＤＡＩのうちの１つまたは複数を含む目標情報に基づいて、前記ＨＡＲＱのフィードバック情報のコードブックサイズを確定することを含む。
【０１１６】
当該実施形態において、上記情報の１つまたは複数によって前記ＨＡＲＱのフィードバック情報のコードブックサイズを確定することが実現される。例えば、そのうちのいずれか１つの情報によって前記ＨＡＲＱのフィードバック情報のコードブックサイズを確定する場合、予め決められた当該情報とコードブックサイズとのマッピング関係に基づいてＨＡＲＱのフィードバック情報のコードブックサイズを確定する。または、そのうちの複数の情報によってＨＡＲＱのフィードバック情報のコードブックサイズを確定する場合、当該複数の情報を予め演算して、ＨＡＲＱのフィードバック情報のコードブックサイズを確定する。これについて、本実施例では限定しない。
【０１１７】
ここで、上記周波数領域と時間領域のＣ−ＤＡＩは、基地局がダウンリンクデータをスケジューリングするサブフレームインデックスである。基地局は、スケジューリングされるサブフレームを周波数領域が先、時間領域が後の順にカウントする。上記Ｔ−ＤＡＩは、ＵＥからアップリンクサブフレームでフィードバックすべくすべてのダウンリンクサブフレームの総数である。Ｔ−ＤＡＩは、時間領域の各サブフレームで更新される。上記時間領域のＣ−ＤＡＩは、基地局が時間領域のみでスケジューリングするダウンリンクデータのインデックスである。基地局は、時間領域でスケジューリングするサブフレームを時間順にカウントする。また、上記ダウンリンクプロセス数は、最大ダウンリンクプロセス数または現在実行中のダウンリンクプロセス数である。上記所定のパラメータは、予め設定された数値であり、例えば、３、５または８などの数値である。
【０１１８】
選択可能に、上記実施形態において、上記のＵＥが目標情報に基づいて前記ＨＡＲＱのフィードバック情報のコードブックサイズを確定することは、前記ＵＥが、周波数領域と時間領域のＣ−ＤＡＩ、Ｔ−ＤＡＩおよび伝送ブロックの個数に基づいて、前記ＨＡＲＱのフィードバック情報のコードブックサイズを確定することを含む。
【０１１９】
当該実施形態において、周波数領域と時間領域のＣ−ＤＡＩ、Ｔ−ＤＡＩおよび伝送ブロックの個数と、コードブックサイズとの対応関係に基づいて、ＨＡＲＱのフィードバック情報のコードブックサイズを確定する。または、周波数領域と時間領域のＣ−ＤＡＩ、Ｔ−ＤＡＩおよび伝送ブロックの個数に対し所定の演算をし、演算結果をＨＡＲＱのフィードバック情報のコードブックサイズとしてもよい。
【０１２０】
選択可能に、上記実施形態において、上記のＵＥが目標情報に基づいて前記ＨＡＲＱのフィードバック情報のコードブックサイズを確定することは、前記ＵＥが、時間領域のＣ−ＤＡＩ、Ｔ−ＤＡＩ、配置搬送波の個数および伝送ブロックの個数に基づいて、前記ＨＡＲＱのフィードバック情報のコードブックサイズを確定することを含む。または、当該実施形態において、時間領域のＣ−ＤＡＩ、Ｔ−ＤＡＩ、配置搬送波の個数および伝送ブロックの個数と、コードブックサイズとの対応関係に基づいて、ＨＡＲＱのフィードバック情報のコードブックサイズを確定する。または、時間領域のＣ−ＤＡＩ、Ｔ−ＤＡＩ、配置搬送波の個数および伝送ブロックの個数に対し所定の演算をし、演算結果をＨＡＲＱのフィードバック情報のコードブックサイズとしてもよい。例えば、時間領域のＣ−ＤＡＩが５、Ｔ−ＤＡＩが５、配置搬送波の個数が５、伝送ブロックの個数が２であることから、コードブックサイズは、５×５×２＝５０ビットであると確定できる。
【０１２１】
選択可能に、上記実施形態において、上記のＵＥが目標情報に基づいて前記ＨＡＲＱのフィードバック情報のコードブックサイズを確定することは、前記ＵＥが、ダウンリンクプロセス数、配置搬送波の個数および伝送ブロックの個数に基づいて、前記ＨＡＲＱのフィードバック情報のコードブックサイズを確定することを含む。
【０１２２】
当該実施形態において、ダウンリンクプロセス数、配置搬送波の個数および伝送ブロックの個数と、コードブックサイズとの対応関係に基づいて、ＨＡＲＱのフィードバック情報のコードブックサイズを確定する。または、ダウンリンクプロセス数、配置搬送波の個数および伝送ブロックの個数に対し所定の演算をし、演算結果を前記ＨＡＲＱのフィードバック情報のコードブックサイズとしてもよい。例えば、ダウンリンクプロセス数が１６、配置搬送波の個数が５、伝送ブロックの個数が１であると、ＨＡＲＱ−ＡＣＫフィードバック情報のコードブックサイズは、１６×５×１＝８０ビットであると確定できる。
【０１２３】
選択可能に、上記実施形態において、上記のＵＥが目標情報に基づいて前記ＨＡＲＱのフィードバック情報のコードブックサイズを確定することは、前記ＵＥが、所定のパラメータ、配置搬送波の個数および伝送ブロックの個数に基づいて、前記ＨＡＲＱのフィードバック情報のコードブックサイズを確定することを含む。
【０１２４】
当該実施形態において、所定のパラメータ、配置搬送波の個数および伝送ブロックの個数と、コードブックサイズとの対応関係に基づいて、ＨＡＲＱのフィードバック情報のコードブックサイズを確定する。または、所定のパラメータ、配置搬送波の個数および伝送ブロックの個数に対し所定の演算をし、演算結果を前記ＨＡＲＱのフィードバック情報のコードブックサイズとしてもよい。例えば、所定のパラメータが１６、配置搬送波の個数が５、伝送ブロックの個数が１であると、ＨＡＲＱ−ＡＣＫフィードバック情報のコードブックサイズは、１６×５×１＝８０ビットであると確定できる。
【０１２５】
選択可能に、上記実施形態において、上記のＵＥが目標情報に基づいて前記ＨＡＲＱのフィードバック情報のコードブックサイズを確定することは、前記ＵＥが、基地局から通知されるフィードバックウィンドウサイズ、配置搬送波の個数および伝送ブロックの個数に基づいて、前記ＨＡＲＱのフィードバック情報のコードブックサイズを確定することを含む。
【０１２６】
当該実施形態において、基地局から通知されるフィードバックウィンドウサイズ、配置搬送波の個数および伝送ブロックの個数と、コードブックサイズとの対応関係に基づいて、ＨＡＲＱのフィードバック情報のコードブックサイズを確定する。または、基地局から通知されるフィードバックウィンドウサイズ、配置搬送波の個数および伝送ブロックの個数に対し所定の演算をし、演算結果を前記ＨＡＲＱのフィードバック情報のコードブックサイズとしてもよい。例えば、基地局から通知されるフィードバックウィンドウサイズが８、配置搬送波の個数が５、伝送ブロックの個数が１であると、ＨＡＲＱ−ＡＣＫフィードバック情報のコードブックサイズは、８×５×１＝４０ビットであると確定できる。
【０１２７】
選択可能に、上記実施形態において、前記伝送ブロックの個数は、搬送波に使用される伝送方式および／または前記基地局の配置によって確定される。
【０１２８】
当該実施形態において、前記伝送ブロックの個数が搬送波に使用される伝送方式によって確定される場合、搬送波に使用される伝送方式がシングルコードワードに対応すると、伝送ブロックの個数は、１であるが、搬送波に使用される伝送方式がマルチコードワードに対応すると、伝送ブロックの個数は、２である。前記伝送ブロックの個数が基地局の配置によって確定される場合、基地局は、ＨＡＲＱ−ＡＣＫフィードバック情報において各搬送波の各サブフレームで１ビットそれとも２ビットの情報をフィードバックするかをハイレイヤシグナリングによって指示する。伝送ブロックの個数が搬送波に使用される伝送方式と前記基地局の配置によって確定される場合、基地局は、異なるコードブロックに対するフィードバックビットの合併を行うかを、ハイレイヤシグナリングによって指示する。合併が必要である場合、各搬送波の各サブフレームでは、いずれも１ビットしかフィードバックしない。合併が必要ではない場合、伝送方式がシングルコードワードに対応する搬送波では、各サブフレームで１ビットをフィードバックするが、伝送方式がマルチコードワードに対応する搬送波では、各サブフレームで２ビットをフィードバックする。
【０１２９】
選択可能に、上記実施形態において、上記のＵＥが前記コードブックサイズに基づいて前記ＨＡＲＱのフィードバック情報を生成することは、前記ＵＥが、少なくとも１つの搬送波のフィードバックビットを搬送波番号に従ってカスケードして前記コードブックサイズのコードブックを得ることによって、前記ＨＡＲＱのフィードバック情報を生成することを含む。ここで、各搬送波のフィードバックビットがプロセス番号順にされている。
【０１３０】
当該実施形態において、１つまたは複数の搬送波のフィードバックビットを搬送波番号に従ってカスケードして前記コードブックサイズのコードブックを得ることによって、前記ＨＡＲＱのフィードバック情報を生成することが実現される。また、各搬送波のフィードバックビットがプロセス順であるため、各搬送波の複数のプロセスのフィードバックビットを基地局にフィードバックすることが実現される。例えば、コードブックサイズが８０である場合、基地局は、搬送波６〜９でプロセス１〜４、搬送波１０でプロセス３、５、８、１２をスケジューリングすることを仮定する。ＵＥが全てのダウンリンクデータと指示情報を正しく受信したとすると、ＵＥは、搬送波６〜９に対しそれぞれ１１１１００００００００００００のフィードバックビットを生成し、搬送波１０に対し００１０１００１０００１００００のフィードバックビットを生成する。それから、搬送波番号に従って各搬送波のフィードバックビットをカスケードして、ＨＡＲＱ−ＡＣＫフィードバック情報のコードブックを得る。該コードブックは、計８０ビットが含まれる。
【０１３１】
選択可能に、上記実施形態において、上記のＵＥが前記コードブックサイズに基づいて前記ＨＡＲＱのフィードバック情報を生成することは、前記ＵＥが、前記ＨＡＲＱのフィードバックビットを周波数領域と時間領域のＣ−ＤＡＩ順にして前記コードブックサイズのコードブックを得ることによって、前記ＨＡＲＱのフィードバック情報を生成することを含む。
【０１３２】
当該実施形態において、前記ＨＡＲＱのフィードバックビットを周波数領域と時間領域のＣ−ＤＡＩ順にして、前記ＨＡＲＱのフィードバック情報を生成することが実現される。時間領域が先、周波数領域が後の順であってもよく、周波数領域が先、時間領域が後の順であってもよいが、これについて、本実施例では限定しない。
【０１３３】
選択可能に、上記実施形態において、上記のＵＥが前記コードブックサイズに基づいて前記ＨＡＲＱのフィードバック情報を生成することは、前記ＵＥが、少なくとも１つの搬送波のフィードバックビットを搬送波番号に従ってカスケードして前記コードブックサイズのコードブックを得ることによって、前記ＨＡＲＱのフィードバック情報を生成することを含み、各搬送波のフィードバックビットが時間領域のＣ−ＤＡＩ順にされている。
【０１３４】
当該実施形態において、１つまたは複数の搬送波のフィードバックビットを搬送波番号に従ってカスケードして前記コードブックサイズのコードブックを得ることによって、前記ＨＡＲＱのフィードバック情報を生成することが実現される。また、各搬送波のフィードバックビットがプロセス番号順であるため、各搬送波の複数のサブフレームのフィードバックビットを基地局にフィードバックすることが実現される。
【０１３５】
選択可能に、前記ＵＥが基地局から指示情報を受信することは、前記ＵＥが、前記基地局から送信される複数の前記指示情報を１つまたは複数の搬送波上で同一のダウンリンクサブフレームで受信することを含む。各指示情報は、異なる搬送波でＨＡＲＱのフィードバック情報の伝送に用いられる伝送サブフレームを指示することに用いられる。すなわち、ステップ２０１で受信する指示情報は、複数の指示情報である。例えば、基地局は、搬送波８、９、１０のサブフレーム６でそれぞれ指示情報を送信し、搬送波８、９、１０のサブフレーム１０がＨＡＲＱのフィードバック情報の伝送に用いられる伝送サブフレームであると指示する。
【０１３６】
当該実施形態において、上記のＵＥが前記ＨＡＲＱのフィードバック情報を前記伝送サブフレームで前記基地局に伝送することは、前記ＵＥが、前記複数の指示情報に指示される複数の搬送波の伝送サブフレームで同一の前記ＨＡＲＱのフィードバック情報を前記基地局に伝送することを含む。
【０１３７】
当該実施形態において、複数の伝送サブフレームで同一のＨＡＲＱのフィードバック情報を基地局に伝送することが実現され、フィードバック情報伝送の正確度が向上する。もちろん、場合によっては、複数の伝送サブフレームによって共同で前記ＨＡＲＱのフィードバック情報の伝送を完成してもよい。例えば、上記コードブックサイズが８０である場合、搬送波６〜９でプロセス１〜５がスケジューリングされ、搬送波１０でプロセス３、５、８、１２、１３がスケジューリングされ、搬送波７のサブフレーム９は、ＨＡＲＱのフィードバック情報の伝送に用いられる伝送サブフレームであり、搬送波８のサブフレーム１０は、ＨＡＲＱのフィードバック情報の伝送に用いられる伝送サブフレームである。仮にＵＥが全てのダウンリンクデータと指示情報を正しく受信したとすると、ＵＥは、まずサブフレーム９のフィードバック情報を生成し、該フィードバック情報は、搬送波６〜９に対する１１１１００００００００００００のフィードバックビットと搬送波１０に対する００１０１００１０００１００００のフィードバックビットが含まれる。サブフレーム９の伝送が成功すると、ＵＥは、サブフレーム１０において搬送波６〜９に対しそれぞれ００００１０００００００００００のフィードバックビットを生成し、搬送波１０に対し００００００００００００１０００のフィードバックビットを生成することによって、サブフレーム９と１０で共同で前記ＨＡＲＱのフィードバック情報の伝送を完成する。もちろん、端末は、サブフレーム９でのＬＢＴ検出に失敗し、ＨＡＲＱ−ＡＣＫフィードバック情報を伝送しない場合、サブフレーム１０において搬送波６〜９に対しそれぞれ１１１１１０００００００００００のフィードバックビットを生成し、搬送波１０に対し００１０１００１０００１１０００のフィードバックビットを生成することによって、前記ＨＡＲＱのフィードバック情報の伝送を実現する。
【０１３８】
選択可能に、当該実施形態において、上記のＵＥが前記ＨＡＲＱのフィードバック情報を前記伝送サブフレームで前記基地局に伝送することは、前記ＵＥが、前記複数の指示情報に指示される伝送サブフレームのうちの１つまたは複数のサブフレームである特定伝送サブフレームで前記ＨＡＲＱのフィードバック情報を前記基地局に伝送することを含む。
【０１３９】
当該実施形態において、複数の伝送サブフレームのうちの１つのサブフレームでＨＡＲＱのフィードバック情報を伝送することが実現され、ネットワークの伝送リソースを節約する。
【０１４０】
選択可能に、上記実施形態において、前記基地局から前記ＵＥに対しアップリンク制御情報搬送波群が設定されている場合、前記ＨＡＲＱのフィードバック情報は、前記アップリンク制御情報搬送波群のうちの搬送波のダウンリンクサブフレームに対応するＨＡＲＱのフィードバック情報である。
【０１４１】
当該実施形態において、ＵＥによって伝送されるＨＡＲＱのフィードバック情報は、同一のアップリンク制御情報搬送波群のうちの搬送波のダウンリンクサブフレームに対応するＨＡＲＱのフィードバック情報であることが実現され、具体的に、当該アップリンク制御情報搬送波群のうちの全ての搬送波のダウンリンクサブフレームに対応するＨＡＲＱのフィードバック情報である。
【０１４２】
選択可能に、上記のＵＥが前記ＨＡＲＱのフィードバック情報を特定伝送サブフレームで前記基地局に伝送することは、前記ＵＥが、前記基地局により事前設定される搬送波に属する伝送サブフレームを、前記複数の指示情報に指示される伝送サブフレームから選択し、当該伝送サブフレームで前記ＨＡＲＱのフィードバック情報を前記基地局に伝送することを含む。
【０１４３】
ここで、上記基地局の事前設定について、ＵＥは、基地局から送信される配置シグナリングを予め受信することである。当該配置シグナリングは、ＨＡＲＱのフィードバック情報の伝送用の搬送波が指示される。よって、ＵＥは、基地局により事前設定される搬送波に属する伝送サブフレームを、複数の指示情報に指示される伝送サブフレームから選択することができる。
【０１４４】
選択可能に、上記のＵＥが前記ＨＡＲＱのフィードバック情報を特定伝送サブフレームで前記基地局に伝送することは、前記ＵＥが、前記複数の指示情報に指示される伝送サブフレームから番号最小の搬送波の伝送サブフレームを選択し、当該伝送サブフレームで前記ＨＡＲＱのフィードバック情報を前記基地局に伝送することを含む。
【０１４５】
当該実施形態において、番号最小の搬送波の伝送サブフレームを選択してＨＡＲＱのフィードバック情報を基地局に伝送することができる。
【０１４６】
選択可能に、上記のＵＥが前記ＨＡＲＱのフィードバック情報を特定の伝送サブフレームで前記基地局に伝送することは、前記ＵＥが、前記基地局から送信される動的指示に基づいて、前記複数の指示情報に指示される伝送サブフレームから１つまたは複数の伝送サブフレームを選択し、当該選択した伝送サブフレームで前記ＨＡＲＱのフィードバック情報を前記基地局に伝送することを含む。
【０１４７】
当該実施形態において、上記動的指示は、基地局からＵＥに送信されるシグナリングである。当該シグナリングは、前記ＨＡＲＱのフィードバック情報の伝送に用いられる伝送サブフレームをＵＥに指示する。
【０１４８】
選択可能に、当該実施形態において、上記動的指示は、ＨＡＲＱのフィードバック情報のトリガーシグナリングが付帯されているアップリンクスケジューリングシグナリングである。
【０１４９】
当該実施形態において、アップリンクスケジューリングシグナリングに付帯されているトリガーシグナリングによって、ＵＥが前記ＨＡＲＱのフィードバック情報の伝送に用いられる伝送サブフレームを選択することが実現される。具体的に、当該アップリンクスケジューリングシグナリングを送信する搬送波の伝送サブフレームで上記ＨＡＲＱのフィードバック情報を伝送する。
【０１５０】
選択可能に、上記のＵＥが前記ＨＡＲＱのフィードバック情報を前記伝送サブフレームで前記基地局に伝送することは、前記ＵＥが、前記伝送サブフレームに対しＬＢＴ検出を行い、前記ＬＢＴ検出が成功すると、前記ＨＡＲＱのフィードバック情報を前記伝送サブフレームで前記基地局に伝送することを含む。
【０１５１】
当該実施形態において、ＵＥのＬＢＴ検出が成功すると、ＵＥは、前記伝送サブフレームでＨＡＲＱのフィードバック情報を伝送する。または、ＬＢＴ検出が失敗すると、ＵＥは、前記伝送サブフレームでＨＡＲＱのフィードバック情報を伝送しない。もちろん、ＵＥは、複数の上記指示情報を受信した場合、そのうちの１つの指示情報に指示される伝送サブフレームのＬＢＴ検出が失敗しても、他の指示情報に指示される伝送サブフレームでＨＡＲＱのフィードバック情報を伝送することができる。
【０１５２】
選択可能に、上記の前記ＵＥが前記ＨＡＲＱのフィードバック情報を前記伝送サブフレームで前記基地局に伝送することは、前記ＵＥが、前記ＨＡＲＱのフィードバック情報のみを前記伝送サブフレームで前記基地局に伝送することを含む。
【０１５３】
当該実施形態において、上記伝送サブフレームでＨＡＲＱのフィードバック情報のみを伝送し、アップリンクデータなどのほかの情報を伝送しないことが実現される。例えば、上記伝送サブフレームがアップリンクスケジューリングシグナリングによってスケジューリングされるサブフレームである場合、当該サブフレームでは、ＨＡＲＱのフィードバック情報のみを伝送する。または、上記伝送サブフレームがＨＡＲＱのフィードバック情報をスケジューリングするシグナリングによってスケジューリングされるサブフレームである場合、当該サブフレームでは、ＨＡＲＱのフィードバック情報のみを伝送する。
【０１５４】
選択可能に、上記の前記ＵＥが前記ＨＡＲＱのフィードバック情報を前記伝送サブフレームで前記基地局に伝送することは、前記ＵＥが、前記ＨＡＲＱのフィードバック情報とアップリンクデータを前記伝送サブフレームで前記基地局に伝送することを含む。
【０１５５】
当該実施形態において、ＨＡＲＱのフィードバック情報とアップリンクデータを上記伝送サブフレームで伝送することが実現され、ネットワークリソースの利用率が向上する。例えば、上記伝送サブフレームがアップリンクスケジューリングシグナリングによってスケジューリングされるサブフレームである場合、当該サブフレームでは、ＨＡＲＱのフィードバック情報とアップリンクデータを伝送する。または、上記伝送サブフレームがＨＡＲＱのフィードバック情報をスケジューリングするシグナリングによってスケジューリングされるサブフレームである場合、当該サブフレームでは、ＨＡＲＱのフィードバック情報とアップリンクデータを伝送する。
【０１５６】
選択可能に、当該実施形態において、前記ＵＥが前記ＨＡＲＱのフィードバック情報とアップリンクデータを前記伝送サブフレームで前記基地局に伝送する場合、前記ＨＡＲＱのフィードバック情報は、前記伝送サブフレームにおいてパイロット両側のアップリンクデータ伝送用のシンボルにマッピングされる。
【０１５７】
当該実施形態において、ＨＡＲＱのフィードバック情報が前記伝送サブフレームにおいてパイロット両側のアップリンクデータ伝送用のシンボルにマッピングされるため、ＨＡＲＱのフィードバック情報は、パイロット両側でアップリンクデータのホールパンチング（Ｈｏｌｅ  ｐｕｎｃｈｉｎｇ）伝送が実現される。
【０１５８】
選択可能に、当該実施形態において、上記のＵＥが前記ＨＡＲＱのフィードバック情報とアップリンクデータを前記伝送サブフレームで前記基地局に伝送する場合、前記ＨＡＲＱのフィードバック情報と前記アップリンクデータの多重化伝送が行われる。
【０１５９】
当該実施形態において、上記ＨＡＲＱのフィードバック情報と前記アップリンクデータの多重化伝送は、上記伝送サブフレームで多重化方式によって前記ＨＡＲＱのフィードバック情報と前記アップリンクデータを基地局に伝送することによって、ネットワーク伝送リソースの利用率を向上させる。
【０１６０】
選択可能に、上記ＨＡＲＱのフィードバック情報と前記アップリンクデータの多重化伝送とは、前記ＵＥが、前記ＨＡＲＱのフィードバック情報の符号化ビットと前記アップリンクデータの符号化ビットをカスケードし、カスケードされた符号化ビットを前記基地局に指示される変調次数に基づいて変調し、変調結果を時間領域が先、周波数領域が後の方式で前記伝送サブフレームのリソースにマッピングすることである。
【０１６１】
ここで、上記基地局に指示される変調次数は、予め指示されてもよく、臨時的に指示されてもよい。当該実施形態において、上記変調結果を時間領域が先、周波数領域が後の方式で前記伝送サブフレームのリソースにマッピングするため、上記伝送サブフレームでＨＡＲＱのフィードバック情報と前記アップリンクデータの多重化伝送が実現される。
【０１６２】
選択可能に、上記ＨＡＲＱのフィードバック情報と前記アップリンクデータの多重化伝送とは、前記ＵＥが、前記ＨＡＲＱのフィードバック情報の符号化ビットと前記アップリンクデータの符号化ビットをカスケードし、カスケードされた符号化ビットをインタリーブし、インタリーブ結果を前記基地局に指示される変調次数に基づいて変調し、変調結果を時間領域が先、周波数領域が後の方式で前記伝送サブフレームのリソースにマッピングすることである。
【０１６３】
当該実施形態において、前記ＨＡＲＱのフィードバック情報の符号化ビットと前記アップリンクデータの符号化ビットとのカスケーディング符号をインタリーブするため、ＨＡＲＱのフィードバック情報とアップリンクデータの伝送の伝送性能が向上する。上記変調結果を時間領域が先、周波数領域が後の方式で前記伝送サブフレームのリソースにマッピングするため、上記伝送サブフレームでＨＡＲＱのフィードバック情報と前記アップリンクデータの多重化伝送が実現される。
【０１６４】
選択可能に、上記のＵＥが前記ＨＡＲＱのフィードバック情報とアップリンクデータを前記伝送サブフレームで前記基地局に伝送する場合、前記ＨＡＲＱのフィードバック情報の変調シンボルは、前記伝送サブフレームにおいてパイロット両側のｙ（１以上の正の整数）個のシンボルにマッピングされ、前記アップリンクデータの変調シンボルは、前記伝送サブフレームのうち、パイロットと前記変調シンボルに占用されるリソース以外のリソースにマッピングされる。
【０１６５】
当該実施形態において、上記のパイロットと前記変調シンボルに占用されるリソースは、パイロットと前記変調シンボルに占用されるリソース単位ＲＥ（Ｒｅｓｏｕｒｃｅ  Ｅｌｅｍｅｎｔ）と理解される。すなわち、上記アップリンクデータの変調シンボルは、上記伝送サブフレームのうち、パイロットと前記変調シンボルに占用されるＲＥリソース以外のＲＥリソースにマッピングされる。また、上記伝送サブフレームでＨＡＲＱのフィードバック情報のみが伝送される場合、ＨＡＲＱのフィードバック情報が、個別に伝送サブフレームのうちすべての利用可能なＲＥリソースにマッピングされて伝送される。
【０１６６】
本実施例において、ＵＥは、搬送波のうちＨＡＲＱのフィードバック情報の伝送に用いられる伝送サブフレームを指示するための指示情報を基地局から受信し、ＨＡＲＱのフィードバック情報を生成し、前記ＨＡＲＱのフィードバック情報を前記伝送サブフレームで前記基地局に伝送する。よって、ＨＡＲＱのフィードバック情報の伝送を実現することができる。
【０１６７】
図１に示すネットワーク構造に基づき、本開示の実施例による別のＨＡＲＱのフィードバック情報の伝送方法において、図３に示されているように、基地局が、搬送波のうちＨＡＲＱのフィードバック情報の伝送に用いられる伝送サブフレームを指示するための指示情報をＵＥに送信するステップ３０１と、基地局が、前記ＵＥによって生成されて前記伝送サブフレームで伝送されるＨＡＲＱのフィードバック情報を前記ＵＥから受信するステップ３０２とを含む。
【０１６８】
選択可能に、前記ＨＡＲＱのフィードバック情報は、ＨＡＲＱの肯定応答（ＡＣＫ）フィードバック情報またはＨＡＲＱの否定応答（ＮＡＣＫ）フィードバック情報を含む。
【０１６９】
選択可能に、前記指示情報は、物理アップリンクチャネル伝送をスケジューリングするアップリンクスケジューリングシグナリングである。
【０１７０】
選択可能に、前記アップリンクスケジューリングシグナリングは、前記アップリンクスケジューリングシグナリングによってスケジューリングされるサブフレームで前記ＨＡＲＱのフィードバック情報が伝送されるか否かを、ｘ（１以上の正の整数）ビットで指示する。
【０１７１】
選択可能に、前記ＨＡＲＱのフィードバック情報は、前記アップリンクスケジューリングシグナリングでスケジューリングするサブフレームより３つ前のサブフレーム前の、ＨＡＲＱのフィードバックが行われない全てのダウンリンクサブフレームにおいて前記ＵＥにより生成されるＨＡＲＱのフィードバック情報を含む。
【０１７２】
選択可能に、前記アップリンクスケジューリングシグナリングは、特定のビットフィールド設定によって、前記アップリンクスケジューリングシグナリングによってスケジューリングされるサブフレームでＨＡＲＱのフィードバック情報のみを伝送することを指示する。
【０１７３】
選択可能に、前記指示情報は、ＨＡＲＱのフィードバック情報の伝送をスケジューリングするシグナリングである。
【０１７４】
選択可能に、前記シグナリングは、前記シグナリングによってスケジューリングされるサブフレームで前記ＨＡＲＱのフィードバック情報が伝送されるか否かを、ｘ（１以上の正の整数）ビットで指示する。
【０１７５】
選択可能に、前記ＨＡＲＱのフィードバック情報は、前記ＵＥが、前記ＵＥによって確定された前記ＨＡＲＱのフィードバック情報のコードブックサイズに基づいて生成した前記ＨＡＲＱのフィードバック情報を含む。
【０１７６】
選択可能に、前記コードブックサイズは、前記ＵＥが目標情報に基づいて確定した前記ＨＡＲＱのフィードバック情報のコードブックサイズである。ここで、前記目標情報は、ダウンリンクプロセス数、配置搬送波の個数、時間領域のＣ−ＤＡＩ、Ｔ−ＤＡＩ、所定のパラメータ、基地局から通知されるフィードバックウィンドウサイズ、伝送ブロックの個数、および周波数領域と時間領域のＣ−ＤＡＩのうちの１つまたは複数を含む。
【０１７７】
選択可能に、前記コードブックサイズは、前記ＵＥが周波数領域と時間領域のＣ−ＤＡＩ、Ｔ−ＤＡＩおよび伝送ブロックの個数に基づいて確定した前記ＨＡＲＱのフィードバック情報のコードブックサイズ、または、前記ＵＥが時間領域のＣ−ＤＡＩ、Ｔ−ＤＡＩ、配置搬送波の個数および伝送ブロックの個数に基づいて確定した前記ＨＡＲＱのフィードバック情報のコードブックサイズ、または、前記ＵＥがダウンリンクプロセス数、配置搬送波の個数および伝送ブロックの個数に基づいて確定した前記ＨＡＲＱのフィードバック情報のコードブックサイズ、または、前記ＵＥが所定のパラメータ、配置搬送波の個数および伝送ブロックの個数に基づいて確定した前記ＨＡＲＱのフィードバック情報のコードブックサイズ、または、前記ＵＥが基地局から通知されるフィードバックウィンドウサイズ、配置搬送波の個数および伝送ブロックの個数に基づいて確定した前記ＨＡＲＱのフィードバック情報のコードブックサイズを含む。
【０１７８】
選択可能に、前記伝送ブロックの個数は、搬送波に使用される伝送方式および／または前記基地局の配置によって確定される。
【０１７９】
選択可能に、前記ＨＡＲＱのフィードバック情報は、前記ＵＥが、少なくとも１つの搬送波のフィードバックビットを搬送波番号に従ってカスケードして前記コードブックサイズのコードブックを得ることによって生成する前記ＨＡＲＱのフィードバック情報、ここで、各搬送波のフィードバックビットがプロセス番号順にされている、または、前記ＵＥが、前記ＨＡＲＱのフィードバックビットを周波数領域と時間領域のＣ−ＤＡＩ順にして前記コードブックサイズのコードブックを得ることによって生成する前記ＨＡＲＱのフィードバック情報、または、前記ＵＥが、少なくとも１つの搬送波のフィードバックビットを搬送波番号に従ってカスケードして前記コードブックサイズのコードブックを得ることによって生成する前記ＨＡＲＱのフィードバック情報を含み、ここで、各搬送波のフィードバックビットが時間領域のＣ−ＤＡＩ順にされている。
【０１８０】
選択可能に、基地局がＵＥに指示情報を送信することは、前記基地局が、複数の前記指示情報を１つまたは複数の搬送波上で同一のダウンリンクサブフレームで前記ＵＥに送信することを含む。各指示情報は、異なる搬送波でＨＡＲＱのフィードバック情報の伝送に用いられる伝送サブフレームを指示することに用いられる。前記基地局が、前記ＵＥから前記伝送サブフレームで伝送されるＨＡＲＱのフィードバック情報を受信することは、前記基地局が、前記ＵＥから、前記複数の指示情報に指示される複数の搬送波の伝送サブフレームで伝送される同一の前記ＨＡＲＱのフィードバック情報を受信すること、または、前記基地局が、前記ＵＥから、前記複数の指示情報に指示される伝送サブフレームのうちの１つまたは複数のサブフレームである特定伝送サブフレームで伝送される前記ＨＡＲＱのフィードバック情報を受信することを含む。
【０１８１】
選択可能に、前記基地局から前記ＵＥに対しアップリンク制御情報搬送波群が設定されている場合、前記ＨＡＲＱのフィードバック情報は、前記アップリンク制御情報搬送波群のうちの搬送波のダウンリンクサブフレームに対応するＨＡＲＱのフィードバック情報である。
【０１８２】
選択可能に、前記基地局が、前記ＵＥから、特定伝送サブフレームで伝送される前記ＨＡＲＱのフィードバック情報を受信することは、前記基地局が、前記ＵＥから、少なくとも１つの伝送サブフレームで伝送される前記ＨＡＲＱのフィードバック情報を受信することを含む。ここで、当該少なくとも１つの伝送サブフレームは、前記ＵＥが、前記複数の指示情報に指示される伝送サブフレームから選択され、前記基地局により事前設定される搬送波に属する伝送サブフレームである。
または、前記基地局が、前記ＵＥから、１つの伝送サブフレームで伝送される前記ＨＡＲＱのフィードバック情報を受信することを含む。ここで、当該伝送サブフレームは、前記ＵＥが、前記複数の指示情報に指示される伝送サブフレームから選択した番号最小の搬送波の伝送サブフレームである。
または、前記基地局が、前記ＵＥから、少なくとも１つの伝送サブフレームで伝送される前記ＨＡＲＱのフィードバック情報を受信することを含む。ここで、当該少なくとも１つの伝送サブフレームは、前記ＵＥが、前記基地局から送信される動的指示に基づいて、前記複数の指示情報に指示される伝送サブフレームから選択した１つまたは複数の伝送サブフレームである。
【０１８３】
選択可能に、前記動的指示は、ＨＡＲＱのフィードバック情報のトリガーシグナリングが付帯されているアップリンクスケジューリングシグナリングである。
【０１８４】
選択可能に、前記ＵＥから前記ＨＡＲＱのフィードバック情報を前記伝送サブフレームで前記基地局に伝送することは、前記ＵＥが、前記伝送サブフレームに対しＬＢＴ検出を行い、前記ＬＢＴ検出が成功すると、前記ＨＡＲＱのフィードバック情報を前記伝送サブフレームで前記基地局に伝送することを含む。
【０１８５】
選択可能に、前記基地局が前記ＵＥから前記伝送サブフレームで伝送される前記ＨＡＲＱのフィードバック情報を受信することは、前記基地局が、前記ＵＥから、前記ＨＡＲＱのフィードバック情報のみが伝送される前記伝送サブフレームで伝送される前記ＨＡＲＱのフィードバック情報を受信すること、または、前記基地局が、前記ＵＥから、前記伝送サブフレームで伝送される前記ＨＡＲＱのフィードバック情報とアップリンクデータを受信することを含む。
【０１８６】
選択可能に、前記ＵＥが前記ＨＡＲＱのフィードバック情報とアップリンクデータを前記伝送サブフレームで前記基地局に伝送する場合、前記ＨＡＲＱのフィードバック情報は、前記伝送サブフレームにおいてパイロット両側のアップリンクデータ伝送用のシンボルにマッピングされる。または、前記ＵＥが前記ＨＡＲＱのフィードバック情報とアップリンクデータを前記伝送サブフレームで前記基地局に伝送する場合、前記ＨＡＲＱのフィードバック情報と前記アップリンクデータの多重化伝送が行われる。または、前記ＵＥが前記ＨＡＲＱのフィードバック情報とアップリンクデータを前記伝送サブフレームで前記基地局に伝送する場合、前記ＨＡＲＱのフィードバック情報の変調シンボルは、前記伝送サブフレームにおいてパイロット両側のｙ（１以上の正の整数）個のシンボルにマッピングされ、前記アップリンクデータの変調シンボルは、前記伝送サブフレームのうち、パイロットと前記変調シンボルに占用されるリソース以外のリソースにマッピングされる。
【０１８７】
選択可能に、前記ＨＡＲＱのフィードバック情報と前記アップリンクデータの多重化伝送とは、前記ＵＥが、前記ＨＡＲＱのフィードバック情報の符号化ビットと前記アップリンクデータの符号化ビットをカスケードし、カスケードされた符号化ビットを前記基地局に指示される変調次数に基づいて変調し、変調結果を時間領域が先、周波数領域が後の方式で前記伝送サブフレームのリソースにマッピングすることである。または、前記ＨＡＲＱのフィードバック情報と前記アップリンクデータの多重化伝送とは、前記ＵＥが、前記ＨＡＲＱのフィードバック情報の符号化ビットと前記アップリンクデータの符号化ビットをカスケードし、カスケードされた符号化ビットをインタリーブし、インタリーブ結果を前記基地局に指示される変調次数に基づいて変調し、変調結果を時間領域が先、周波数領域が後の方式で前記伝送サブフレームのリソースにマッピングすることである。
【０１８８】
なお、本実施例は、図２に示す実施例に対応する基地局側の実施形態として、その具体的な実施形態について、図２に示す実施例の関連説明を参照できる。重複な説明を避けるために、本実施例は、繰り返して記載しない。本実施例において、同様にＨＡＲＱのフィードバック情報伝送による効果を実現することができる。
【０１８９】
以下、複数の例によって以上の実施例で紹介した実施形態を例示して説明する。
例１
【０１９０】
ＵＥが１０個の搬送波をアグリゲートし、そのうち搬送波１は、ライセンスド主搬送波であり、搬送波２〜１０は、アンライセンス搬送波である。搬送波１〜５を搬送波群Ａ、搬送波６〜１０を搬送波群Ｂとする。搬送波群Ａでは、ＵＥは、従来のＣＡ方法でＨＡＲＱのフィードバック情報を基地局に伝送する。当該例では、主に搬送波群ＢでのＨＡＲＱのフィードバック情報の伝送を例示して説明する。
【０１９１】
ダウンリンクでは最大で１６個のプロセスをサポートすることを仮定し、基地局は、搬送波６〜１０のサブフレーム１〜３とサブフレーム５〜６でいずれもシングルコードワードのダウンリンク伝送をスケジューリングし、同時に搬送波７のサブフレーム５で指示情報を送信し、搬送波７のサブフレーム９がＨＡＲＱのフィードバック情報の伝送サブフレームであるとＵＥに指示する。基地局は、さらに搬送波８のサブフレーム６で指示情報を送信し、搬送波８のサブフレーム１０がＨＡＲＱのフィードバック情報の伝送サブフレームであるとＵＥに指示する。
【０１９２】
ＵＥは、指示情報を受信すると、最大プロセス番号１６、配置搬送波の個数５および伝送ブロックの個数１から、ＨＡＲＱ−ＡＣＫフィードバック情報のコードブックサイズが１６×５×１＝８０であると確定する。ＵＥは、プロセス番号が先、搬送波番号が後の順に、伝送ブロックの対応するフィードバックビットをＨＡＲＱのフィードバック情報のコードブックに逐一マッピングする。基地局が搬送波６〜９でプロセス１〜５を、搬送波１０でプロセス３、５、８、１２、１３をスケジューリングすることを仮定する。ＵＥは、全てのダウンリンクデータと指示情報を正しく受信したとすると、まずサブフレーム９のフィードバック情報を生成し、該フィードバック情報は、搬送波６〜９に対する１１１１００００００００００００のフィードバックビットと、搬送波１０に対する００１０１００１０００１００００のフィードバックビットが含まれる。それから、搬送波番号順に、各搬送波のフィードバックビットをカスケードして、ＨＡＲＱのフィードバック情報のコードブックを得る。ここで、コードブックは、計８０ビットが含まれる。ＵＥがＨＡＲＱ−ＡＣＫフィードバック情報のみを伝送する際にＬＢＴを行う必要がない場合、直接フィードバックビットを伝送する。そうでなければ、まず搬送波７のサブフレーム９の前にＬＢＴを行う。ＬＢＴが成功してから伝送が行われる。そうでなければ、現在のサブフレームで伝送が行われない。前記ＨＡＲＱのフィードバック情報は、ＨＡＲＱ−ＡＣＫフィードバック情報の伝送サブフレームにおいて、サブフレーム９の全ての利用可能なＲＥリソースにマッピングされて伝送される。前記ＨＡＲＱのフィードバック情報は、ＨＡＲＱ−ＡＣＫフィードバック情報の伝送サブフレームで利用可能な物理リソースブロックＰＲＢ（Ｐｈｙｓｉｃａｌ  Ｒｅｓｏｕｒｃｅ  Ｂｌｏｃｋ）の数を１０とすると、利用可能なＲＥリソース数は、１２×（１４−２）×１０＝１４４０である。得られた８０ビットのＨＡＲＱのフィードバック情報を、テールバイティングインタリーブ符号化ＴＢＣＣ（Ｔａｉｌ  Ｂｉｔｉｎｇ  ＣＣ）の後に変調し、それから変調シンボルを、割り当てられた１４４０個のＲＥリソースに逐一マッピングして伝送する。
【０１９３】
ここで、ＵＥがサブフレーム１０にフィードバック情報を生成することは、下記２つのケースを含む。
ケース１：ＵＥは、サブフレーム９でＨＡＲＱのフィードバック情報を正しく伝送した場合、サブフレーム１０で搬送波６〜９に対しそれぞれ００００１０００００００００００のフィードバックビットを生成し、搬送波１０に対し００００００００００００１０００のフィードバックビットを生成し、それから搬送波番号順に、各搬送波のフィードバックビットをカスケードして、ＨＡＲＱのフィードバック情報のコードブックを得る。該コードブックは、計８０ビットが含まれる。
ケース２：ＵＥは、サブフレーム９でのＬＢＴ検出が失敗し、ＨＡＲＱのフィードバック情報を伝送しない場合、サブフレーム１０で搬送波６〜９に対しそれぞれ１１１１１０００００００００００のフィードバックビットを生成し、搬送波１０に対し００１０１００１０００１１０００のフィードバックビットを生成し、それから搬送波番号順に、各搬送波のフィードバックビットをカスケードして、ＨＡＲＱのフィードバック情報のコードブックを得る。該コードブックは、計８０ビットが含まれる。
ここで、サブフレーム１０でのＵＥによるＨＡＲＱのフィードバック情報の伝送方法は、サブフレーム９に類似するため、繰り返して記載しない。
【０１９４】
例２
ＵＥが１０個の搬送波をアグリゲートし、そのうち搬送波１は、ライセンスド主搬送波であり、搬送波２〜１０は、アンライセンス搬送波である。搬送波１〜５を搬送波群Ａ、搬送波６〜１０を搬送波群Ｂとする。搬送波群Ａでは、ＵＥは、従来のＣＡ方法でＨＡＲＱのフィードバック情報を基地局に伝送する。当該例では、主に搬送波群ＢでのＨＡＲＱのフィードバック情報の伝送を例示して説明する。
【０１９５】
基地局は、搬送波６〜８のサブフレーム１〜３とサブフレーム５〜６でいずれもデュアルコードワードのダウンリンク伝送をスケジューリングすることを仮定する。基地局は、ダウンリンクＤＣＩで、２ビットの時間領域Ｃ−ＤＡＩと２ビットのＴ−ＤＡＩを指示する。すなわち、サブフレーム３に含まれるＣ−ＤＡＩは、それぞれ１、２、３であり、サブフレーム５に含まれるＣ−ＤＡＩは、４であり、サブフレーム６に含まれるＣ−ＤＡＩは、１であり、Ｔ−ＤＡＩは、１である。基地局は、搬送波７のサブフレーム５で指示情報を送信する。前記指示情報は、搬送波７のサブフレーム１０でＵＥによるＰＵＳＣＨの伝送をスケジューリングする。指示情報に１ビットの指示情報も含まれ、サブフレーム１０でＨＡＲＱのフィードバック情報の同時伝送をＵＥに指示する。
【０１９６】
ＵＥは、指示情報を受信すると、時間領域のＣ−ＤＡＩ、Ｔ−ＤＡＩ、配置搬送波の個数５および伝送ブロックの個数２から、コードブックサイズが５×５×２＝５０であると確定する。ＵＥは、周波数領域が先、時間領域が後の順（時間領域が先、周波数領域が後の順であってもよい）に、伝送ブロックの対応するフィードバックビットをコードブックに逐一マッピングする。ＵＥが全ての伝送ブロックを正しく受信したとすると、コードブックにおいて、まず搬送波６〜１０のサブフレーム１での１０個のフィードバックビット１１１１１１００００（搬送波９、１０ではダウンリンクデータが伝送されず、フィードバックビットが０である。）、それから、搬送波６〜１０のサブフレーム２での１０個のフィードバックビット１１１１１１００００、サブフレーム３での１０個のフィードバックビット１１１１１１００００、サブフレーム５での１０個のフィードバックビット１１１１１１００００、サブフレーム６での１０個のフィードバックビット１１１１１１００００を生成し、搬送波番号に従って各搬送波のフィードバックビットをカスケードして、計５０ビットが含まれるフィードバックコードブックを得る。
【０１９７】
ＨＡＲＱのフィードバック情報は、ＨＡＲＱ−ＡＣＫフィードバック情報の伝送サブフレームでホールパンチング伝送される。ＨＡＲＱのフィードバック情報が伝送サブフレームにおける７５個のＲＥを占用するとすると、ＰＵＳＣＨのデータ伝送をスケジューリングするＰＲＢリソースでは、パイロット両側の７５個のＲＥに対しホールパンチング伝送を行う。
【０１９８】
例３：
ＵＥが１０個の搬送波をアグリゲートし、そのうち搬送波１は、ライセンスド主搬送波であり、搬送波２〜１０は、アンライセンス搬送波である。搬送波１〜５を搬送波群Ａ、搬送波６〜１０を搬送波群Ｂとする。搬送波群Ａでは、端末は、従来のＣＡ方法でＨＡＲＱのフィードバック情報を基地局に伝送する。本実施例では、主に搬送波群ＢでのＨＡＲＱのフィードバック情報の伝送を例示して説明する。
【０１９９】
基地局は、搬送波６〜８のサブフレーム１〜３とサブフレーム５〜６でいずれもデュアルコードワードのダウンリンク伝送をスケジューリングすることを仮定する。基地局は、ダウンリンクＤＣＩで、２ビットの時間領域と周波数領域のＣ−ＤＡＩと２ビットのＴ−ＤＡＩを指示する。すなわち、搬送波６〜８のサブフレーム１に含まれるＣ−ＤＡＩは、それぞれ１、２、３であり、搬送波６〜８のサブフレーム２に含まれるＣ−ＤＡＩは、それぞれ４、１、２であり、搬送波６〜８のサブフレーム３に含まれるＣ−ＤＡＩは、それぞれ３、４、１であり、搬送波６〜８のサブフレーム５に含まれるＣ−ＤＡＩは、それぞれ２、３、４であり、搬送波６〜８のサブフレーム６に含まれるＣ−ＤＡＩは、それぞれ１、２、３であり、Ｔ−ＤＡＩは、３である。基地局は、搬送波７のサブフレーム５で指示情報を送信する。前記指示情報は、搬送波７のサブフレーム１０でＵＥによるＰＵＳＣＨの伝送をスケジューリングする。指示情報に１ビットの指示情報も含まれ、サブフレーム１０でＨＡＲＱ−ＡＣＫフィードバック情報の同時伝送を端末に指示する。
【０２００】
ＵＥは、指示情報を受信すると、時間領域のＣ−ＤＡＩ、Ｔ−ＤＡＩ、配置搬送波の個数５および伝送ブロックの個数２から、コードブックサイズが５×５×２＝５０であると確定する。ＵＥは、周波数領域が先、時間領域が後の順（時間領域が先、周波数領域が後の順であってもよい）に、伝送ブロックの対応するフィードバックビットをコードブックに逐一マッピングする。ＵＥが全ての伝送ブロックを正しく受信したとすると、コードブックにおいて、まず搬送波６〜１０のサブフレーム１での１０個のフィードバックビット１１１１１１００００（搬送波９、１０ではダウンリンクデータが伝送されず、フィードバックビットが０である。）、それから、搬送波６〜１０のサブフレーム２での１０個のフィードバックビット１１１１１１００００、サブフレーム３での１０個のフィードバックビット１１１１１１００００、サブフレーム５での１０個のフィードバックビット１１１１１１００００、サブフレーム６での１０個のフィードバックビット１１１１１１００００を生成し、搬送波番号に従って各搬送波のフィードバックビットをカスケードして、計５０ビットが含まれるフィードバックコードブックを得る。
【０２０１】
ＨＡＲＱのフィードバック情報は、伝送サブフレームでアップリンクデータとともに多重化伝送される。ＨＡＲＱのフィードバック情報とアップリンクデータをカスケードしてインタリーブした後に変調し、サブフレーム１０の全ての利用可能なＲＥリソースにマッピングして伝送する。
【０２０２】
図４には、ＵＥの構造が示されている。ＵＥ４０は、搬送波のうちＨＡＲＱのフィードバック情報の伝送に用いられる伝送サブフレームを指示するための指示情報を基地局から受信することに用いられる受信モジュール４１と、ＨＡＲＱのフィードバック情報を生成することに用いられる生成モジュール４２と、前記ＨＡＲＱのフィードバック情報を前記伝送サブフレームで前記基地局に伝送することに用いられる伝送モジュール４３とを含む。
【０２０３】
選択可能に、前記ＨＡＲＱのフィードバック情報は、ＨＡＲＱの肯定応答（ＡＣＫ）フィードバック情報またはＨＡＲＱの否定応答（ＮＡＣＫ）フィードバック情報を含む。
【０２０４】
選択可能に、前記指示情報は、物理アップリンクチャネル伝送をスケジューリングするアップリンクスケジューリングシグナリングである。
【０２０５】
選択可能に、前記アップリンクスケジューリングシグナリングは、前記アップリンクスケジューリングシグナリングによってスケジューリングされるサブフレームで前記ＨＡＲＱのフィードバック情報が伝送されるか否かを、ｘ（１以上の正の整数）ビットで指示する。
【０２０６】
選択可能に、前記ＨＡＲＱのフィードバック情報は、前記アップリンクスケジューリングシグナリングでスケジューリングするサブフレームより３つ前のサブフレーム前の、ＨＡＲＱのフィードバックが行われない全てのダウンリンクサブフレームにおいて前記ＵＥにより生成されるＨＡＲＱのフィードバック情報を含む。
【０２０７】
選択可能に、前記アップリンクスケジューリングシグナリングは、特定のビットフィールド設定によって、前記アップリンクスケジューリングシグナリングによってスケジューリングされるサブフレームでＨＡＲＱのフィードバック情報のみを伝送することを指示する。
【０２０８】
選択可能に、前記指示情報は、ＨＡＲＱのフィードバック情報の伝送をスケジューリングするシグナリングである。
【０２０９】
選択可能に、前記シグナリングは、前記シグナリングによってスケジューリングされるサブフレームで前記ＨＡＲＱのフィードバック情報が伝送されるか否かを、ｘ（１以上の正の整数）ビットで指示する。
【０２１０】
選択可能に、生成モジュール４２は、前記ＨＡＲＱのフィードバック情報のコードブックサイズを確定し、前記コードブックサイズに基づいて前記ＨＡＲＱのフィードバック情報を生成することに用いられる。
【０２１１】
選択可能に、生成モジュール４２は、ダウンリンクプロセス数、配置搬送波の個数、時間領域のＣ−ＤＡＩ、Ｔ−ＤＡＩ、所定のパラメータ、基地局から通知されるフィードバックウィンドウサイズ、伝送ブロックの個数、および周波数領域と時間領域のＣ−ＤＡＩのうちの１つまたは複数を含む目標情報に基づいて、前記ＨＡＲＱのフィードバック情報のコードブックサイズを確定することに用いられる。
【０２１２】
選択可能に、生成モジュール４２は、周波数領域と時間領域のＣ−ＤＡＩ、Ｔ−ＤＡＩおよび伝送ブロックの個数に基づいて、前記ＨＡＲＱのフィードバック情報のコードブックサイズを確定すること、または、時間領域のＣ−ＤＡＩ、Ｔ−ＤＡＩ、配置搬送波の個数および伝送ブロックの個数に基づいて、前記ＨＡＲＱのフィードバック情報のコードブックサイズを確定すること、または、ダウンリンクプロセス数、配置搬送波の個数および伝送ブロックの個数に基づいて、前記ＨＡＲＱのフィードバック情報のコードブックサイズを確定すること、または、所定のパラメータ、配置搬送波の個数および伝送ブロックの個数に基づいて、前記ＨＡＲＱのフィードバック情報のコードブックサイズを確定すること、または、基地局から通知されるフィードバックウィンドウサイズ、配置搬送波の個数および伝送ブロックの個数に基づいて、前記ＨＡＲＱのフィードバック情報のコードブックサイズを確定することに用いられる。
【０２１３】
選択可能に、前記伝送ブロックの個数は、搬送波に使用される伝送方式および／または前記基地局の配置によって確定される。
【０２１４】
選択可能に、生成モジュール４２は、少なくとも１つの搬送波のフィードバックビットを搬送波番号に従ってカスケードして前記コードブックサイズのコードブックを得ることによって、前記ＨＡＲＱのフィードバック情報を生成すること、ここで、各搬送波のフィードバックビットがプロセス番号順にされている、または、前記ＨＡＲＱのフィードバックビットを周波数領域と時間領域のＣ−ＤＡＩ順にして前記コードブックサイズのコードブックを得ることによって、前記ＨＡＲＱのフィードバック情報を生成すること、または、少なくとも１つの搬送波のフィードバックビットを搬送波番号に従ってカスケードして前記コードブックサイズのコードブックを得ることによって、前記ＨＡＲＱのフィードバック情報を生成することに用いられ、ここで、各搬送波のフィードバックビットが時間領域のＣ−ＤＡＩ順にされている。
【０２１５】
選択可能に、受信モジュール４１は、前記基地局から送信される複数の前記指示情報を１つまたは複数の搬送波上で同一のダウンリンクサブフレームで受信することに用いられる。ここで、各指示情報は、異なる搬送波でＨＡＲＱのフィードバック情報の伝送に用いられる伝送サブフレームを指示することに用いられる。伝送モジュール４３は、前記複数の指示情報に指示される複数の搬送波の伝送サブフレームで同一の前記ＨＡＲＱのフィードバック情報を前記基地局に伝送すること、または、前記複数の指示情報に指示される伝送サブフレームのうちの１つまたは複数のサブフレームである特定伝送サブフレームで前記ＨＡＲＱのフィードバック情報を前記基地局に伝送することに用いられる。
【０２１６】
選択可能に、前記基地局から前記ＵＥに対しアップリンク制御情報搬送波群が設定されている場合、前記ＨＡＲＱのフィードバック情報は、前記アップリンク制御情報搬送波群のうちの搬送波のダウンリンクサブフレームに対応するＨＡＲＱのフィードバック情報である。
【０２１７】
選択可能に、伝送モジュール４３は、前記基地局により事前設定される搬送波に属する伝送サブフレームを、前記複数の指示情報に指示される伝送サブフレームから選択し、当該伝送サブフレームで前記ＨＡＲＱのフィードバック情報を前記基地局に伝送すること、または、前記複数の指示情報に指示される伝送サブフレームから番号最小の搬送波の伝送サブフレームを選択し、当該伝送サブフレームで前記ＨＡＲＱのフィードバック情報を前記基地局に伝送すること、または、前記基地局から送信される動的指示に基づいて、前記複数の指示情報に指示される伝送サブフレームから１つまたは複数の伝送サブフレームを選択し、選択した伝送サブフレームで前記ＨＡＲＱのフィードバック情報を前記基地局に伝送することに用いられる。
【０２１８】
選択可能に、前記動的指示は、ＨＡＲＱのフィードバック情報のトリガーシグナリングが付帯されているアップリンクスケジューリングシグナリングである。
【０２１９】
選択可能に、伝送モジュール４３は、前記伝送サブフレームに対しＬＢＴ検出を行い、前記ＬＢＴ検出が成功すると、前記ＨＡＲＱのフィードバック情報を前記伝送サブフレームで前記基地局に伝送することに用いられる。
【０２２０】
選択可能に、伝送モジュール４３は、前記ＨＡＲＱのフィードバック情報のみを前記伝送サブフレームで前記基地局に伝送すること、または、前記ＨＡＲＱのフィードバック情報とアップリンクデータを前記伝送サブフレームで前記基地局に伝送することに用いられる。
【０２２１】
選択可能に、前記ＵＥが前記ＨＡＲＱのフィードバック情報とアップリンクデータを前記伝送サブフレームで前記基地局に伝送する場合、前記ＨＡＲＱのフィードバック情報は、前記伝送サブフレームにおいてパイロット両側のアップリンクデータ伝送用のシンボルにマッピングされる。または、前記ＵＥが前記ＨＡＲＱのフィードバック情報とアップリンクデータを前記伝送サブフレームで前記基地局に伝送する場合、前記ＨＡＲＱのフィードバック情報と前記アップリンクデータの多重化伝送が行われる。または、前記ＵＥが前記ＨＡＲＱのフィードバック情報とアップリンクデータを前記伝送サブフレームで前記基地局に伝送する場合、前記ＨＡＲＱのフィードバック情報の変調シンボルは、前記伝送サブフレームにおいてパイロット両側のｙ（１以上の正の整数）個のシンボルにマッピングされ、前記アップリンクデータの変調シンボルは、前記伝送サブフレームのうち、パイロットと前記変調シンボルに占用されるリソース以外のリソースにマッピングされる。
【０２２２】
選択可能に、前記ＨＡＲＱのフィードバック情報と前記アップリンクデータの多重化伝送とは、前記ＵＥが、前記ＨＡＲＱのフィードバック情報の符号化ビットと前記アップリンクデータの符号化ビットをカスケードし、カスケードされた符号化ビットを前記基地局に指示される変調次数に基づいて変調し、変調結果を時間領域が先、周波数領域が後の方式で前記伝送サブフレームのリソースにマッピングすることである。または、前記ＨＡＲＱのフィードバック情報と前記アップリンクデータの多重化伝送とは、前記ＵＥが、前記ＨＡＲＱのフィードバック情報の符号化ビットと前記アップリンクデータの符号化ビットをカスケードし、カスケードされた符号化ビットをインタリーブし、インタリーブ結果を前記基地局に指示される変調次数に基づいて変調し、変調結果を時間領域が先、周波数領域が後の方式で前記伝送サブフレームのリソースにマッピングすることである。
【０２２３】
なお、本実施例において、上記ＵＥ４０は、図１〜図３に示される実施例で紹介されているＵＥであってもよい。図１〜図３に示されているＵＥの任意の実施形態は、いずれも本実施例の上記ＵＥ４０によって実現され、同一の効果を奏することができるため、ここで繰り返して記載しない。
【０２２４】
図５には、基地局の構造が示されている。基地局５０は、搬送波のうちＨＡＲＱのフィードバック情報の伝送に用いられる伝送サブフレームを指示するための指示情報をＵＥに送信することに用いられる送信モジュール５１と、前記ＵＥによって生成されて前記伝送サブフレームで伝送されるＨＡＲＱのフィードバック情報を前記ＵＥから受信することに用いられる受信モジュール５２とを含む。
【０２２５】
選択可能に、前記ＨＡＲＱのフィードバック情報は、ＨＡＲＱの肯定応答（ＡＣＫ）フィードバック情報またはＨＡＲＱの否定応答（ＮＡＣＫ）フィードバック情報を含む。
【０２２６】
選択可能に、前記指示情報は、物理アップリンクチャネル伝送をスケジューリングするアップリンクスケジューリングシグナリングである。
【０２２７】
選択可能に、前記アップリンクスケジューリングシグナリングは、前記アップリンクスケジューリングシグナリングによってスケジューリングされるサブフレームで前記ＨＡＲＱのフィードバック情報が伝送されるか否かを、ｘ（１以上の正の整数）ビットで指示する。
【０２２８】
選択可能に、前記ＨＡＲＱのフィードバック情報は、前記アップリンクスケジューリングシグナリングでスケジューリングするサブフレームより３つ前のサブフレーム前の、ＨＡＲＱのフィードバックが行われない全てのダウンリンクサブフレームにおいて前記ＵＥにより生成されるＨＡＲＱのフィードバック情報を含む。
【０２２９】
選択可能に、前記アップリンクスケジューリングシグナリングは、特定のビットフィールド設定によって、前記アップリンクスケジューリングシグナリングによってスケジューリングされるサブフレームでＨＡＲＱのフィードバック情報のみを伝送することを指示する。
【０２３０】
選択可能に、前記指示情報は、ＨＡＲＱのフィードバック情報の伝送をスケジューリングするシグナリングである。
【０２３１】
選択可能に、前記シグナリングは、前記シグナリングによってスケジューリングされるサブフレームで前記ＨＡＲＱのフィードバック情報が伝送されるか否かを、ｘ（１以上の正の整数）ビットで指示する。
【０２３２】
選択可能に、前記ＨＡＲＱのフィードバック情報は、前記ＵＥが、前記ＵＥによって確定された前記ＨＡＲＱのフィードバック情報のコードブックサイズに基づいて生成した前記ＨＡＲＱのフィードバック情報を含む。
【０２３３】
選択可能に、前記コードブックサイズは、前記ＵＥが目標情報に基づいて確定した前記ＨＡＲＱのフィードバック情報のコードブックサイズである。ここで、前記目標情報は、ダウンリンクプロセス数、配置搬送波の個数、時間領域のＣ−ＤＡＩ、Ｔ−ＤＡＩ、所定のパラメータ、基地局から通知されるフィードバックウィンドウサイズ、伝送ブロックの個数、および周波数領域と時間領域のＣ−ＤＡＩのうちの１つまたは複数を含む。
【０２３４】
選択可能に、前記コードブックサイズは、前記ＵＥが周波数領域と時間領域のＣ−ＤＡＩ、Ｔ−ＤＡＩおよび伝送ブロックの個数に基づいて確定した前記ＨＡＲＱのフィードバック情報のコードブックサイズ、または、前記ＵＥが時間領域のＣ−ＤＡＩ、Ｔ−ＤＡＩ、配置搬送波の個数および伝送ブロックの個数に基づいて確定した前記ＨＡＲＱのフィードバック情報のコードブックサイズ、または、前記ＵＥがダウンリンクプロセス数、配置搬送波の個数および伝送ブロックの個数に基づいて確定した前記ＨＡＲＱのフィードバック情報のコードブックサイズ、または、前記ＵＥが所定のパラメータ、配置搬送波の個数および伝送ブロックの個数に基づいて確定した前記ＨＡＲＱのフィードバック情報のコードブックサイズ、または、前記ＵＥが基地局から通知されるフィードバックウィンドウサイズ、配置搬送波の個数および伝送ブロックの個数に基づいて確定した前記ＨＡＲＱのフィードバック情報のコードブックサイズを含む。
【０２３５】
選択可能に、前記伝送ブロックの個数は、搬送波に使用される伝送方式および／または前記基地局の配置によって確定される。
【０２３６】
選択可能に、前記ＨＡＲＱのフィードバック情報は、前記ＵＥが、少なくとも１つの搬送波のフィードバックビットを搬送波番号に従ってカスケードして前記コードブックサイズのコードブックを得ることによって生成する前記ＨＡＲＱのフィードバック情報、ここで、各搬送波のフィードバックビットがプロセス番号順にされている、または、前記ＵＥが、前記ＨＡＲＱのフィードバックビットを周波数領域と時間領域のＣ−ＤＡＩ順にして前記コードブックサイズのコードブックを得ることによって生成する前記ＨＡＲＱのフィードバック情報、または、前記ＵＥが、少なくとも１つの搬送波のフィードバックビットを搬送波番号に従ってカスケードして前記コードブックサイズのコードブックを得ることによって生成する前記ＨＡＲＱのフィードバック情報を含み、ここで、各搬送波のフィードバックビットが時間領域のＣ−ＤＡＩ順にされている。
【０２３７】
選択可能に、送信モジュール５１は、複数の前記指示情報を１つまたは複数の搬送波上で同一のダウンリンクサブフレームで前記ＵＥに送信することに用いられる。ここで、各指示情報は、異なる搬送波でＨＡＲＱのフィードバック情報の伝送に用いられる伝送サブフレームを指示することに用いられる。前記受信モジュールは、前記ＵＥから、前記複数の指示情報に指示される複数の搬送波の伝送サブフレームで伝送される同一の前記ＨＡＲＱのフィードバック情報を受信すること、または、前記ＵＥから、前記複数の指示情報に指示される伝送サブフレームのうちの１つまたは複数のサブフレームである特定伝送サブフレームで伝送される前記ＨＡＲＱのフィードバック情報を受信することに用いられる。
【０２３８】
選択可能に、前記基地局から前記ＵＥに対しアップリンク制御情報搬送波群が設定されている場合、前記ＨＡＲＱのフィードバック情報は、前記アップリンク制御情報搬送波群のうちの搬送波のダウンリンクサブフレームに対応するＨＡＲＱのフィードバック情報である。
【０２３９】
選択可能に、受信モジュール５２は、前記ＵＥから、少なくとも１つの伝送サブフレームで伝送される前記ＨＡＲＱのフィードバック情報を受信することに用いられる。ここで、当該少なくとも１つの伝送サブフレームは、前記ＵＥが、前記複数の指示情報に指示される伝送サブフレームから選択され、前記基地局により事前設定される搬送波に属する伝送サブフレームである。または、受信モジュール５２は、前記ＵＥから、１つの伝送サブフレームで伝送される前記ＨＡＲＱのフィードバック情報を受信することに用いられる。ここで、当該伝送サブフレームは、前記ＵＥが、前記複数の指示情報に指示される伝送サブフレームから選択した番号最小の搬送波の伝送サブフレームである。または、受信モジュール５２は、前記ＵＥから、少なくとも１つの伝送サブフレームで伝送される前記ＨＡＲＱのフィードバック情報を受信することに用いられる、ここで、当該少なくとも１つの伝送サブフレームは、前記ＵＥが、前記基地局から送信される動的指示に基づいて、前記複数の指示情報に指示される伝送サブフレームから選択した１つまたは複数の伝送サブフレームである。
【０２４０】
選択可能に、前記動的指示は、ＨＡＲＱのフィードバック情報のトリガーシグナリングが付帯されているアップリンクスケジューリングシグナリングである。
【０２４１】
選択可能に、前記ＵＥから前記ＨＡＲＱのフィードバック情報を前記伝送サブフレームで前記基地局に伝送することは、前記ＵＥが、前記伝送サブフレームに対しＬＢＴ検出を行い、前記ＬＢＴ検出が成功すると、前記ＨＡＲＱのフィードバック情報を前記伝送サブフレームで前記基地局に伝送することを含む。
【０２４２】
選択可能に、受信モジュール５２は、前記ＵＥから、前記ＨＡＲＱのフィードバック情報のみが伝送される前記伝送サブフレームで伝送される前記ＨＡＲＱのフィードバック情報を受信すること、または、前記ＵＥから、前記伝送サブフレームで伝送される前記ＨＡＲＱのフィードバック情報とアップリンクデータを受信することに用いられる。
【０２４３】
選択可能に、前記ＵＥが前記ＨＡＲＱのフィードバック情報とアップリンクデータを前記伝送サブフレームで前記基地局に伝送する場合、前記ＨＡＲＱのフィードバック情報は、前記伝送サブフレームにおいてパイロット両側のアップリンクデータ伝送用のシンボルにマッピングされる。または、前記ＵＥが前記ＨＡＲＱのフィードバック情報とアップリンクデータを前記伝送サブフレームで前記基地局に伝送する場合、前記ＨＡＲＱのフィードバック情報と前記アップリンクデータの多重化伝送が行われる。または、前記ＵＥが前記ＨＡＲＱのフィードバック情報とアップリンクデータを前記伝送サブフレームで前記基地局に伝送する場合、前記ＨＡＲＱのフィードバック情報の変調シンボルは、前記伝送サブフレームにおいてパイロット両側のｙ（１以上の正の整数）個のシンボルにマッピングされ、前記アップリンクデータの変調シンボルは、前記伝送サブフレームのうち、パイロットと前記変調シンボルに占用されるリソース以外のリソースにマッピングされる。
【０２４４】
選択可能に、前記ＨＡＲＱのフィードバック情報と前記アップリンクデータの多重化伝送とは、前記ＵＥが、前記ＨＡＲＱのフィードバック情報の符号化ビットと前記アップリンクデータの符号化ビットをカスケードし、カスケードされた符号化ビットを前記基地局に指示される変調次数に基づいて変調し、変調結果を時間領域が先、周波数領域が後の方式で前記伝送サブフレームのリソースにマッピングすることである。または、前記ＨＡＲＱのフィードバック情報と前記アップリンクデータの多重化伝送とは、前記ＵＥが、前記ＨＡＲＱのフィードバック情報の符号化ビットと前記アップリンクデータの符号化ビットをカスケードし、カスケードされた符号化ビットをインタリーブし、インタリーブ結果を前記基地局に指示される変調次数に基づいて変調し、変調結果を時間領域が先、周波数領域が後の方式で前記伝送サブフレームのリソースにマッピングすることである。
【０２４５】
なお、本実施例において、上記基地局５０は、図１〜図３に示される実施例で記載されている基地局であってもよい。図１〜図３に示されている基地局の任意の実施形態は、いずれも本実施例の上記基地局５０によって実現され、同一の効果を奏することができるため、ここで繰り返して記載しない。
【０２４６】
図６には、ＵＥの構造が示されている。当該ＵＥは、プロセッサ６００と、プロセッサ６００による制御でデータを送受信することに用いられるトランシーバ６１０と、メモリ６２０と、ユーザインタフェース６３０と、バスインタフェースとを含む。プロセッサ６００は、メモリ６２０からプログラムを読み取ることによって、搬送波のうちＨＡＲＱのフィードバック情報の伝送に用いられる伝送サブフレームを指示するための指示情報を、トランシーバ６１０を介して基地局から受信するプロセスと、ＨＡＲＱのフィードバック情報を生成するプロセスと、トランシーバ６１０を介して、前記ＨＡＲＱのフィードバック情報を前記伝送サブフレームで前記基地局に伝送するプロセスを実行する。
【０２４７】
図６において、バスアーキテクチャは、任意数の相互接続するバスとブリッジを含み、具体的に、プロセッサ６００をはじめとする１つ又は複数のプロセッサとメモリ６２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ６１０は、複数の部品であってもよく、即ち送信機と受信機を含み、伝送媒体でほかの各種類の装置と通信するユニットとして提供される。ユーザ端末によっては、ユーザインタフェース６３０は、内部接続や外部接続する機器のインタフェースであってもよい。接続する機器は、キーパッド、ディスプレイ、スピーカ、マイクロフォン、ジョイスティックなどを含むが、それらに限られない。
【０２４８】
プロセッサ６００は、バスアーキテクチャと通常の処理を管理する。メモリ６２０は、プロセッサ６００による作業時に使用されるデータを記憶できる。
【０２４９】
選択可能に、前記ＨＡＲＱのフィードバック情報は、ＨＡＲＱのＡＣＫフィードバック情報またはＨＡＲＱのＮＡＣＫフィードバック情報を含む。
【０２５０】
選択可能に、前記指示情報は、物理アップリンクチャネル伝送をスケジューリングするアップリンクスケジューリングシグナリングである。
【０２５１】
選択可能に、前記アップリンクスケジューリングシグナリングは、前記アップリンクスケジューリングシグナリングによってスケジューリングされるサブフレームで前記ＨＡＲＱのフィードバック情報が伝送されるか否かを、ｘ（１以上の正の整数）ビットで指示する。
【０２５２】
選択可能に、前記ＨＡＲＱのフィードバック情報は、前記アップリンクスケジューリングシグナリングでスケジューリングするサブフレームより３つ前のサブフレーム前の、ＨＡＲＱのフィードバックが行われない全てのダウンリンクサブフレームにおいて前記ＵＥにより生成されるＨＡＲＱのフィードバック情報を含む。
【０２５３】
選択可能に、前記アップリンクスケジューリングシグナリングは、特定のビットフィールド設定によって、前記アップリンクスケジューリングシグナリングによってスケジューリングされるサブフレームでＨＡＲＱのフィードバック情報のみを伝送することを指示する。
【０２５４】
選択可能に、前記指示情報は、ＨＡＲＱのフィードバック情報の伝送をスケジューリングするシグナリングである。
【０２５５】
選択可能に、前記シグナリングは、前記シグナリングによってスケジューリングされるサブフレームで前記ＨＡＲＱのフィードバック情報が伝送されるか否かを、ｘ（１以上の正の整数）ビットで指示する。
【０２５６】
選択可能に、前記ＨＡＲＱのフィードバック情報を生成することは、前記ＨＡＲＱのフィードバック情報のコードブックサイズを確定し、前記コードブックサイズに基づいて前記ＨＡＲＱのフィードバック情報を生成することを含む。
【０２５７】
選択可能に、前述の前記ＨＡＲＱのフィードバック情報のコードブックサイズを確定することは、ダウンリンクプロセス数、配置搬送波の個数、時間領域のＣ−ＤＡＩ、Ｔ−ＤＡＩ、所定のパラメータ、基地局から通知されるフィードバックウィンドウサイズ、伝送ブロックの個数、および周波数領域と時間領域のＣ−ＤＡＩのうちの１つまたは複数を含む目標情報に基づいて、前記ＨＡＲＱのフィードバック情報のコードブックサイズを確定することを含む。
【０２５８】
選択可能に、前記の目標情報に基づいて前記ＨＡＲＱのフィードバック情報のコードブックサイズを確定することは、周波数領域と時間領域のＣ−ＤＡＩ、Ｔ−ＤＡＩおよび伝送ブロックの個数に基づいて、前記ＨＡＲＱのフィードバック情報のコードブックサイズを確定すること、または、時間領域のＣ−ＤＡＩ、Ｔ−ＤＡＩ、配置搬送波の個数および伝送ブロックの個数に基づいて、前記ＨＡＲＱのフィードバック情報のコードブックサイズを確定すること、または、ダウンリンクプロセス数、配置搬送波の個数および伝送ブロックの個数に基づいて、前記ＨＡＲＱのフィードバック情報のコードブックサイズを確定すること、または、所定のパラメータ、配置搬送波の個数および伝送ブロックの個数に基づいて、前記ＨＡＲＱのフィードバック情報のコードブックサイズを確定すること、または、基地局から通知されるフィードバックウィンドウサイズ、配置搬送波の個数および伝送ブロックの個数に基づいて、前記ＨＡＲＱのフィードバック情報のコードブックサイズを確定することを含む。
【０２５９】
選択可能に、前記伝送ブロックの個数は、搬送波に使用される伝送方式および／または前記基地局の配置によって確定される。
【０２６０】
選択可能に、前述の前記コードブックサイズに基づいて前記ＨＡＲＱのフィードバック情報を生成することは、少なくとも１つの搬送波のフィードバックビットを搬送波番号に従ってカスケードして前記コードブックサイズのコードブックを得ることによって、前記ＨＡＲＱのフィードバック情報を生成すること、ここで、各搬送波のフィードバックビットがプロセス番号順にされている、または、前記ＨＡＲＱのフィードバックビットを周波数領域と時間領域のＣ−ＤＡＩ順にして前記コードブックサイズのコードブックを得ることによって、前記ＨＡＲＱのフィードバック情報を生成すること、または、少なくとも１つの搬送波のフィードバックビットを搬送波番号に従ってカスケードして前記コードブックサイズのコードブックを得ることによって、前記ＨＡＲＱのフィードバック情報を生成することを含み、ここで、各搬送波のフィードバックビットが時間領域のＣ−ＤＡＩ順にされている。
【０２６１】
選択可能に、前記の基地局から指示情報を受信することは、前記基地局から送信される複数の前記指示情報を１つまたは複数の搬送波上で同一のダウンリンクサブフレームで受信することを含む。ここで、各指示情報は、異なる搬送波でＨＡＲＱのフィードバック情報の伝送に用いられる伝送サブフレームを指示することに用いられる。前述の前記ＨＡＲＱのフィードバック情報を前記伝送サブフレームで前記基地局に伝送することは、前記複数の指示情報に指示される複数の搬送波の伝送サブフレームで同一の前記ＨＡＲＱのフィードバック情報を前記基地局に伝送すること、または、前記複数の指示情報に指示される伝送サブフレームのうちの１つまたは複数のサブフレームである特定伝送サブフレームで前記ＨＡＲＱのフィードバック情報を前記基地局に伝送することを含む。
【０２６２】
選択可能に、前記基地局から前記ＵＥに対しアップリンク制御情報搬送波群が設定されている場合、前記ＨＡＲＱのフィードバック情報は、前記アップリンク制御情報搬送波群のうちの搬送波のダウンリンクサブフレームに対応するＨＡＲＱのフィードバック情報である。
【０２６３】
選択可能に、前述の前記ＨＡＲＱのフィードバック情報を特定伝送サブフレームで前記基地局に伝送することは、前記基地局により事前設定される搬送波に属する伝送サブフレームを、前記複数の指示情報に指示される伝送サブフレームから選択し、当該伝送サブフレームで前記ＨＡＲＱのフィードバック情報を前記基地局に伝送すること、または、前記複数の指示情報に指示される伝送サブフレームから番号最小の搬送波の伝送サブフレームを選択し、当該伝送サブフレームで前記ＨＡＲＱのフィードバック情報を前記基地局に伝送すること、または、前記基地局から送信される動的指示に基づいて、前記複数の指示情報に指示される伝送サブフレームから１つまたは複数の伝送サブフレームを選択し、選択した伝送サブフレームで前記ＨＡＲＱのフィードバック情報を前記基地局に伝送することを含む。
【０２６４】
選択可能に、前記動的指示は、ＨＡＲＱのフィードバック情報のトリガーシグナリングが付帯されているアップリンクスケジューリングシグナリングである。
【０２６５】
選択可能に、前述の前記ＨＡＲＱのフィードバック情報を前記伝送サブフレームで前記基地局に伝送することは、前記伝送サブフレームに対しＬＢＴ検出を行い、前記ＬＢＴ検出が成功すると、前記ＨＡＲＱのフィードバック情報を前記伝送サブフレームで前記基地局に伝送することを含む。
【０２６６】
選択可能に、前述の前記ＨＡＲＱのフィードバック情報を前記伝送サブフレームで前記基地局に伝送することは、前記ＨＡＲＱのフィードバック情報のみを前記伝送サブフレームで前記基地局に伝送すること、または、前記ＨＡＲＱのフィードバック情報とアップリンクデータを前記伝送サブフレームで前記基地局に伝送することを含む。
【０２６７】
選択可能に、前記ＵＥが前記ＨＡＲＱのフィードバック情報とアップリンクデータを前記伝送サブフレームで前記基地局に伝送する場合、前記ＨＡＲＱのフィードバック情報は、前記伝送サブフレームにおいてパイロット両側のアップリンクデータ伝送用のシンボルにマッピングされる。または、前記ＵＥが前記ＨＡＲＱのフィードバック情報とアップリンクデータを前記伝送サブフレームで前記基地局に伝送する場合、前記ＨＡＲＱのフィードバック情報と前記アップリンクデータの多重化伝送が行われる。または、前記ＵＥが前記ＨＡＲＱのフィードバック情報とアップリンクデータを前記伝送サブフレームで前記基地局に伝送する場合、前記ＨＡＲＱのフィードバック情報の変調シンボルは、前記伝送サブフレームにおいてパイロット両側のｙ（１以上の正の整数）個のシンボルにマッピングされ、前記アップリンクデータの変調シンボルは、前記伝送サブフレームのうち、パイロットと前記変調シンボルに占用されるリソース以外のリソースにマッピングされる。
【０２６８】
選択可能に、前記ＨＡＲＱのフィードバック情報と前記アップリンクデータの多重化伝送とは、前記ＵＥが、前記ＨＡＲＱのフィードバック情報の符号化ビットと前記アップリンクデータの符号化ビットをカスケードし、カスケードされた符号化ビットを前記基地局に指示される変調次数に基づいて変調し、変調結果を時間領域が先、周波数領域が後の方式で前記伝送サブフレームのリソースにマッピングすることである。または、前記ＨＡＲＱのフィードバック情報と前記アップリンクデータの多重化伝送とは、前記ＵＥが、前記ＨＡＲＱのフィードバック情報の符号化ビットと前記アップリンクデータの符号化ビットをカスケードし、カスケードされた符号化ビットをインタリーブし、インタリーブ結果を前記基地局に指示される変調次数に基づいて変調し、変調結果を時間領域が先、周波数領域が後の方式で前記伝送サブフレームのリソースにマッピングすることである。
【０２６９】
なお、本実施例において、上記ＵＥは、図１〜図３に示される実施例で記載されているＵＥであってもよい。図１〜図３に示されているＵＥの任意の実施形態は、いずれも本実施例の上記ＵＥによって実現され、同一の効果を奏することができるため、ここで繰り返して記載しない。
【０２７０】
図７には、基地局の構造が示されている。当該基地局は、プロセッサ７００と、プロセッサ７００による制御でデータを送受信することに用いられるトランシーバ７１０と、メモリ７２０と、ユーザインタフェース７３０と、バスインタフェースとを含む。プロセッサ７００は、メモリ７２０からプログラムを読み取ることによって、搬送波のうちＨＡＲＱのフィードバック情報の伝送に用いられる伝送サブフレームを指示するための指示情報を、トランシーバ７１０を介してＵＥに送信するプロセスと、前記ＵＥによって生成されて前記伝送サブフレームで伝送されるＨＡＲＱのフィードバック情報を、トランシーバ７１０を介して前記ＵＥから受信するプロセスを実行する。
【０２７１】
図７において、バスアーキテクチャは、任意数の相互接続するバスとブリッジを含み、具体的に、プロセッサ７００をはじめとする１つ又は複数のプロセッサとメモリ７２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ７１０は、複数の部品であってもよく、即ち送信機と受信機を含み、伝送媒体でほかの各種類の装置と通信するユニットとして提供される。ユーザ端末によっては、ユーザインタフェース７３０は、内部接続や外部接続する機器のインタフェースであってもよい。接続する機器は、キーパッド、ディスプレイ、スピーカ、マイクロフォン、ジョイスティックなどを含むが、それらに限られない。
【０２７２】
プロセッサ７００は、バスアーキテクチャと通常の処理を管理する。メモリ７２０は、プロセッサ７００による作業時に使用されるデータを記憶できる。
【０２７３】
選択可能に、前記ＨＡＲＱのフィードバック情報は、ＨＡＲＱの肯定応答（ＡＣＫ）フィードバック情報またはＨＡＲＱの否定応答（ＮＡＣＫ）フィードバック情報を含む。
【０２７４】
選択可能に、前記指示情報は、物理アップリンクチャネル伝送をスケジューリングするアップリンクスケジューリングシグナリングである。
【０２７５】
選択可能に、前記アップリンクスケジューリングシグナリングは、前記アップリンクスケジューリングシグナリングによってスケジューリングされるサブフレームで前記ＨＡＲＱのフィードバック情報が伝送されるか否かを、ｘ（１以上の正の整数）ビットで指示する。
【０２７６】
選択可能に、前記ＨＡＲＱのフィードバック情報は、前記アップリンクスケジューリングシグナリングでスケジューリングするサブフレームより３つ前のサブフレーム前の、ＨＡＲＱのフィードバックが行われない全てのダウンリンクサブフレームにおいて前記ＵＥにより生成されるＨＡＲＱのフィードバック情報を含む。
【０２７７】
選択可能に、前記アップリンクスケジューリングシグナリングは、特定のビットフィールド設定によって、前記アップリンクスケジューリングシグナリングによってスケジューリングされるサブフレームでＨＡＲＱのフィードバック情報のみを伝送することを指示する。
【０２７８】
選択可能に、前記指示情報は、ＨＡＲＱのフィードバック情報の伝送をスケジューリングするシグナリングである。
【０２７９】
選択可能に、前記シグナリングは、前記シグナリングによってスケジューリングされるサブフレームで前記ＨＡＲＱのフィードバック情報が伝送されるか否かを、ｘ（１以上の正の整数）ビットで指示する。
【０２８０】
選択可能に、前記ＨＡＲＱのフィードバック情報は、前記ＵＥが、前記ＵＥによって確定された前記ＨＡＲＱのフィードバック情報のコードブックサイズに基づいて生成した前記ＨＡＲＱのフィードバック情報を含む。
【０２８１】
選択可能に、前記コードブックサイズは、前記ＵＥが目標情報に基づいて確定した前記ＨＡＲＱのフィードバック情報のコードブックサイズである。ここで、前記目標情報は、ダウンリンクプロセス数、配置搬送波の個数、時間領域のＣ−ＤＡＩ、Ｔ−ＤＡＩ、所定のパラメータ、基地局から通知されるフィードバックウィンドウサイズ、伝送ブロックの個数、および周波数領域と時間領域のＣ−ＤＡＩのうちの１つまたは複数を含む。
【０２８２】
選択可能に、前記コードブックサイズは、前記ＵＥが周波数領域と時間領域のＣ−ＤＡＩ、Ｔ−ＤＡＩおよび伝送ブロックの個数に基づいて確定した前記ＨＡＲＱのフィードバック情報のコードブックサイズ、または、前記ＵＥが時間領域のＣ−ＤＡＩ、Ｔ−ＤＡＩ、配置搬送波の個数および伝送ブロックの個数に基づいて確定した前記ＨＡＲＱのフィードバック情報のコードブックサイズ、または、前記ＵＥがダウンリンクプロセス数、配置搬送波の個数および伝送ブロックの個数に基づいて確定した前記ＨＡＲＱのフィードバック情報のコードブックサイズ、または、前記ＵＥが所定のパラメータ、配置搬送波の個数および伝送ブロックの個数に基づいて確定した前記ＨＡＲＱのフィードバック情報のコードブックサイズ、または、前記ＵＥが基地局から通知されるフィードバックウィンドウサイズ、配置搬送波の個数および伝送ブロックの個数に基づいて確定した前記ＨＡＲＱのフィードバック情報のコードブックサイズを含む。
【０２８３】
選択可能に、前記伝送ブロックの個数は、搬送波に使用される伝送方式および／または前記基地局の配置によって確定される。
【０２８４】
選択可能に、前記ＨＡＲＱのフィードバック情報は、前記ＵＥが、少なくとも１つの搬送波のフィードバックビットを搬送波番号に従ってカスケードして前記コードブックサイズのコードブックを得ることによって生成する前記ＨＡＲＱのフィードバック情報、ここで、各搬送波のフィードバックビットがプロセス番号順にされている、または、前記ＵＥが、前記ＨＡＲＱのフィードバックビットを周波数領域と時間領域のＣ−ＤＡＩ順にして前記コードブックサイズのコードブックを得ることによって生成する前記ＨＡＲＱのフィードバック情報、または、前記ＵＥが、少なくとも１つの搬送波のフィードバックビットを搬送波番号に従ってカスケードして前記コードブックサイズのコードブックを得ることによって生成する前記ＨＡＲＱのフィードバック情報を含み、ここで、各搬送波のフィードバックビットが時間領域のＣ−ＤＡＩ順にされている。
【０２８５】
選択可能に、前記ＵＥに指示情報を送信することは、前記基地局が、複数の前記指示情報を１つまたは複数の搬送波上で同一のダウンリンクサブフレームで前記ＵＥに送信することを含む。ここで、各指示情報は、異なる搬送波でＨＡＲＱのフィードバック情報の伝送に用いられる伝送サブフレームを指示することに用いられる。前記ＵＥから前記伝送サブフレームで伝送されるＨＡＲＱのフィードバック情報を受信することは、前記ＵＥから、前記複数の指示情報に指示される複数の搬送波の伝送サブフレームで伝送される同一の前記ＨＡＲＱのフィードバック情報を受信すること、または、前記ＵＥから、前記複数の指示情報に指示される伝送サブフレームのうちの１つまたは複数のサブフレームである特定伝送サブフレームで伝送される前記ＨＡＲＱのフィードバック情報を受信することを含む。
【０２８６】
選択可能に、前記基地局から前記ＵＥに対しアップリンク制御情報搬送波群が設定されている場合、前記ＨＡＲＱのフィードバック情報は、前記アップリンク制御情報搬送波群のうちの搬送波のダウンリンクサブフレームに対応するＨＡＲＱのフィードバック情報である。
【０２８７】
選択可能に、前記ＵＥから、特定伝送サブフレームで伝送される前記ＨＡＲＱのフィードバック情報を受信することは、前記ＵＥから、少なくとも１つの伝送サブフレームで伝送される前記ＨＡＲＱのフィードバック情報を受信することを含む。ここで、当該少なくとも１つの伝送サブフレームは、前記ＵＥが、前記複数の指示情報に指示される伝送サブフレームから選択され、前記基地局により事前設定される搬送波に属する伝送サブフレームである。または、前記ＵＥから、１つの伝送サブフレームで伝送される前記ＨＡＲＱのフィードバック情報を受信することを含む。ここで、当該伝送サブフレームは、前記ＵＥが、前記複数の指示情報に指示される伝送サブフレームから選択した番号最小の搬送波の伝送サブフレームである。または、前記ＵＥから、少なくとも１つの伝送サブフレームで伝送される前記ＨＡＲＱのフィードバック情報を受信することを含む。ここで、当該少なくとも１つの伝送サブフレームは、前記ＵＥが、前記基地局から送信される動的指示に基づいて、前記複数の指示情報に指示される伝送サブフレームから選択した１つまたは複数の伝送サブフレームである。
【０２８８】
選択可能に、前記動的指示は、ＨＡＲＱのフィードバック情報のトリガーシグナリングが付帯されているアップリンクスケジューリングシグナリングである。
【０２８９】
選択可能に、前記ＵＥから前記ＨＡＲＱのフィードバック情報を前記伝送サブフレームで前記基地局に伝送することは、前記ＵＥが、前記伝送サブフレームに対しＬＢＴ検出を行い、前記ＬＢＴ検出が成功すると、前記ＨＡＲＱのフィードバック情報を前記伝送サブフレームで前記基地局に伝送することを含む。
【０２９０】
選択可能に、前記ＵＥから前記伝送サブフレームで伝送される前記ＨＡＲＱのフィードバック情報を受信することは、前記ＵＥから、前記ＨＡＲＱのフィードバック情報のみが伝送される前記伝送サブフレームで伝送される前記ＨＡＲＱのフィードバック情報を受信すること、または、前記ＵＥから、前記伝送サブフレームで伝送される前記ＨＡＲＱのフィードバック情報とアップリンクデータを受信することを含む。
【０２９１】
選択可能に、前記ＵＥが前記ＨＡＲＱのフィードバック情報とアップリンクデータを前記伝送サブフレームで前記基地局に伝送する場合、前記ＨＡＲＱのフィードバック情報は、前記伝送サブフレームにおいてパイロット両側のアップリンクデータ伝送用のシンボルにマッピングされる。または、前記ＵＥが前記ＨＡＲＱのフィードバック情報とアップリンクデータを前記伝送サブフレームで前記基地局に伝送する場合、前記ＨＡＲＱのフィードバック情報と前記アップリンクデータの多重化伝送が行われる。または、前記ＵＥが前記ＨＡＲＱのフィードバック情報とアップリンクデータを前記伝送サブフレームで前記基地局に伝送する場合、前記ＨＡＲＱのフィードバック情報の変調シンボルは、前記伝送サブフレームにおいてパイロット両側のｙ（１以上の正の整数）個のシンボルにマッピングされ、前記アップリンクデータの変調シンボルは、前記伝送サブフレームのうち、パイロットと前記変調シンボルに占用されるリソース以外のリソースにマッピングされる。
【０２９２】
選択可能に、前記ＨＡＲＱのフィードバック情報と前記アップリンクデータの多重化伝送とは、前記ＵＥが、前記ＨＡＲＱのフィードバック情報の符号化ビットと前記アップリンクデータの符号化ビットをカスケードし、カスケードされた符号化ビットを前記基地局に指示される変調次数に基づいて変調し、変調結果を時間領域が先、周波数領域が後の方式で前記伝送サブフレームのリソースにマッピングすることである。または、前記ＨＡＲＱのフィードバック情報と前記アップリンクデータの多重化伝送とは、前記ＵＥが、前記ＨＡＲＱのフィードバック情報の符号化ビットと前記アップリンクデータの符号化ビットをカスケードし、カスケードされた符号化ビットをインタリーブし、インタリーブ結果を前記基地局に指示される変調次数に基づいて変調し、変調結果を時間領域が先、周波数領域が後の方式で前記伝送サブフレームのリソースにマッピングすることである。
【０２９３】
なお、本実施例において、上記基地局は、図１〜図３に示される実施例で記載されている基地局であってもよい。図１〜図３に示されている基地局の任意の実施形態は、いずれも本実施例の上記基地局によって実現され、同一の効果を奏することができるため、ここで繰り返して記載しない。
【０２９４】
図８に示されているＨＡＲＱのフィードバック情報の伝送システムは、搬送波のうちＨＡＲＱのフィードバック情報の伝送に用いられる伝送サブフレームを指示するための指示情報をＵＥ８２に送信することに用いられる基地局８１と、前記基地局から送信される前記指示情報を受信することに用いられる前記ＵＥ８２とを含む。ＵＥ８２は、さらに、ＨＡＲＱのフィードバック情報を生成することと、前記ＨＡＲＱのフィードバック情報を前記伝送サブフレームで基地局８１に伝送することに用いられる。基地局８１は、さらに、ＵＥ８２から前記伝送サブフレームで伝送される前記ＨＡＲＱのフィードバック情報を受信することに用いられる。
【０２９５】
本実施例において、基地局８１とＵＥ８２は、図１〜図７に示される実施例で記載されている基地局とＵＥであってもよく、その実施形態について、図１〜図７に示される実施形態を参照してもよく、同一の技術効果を奏することもできるため、ここで繰り返して記載しない。
【０２９６】
本願で提供されるいくつかの実施例において、開示された方法および装置は、他の方式で実現され得ることを理解されたい。例えば、上述した装置の実施例は、単なる例示である。例えば、上記ユニットの区分は、単に論理機能の区分であり、実際に実現する際に別の区分方式がありうる。例えば、複数のユニットまたはコンポーネントは、別のシステムに組み合わせられまたは一体化される。または、一部の特徴は、無視されてもよく、または実行されなくてもよい。また、示されておりまたは議論されている相互間の結合や直接結合や通信接続は、インタフェース、装置またはユニットを介した間接結合や通信接続であり、電気的、機械的、または他の形式が考えられる。
【０２９７】
また、本開示の各実施例における各機能的ユニットは、１つの処理ユニットに一体化されていてもよいし、物理的に別々に設けられていてもよいし、２つ以上が一体化されてもよい。上述した一体化ユニットは、ハードウェアの形態で実現されてもよく、ハードウェアにソフトウェア機能ユニットの形態で実現されてもよい。
【０２９８】
上記のソフトウェア機能ユニットの形態で実現される一体化ユニットは、コンピュータ読み取り可能な記憶媒体に格納されてもよい。上記ソフトウェア機能ユニットは、１つの記憶媒体に格納され、本開示の各実施例に記載の送受信方法の一部のステップをコンピュータ装置（パーソナルコンピュータ、サーバ、又はネットワーク装置であってもよい）に実行させるいくつかの指令を含む。上記記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０２９９】
以上の記載は、本開示の選択可能な実施形態である。なお、当業者は、本開示に記載されている原理を逸脱せずに様々な改良や修飾をすることもできる。これらの改良や修飾も、本開示の保護範囲として見なされるべきである。
【図１】
2019521558.tif 000003
【図２】
2019521558.tif 000004
【図３】
2019521558.tif 000005
【図４】
2019521558.tif 000006
【図５】
2019521558.tif 000007
【図６】
2019521558.tif 000008
【図７】
2019521558.tif 000009
【図８】
2019521558.tif 000010
【手続補正書】
【提出日】平成30年11月27日(2018.11.27)
【手続補正１】
【補正対象書類名】特許請求の範囲
【補正対象項目名】全文
【補正方法】変更
【補正の内容】
【特許請求の範囲】
【請求項１】
ＨＡＲＱ（Ｈｙｂｒｉｄ  ａｕｔｏｍａｔｉｃ  ｒｅｐｅａｔ  ｒｅｑｕｅｓｔ）のフィードバック情報の伝送方法において、
ユーザ端末（ＵＥ）が、搬送波のうちＨＡＲＱのフィードバック情報の伝送に用いられる伝送サブフレームを指示するための指示情報を基地局から受信することと、
前記ＵＥが、ＨＡＲＱのフィードバック情報を生成することと、
前記ＵＥが、前記ＨＡＲＱのフィードバック情報を前記伝送サブフレームで前記基地局に伝送することとを含むＨＡＲＱのフィードバック情報の伝送方法。
【請求項２】
前記指示情報は、
物理アップリンクチャネル伝送をスケジューリングするアップリンクスケジューリングシグナリング又はＨＡＲＱのフィードバック情報の伝送をスケジューリングするシグナリングであり、
前記アップリンクスケジューリングシグナリングは、前記アップリンクスケジューリングシグナリングによってスケジューリングされるサブフレームで前記ＨＡＲＱのフィードバック情報が伝送されるか否かを、ｘビットで指示し、
ｘは、１以上の正整数であり、
前記ＨＡＲＱのフィードバック情報は、
前記アップリンクスケジューリングシグナリングでスケジューリングするサブフレームより３つ前のサブフレーム前の、ＨＡＲＱのフィードバックが行われない全てのダウンリンクサブフレームにおいて前記ＵＥにより生成されるＨＡＲＱのフィードバック情報を含む請求項１に記載の方法。
【請求項３】
前記アップリンクスケジューリングシグナリングは、特定のビットフィールド設定によって、前記アップリンクスケジューリングシグナリングによってスケジューリングされるサブフレームでＨＡＲＱのフィードバック情報のみを伝送することを指示する請求項２に記載の方法。
【請求項４】
前記ＵＥがＨＡＲＱのフィードバック情報を生成することは、
前記ＵＥが、前記ＨＡＲＱのフィードバック情報のコードブックサイズを確定し、前記コードブックサイズに基づいて前記ＨＡＲＱのフィードバック情報を生成することを含み、
前記ＵＥが前記ＨＡＲＱのフィードバック情報のコードブックサイズを確定することは、
前記ＵＥが、ダウンリンクプロセス数、配置搬送波の個数、時間領域のＣ‐ＤＡＩ（Ｃｏｕｎｔ  Ｄｏｗｎｌｉｎｋ  Ａｓｓｉｇｎｍｅｎｔ  Ｉｎｄｅｘ）、Ｔ‐ＤＡＩ（Ｔｏｔａｌ  Ｄｏｗｎｌｉｎｋ  Ａｓｓｉｇｎｍｅｎｔ  Ｉｎｄｅｘ）、所定のパラメータ、基地局から通知されるフィードバックウィンドウサイズ、伝送ブロックの個数、および周波数領域と時間領域のＣ‐ＤＡＩのうちの１つまたは複数を含む目標情報に基づいて、前記ＨＡＲＱのフィードバック情報のコードブックサイズを確定することを含み、
前記ＵＥが目標情報に基づいて前記ＨＡＲＱのフィードバック情報のコードブックサイズを確定することは、
前記ＵＥが、周波数領域と時間領域のＣ‐ＤＡＩ、Ｔ‐ＤＡＩおよび伝送ブロックの個数に基づいて、前記ＨＡＲＱのフィードバック情報のコードブックサイズを確定すること、
または、前記ＵＥが、時間領域のＣ‐ＤＡＩ、Ｔ‐ＤＡＩ、配置搬送波の個数および伝送ブロックの個数に基づいて、前記ＨＡＲＱのフィードバック情報のコードブックサイズを確定すること、
または、前記ＵＥが、ダウンリンクプロセス数、配置搬送波の個数および伝送ブロックの個数に基づいて、前記ＨＡＲＱのフィードバック情報のコードブックサイズを確定すること、
または、前記ＵＥが、所定のパラメータ、配置搬送波の個数および伝送ブロックの個数に基づいて、前記ＨＡＲＱのフィードバック情報のコードブックサイズを確定すること、
または、前記ＵＥが、基地局から通知されるフィードバックウィンドウサイズ、配置搬送波の個数および伝送ブロックの個数に基づいて、前記ＨＡＲＱのフィードバック情報のコードブックサイズを確定することを含み、
前記伝送ブロックの個数は、搬送波に使用される伝送方式および／または前記基地局の配置によって確定される請求項１〜３のいずれか一項に記載の方法。
【請求項５】
前記ＵＥが基地局から指示情報を受信することは、
前記ＵＥが、前記基地局から送信される複数の前記指示情報を１つまたは複数の搬送波上で同一のダウンリンクサブフレームで受信することを含み、
ここで、各指示情報は、異なる搬送波でＨＡＲＱのフィードバック情報の伝送に用いられる伝送サブフレームを指示することに用いられ、
前記ＵＥが前記ＨＡＲＱのフィードバック情報を前記伝送サブフレームで前記基地局に伝送することは、
前記ＵＥが、前記複数の指示情報に指示される複数の搬送波の伝送サブフレームで同一の前記ＨＡＲＱのフィードバック情報を前記基地局に伝送すること、
または、前記ＵＥが、前記複数の指示情報に指示される伝送サブフレームのうちの１つまたは複数のサブフレームである特定伝送サブフレームで前記ＨＡＲＱのフィードバック情報を前記基地局に伝送することを含み、
前記基地局から前記ＵＥに対しアップリンク制御情報搬送波群が設定されている場合、
前記ＨＡＲＱのフィードバック情報は、
前記アップリンク制御情報搬送波群のうちの搬送波のダウンリンクサブフレームに対応するＨＡＲＱのフィードバック情報であり、
前記ＵＥが前記ＨＡＲＱのフィードバック情報を特定伝送サブフレームで前記基地局に伝送することは、
前記ＵＥが、前記基地局により事前設定される搬送波に属する伝送サブフレームを、前記複数の指示情報に指示される伝送サブフレームから選択し、当該伝送サブフレームで前記ＨＡＲＱのフィードバック情報を前記基地局に伝送すること、
または、前記ＵＥが、前記複数の指示情報に指示される伝送サブフレームから番号最小の搬送波の伝送サブフレームを選択し、当該伝送サブフレームで前記ＨＡＲＱのフィードバック情報を前記基地局に伝送すること、
または、前記ＵＥが、前記基地局から送信される動的指示に基づいて、前記複数の指示情報に指示される伝送サブフレームから１つまたは複数の伝送サブフレームを選択し、選択した伝送サブフレームで前記ＨＡＲＱのフィードバック情報を前記基地局に伝送することを含み、
前記動的指示は、ＨＡＲＱのフィードバック情報のトリガーシグナリングが付帯されているアップリンクスケジューリングシグナリングである請求項１〜４のいずれか一項に記載の方法。
【請求項６】
前記ＵＥが前記ＨＡＲＱのフィードバック情報を前記伝送サブフレームで前記基地局に伝送することは、
前記ＵＥが、前記伝送サブフレームに対しＬＢＴ（Ｌｉｓｔｅｎ  Ｂｅｆｏｒｅ  Ｔａｌｋ）検出を行い、前記ＬＢＴ検出が成功すると、前記ＨＡＲＱのフィードバック情報を前記伝送サブフレームで前記基地局に伝送することを含む請求項１〜５のいずれか一項に記載の方法。
【請求項７】
前記ＵＥが前記ＨＡＲＱのフィードバック情報を前記伝送サブフレームで前記基地局に伝送することは、
前記ＵＥが、前記ＨＡＲＱのフィードバック情報のみを前記伝送サブフレームで前記基地局に伝送すること、
または、前記ＵＥが、前記ＨＡＲＱのフィードバック情報とアップリンクデータを前記伝送サブフレームで前記基地局に伝送することを含み、
前記ＵＥが前記ＨＡＲＱのフィードバック情報とアップリンクデータを前記伝送サブフレームで前記基地局に伝送する場合、前記ＨＡＲＱのフィードバック情報は、前記伝送サブフレームにおいてパイロット両側のアップリンクデータ伝送用のシンボルにマッピングされ、
または、前記ＵＥが前記ＨＡＲＱのフィードバック情報とアップリンクデータを前記伝送サブフレームで前記基地局に伝送する場合、前記ＨＡＲＱのフィードバック情報と前記アップリンクデータの多重化伝送が行われ、
または、前記ＵＥが前記ＨＡＲＱのフィードバック情報とアップリンクデータを前記伝送サブフレームで前記基地局に伝送する場合、前記ＨＡＲＱのフィードバック情報の変調シンボルは、前記伝送サブフレームにおいてパイロット両側のｙ個のシンボルにマッピングされ、前記アップリンクデータの変調シンボルは、前記伝送サブフレームのうち、パイロットと前記変調シンボルに占用されるリソース以外のリソースにマッピングされ、
ｙは、１以上の正整数である請求項１〜６のいずれか一項に記載の方法。
【請求項８】
ＨＡＲＱのフィードバック情報の伝送方法において、
基地局が、搬送波のうちＨＡＲＱのフィードバック情報の伝送に用いられる伝送サブフレームを指示するための指示情報をＵＥに送信することと、
前記基地局が、前記ＵＥによって生成されて前記伝送サブフレームで伝送されるＨＡＲＱのフィードバック情報を前記ＵＥから受信することとを含むＨＡＲＱのフィードバック情報の伝送方法。
【請求項９】
前記指示情報は、
物理アップリンクチャネル伝送をスケジューリングするアップリンクスケジューリングシグナリング又はＨＡＲＱのフィードバック情報の伝送をスケジューリングするシグナリングであり、
前記アップリンクスケジューリングシグナリングは、前記アップリンクスケジューリングシグナリングによってスケジューリングされるサブフレームで前記ＨＡＲＱのフィードバック情報が伝送されるか否かを、ｘビットで指示し、
ｘは、１以上の正整数であり、
前記ＨＡＲＱのフィードバック情報は、
前記アップリンクスケジューリングシグナリングでスケジューリングするサブフレームより３つ前のサブフレーム前の、ＨＡＲＱのフィードバックが行われない全てのダウンリンクサブフレームにおいて前記ＵＥにより生成されるＨＡＲＱのフィードバック情報を含む請求項８に記載の方法。
【請求項１０】
前記アップリンクスケジューリングシグナリングは、特定のビットフィールド設定によって、前記アップリンクスケジューリングシグナリングによってスケジューリングされるサブフレームでＨＡＲＱのフィードバック情報のみを伝送することを指示する請求項９に記載の方法。
【請求項１１】
前記ＨＡＲＱのフィードバック情報は、
前記ＵＥが、前記ＵＥによって確定された前記ＨＡＲＱのフィードバック情報のコードブックサイズに基づいて生成した前記ＨＡＲＱのフィードバック情報を含み、
前記コードブックサイズは、
前記ＵＥが目標情報に基づいて確定した前記ＨＡＲＱのフィードバック情報のコードブックサイズであり、
前記目標情報は、
ダウンリンクプロセス数、配置搬送波の個数、時間領域のＣ‐ＤＡＩ、Ｔ‐ＤＡＩ、所定のパラメータ、基地局から通知されるフィードバックウィンドウサイズ、伝送ブロックの個数、および周波数領域と時間領域のＣ‐ＤＡＩのうちの１つまたは複数を含み、
前記コードブックサイズは、
前記ＵＥが周波数領域と時間領域のＣ‐ＤＡＩ、Ｔ‐ＤＡＩおよび伝送ブロックの個数に基づいて確定した前記ＨＡＲＱのフィードバック情報のコードブックサイズ、
または、前記ＵＥが時間領域のＣ‐ＤＡＩ、Ｔ‐ＤＡＩ、配置搬送波の個数および伝送ブロックの個数に基づいて確定した前記ＨＡＲＱのフィードバック情報のコードブックサイズ、
または、前記ＵＥがダウンリンクプロセス数、配置搬送波の個数および伝送ブロックの個数に基づいて確定した前記ＨＡＲＱのフィードバック情報のコードブックサイズ、
または、前記ＵＥが所定のパラメータ、配置搬送波の個数および伝送ブロックの個数に基づいて確定した前記ＨＡＲＱのフィードバック情報のコードブックサイズ、
または、前記ＵＥが基地局から通知されるフィードバックウィンドウサイズ、配置搬送波の個数および伝送ブロックの個数に基づいて確定した前記ＨＡＲＱのフィードバック情報のコードブックサイズを含み、
前記伝送ブロックの個数は、搬送波に使用される伝送方式および／または前記基地局の配置によって確定される請求項８〜１０のいずれか一項に記載の方法。
【請求項１２】
前記基地局がＵＥに指示情報を送信することは、
前記基地局が、複数の前記指示情報を１つまたは複数の搬送波上で同一のダウンリンクサブフレームで前記ＵＥに送信することを含み、
ここで、各指示情報は、異なる搬送波でＨＡＲＱのフィードバック情報の伝送に用いられる伝送サブフレームを指示することに用いられ、
前記基地局が、前記ＵＥから前記伝送サブフレームで伝送されるＨＡＲＱのフィードバック情報を受信することは、
前記基地局が、前記ＵＥから、前記複数の指示情報に指示される複数の搬送波の伝送サブフレームで伝送される同一の前記ＨＡＲＱのフィードバック情報を受信すること、
または、前記基地局が、前記ＵＥから、前記複数の指示情報に指示される伝送サブフレームのうちの１つまたは複数のサブフレームである特定伝送サブフレームで伝送される前記ＨＡＲＱのフィードバック情報を受信することを含み、
前記基地局から前記ＵＥに対しアップリンク制御情報搬送波群が設定されている場合、
前記ＨＡＲＱのフィードバック情報は、
前記アップリンク制御情報搬送波群のうちの搬送波のダウンリンクサブフレームに対応するＨＡＲＱのフィードバック情報であり、
前記基地局が、前記ＵＥから、特定伝送サブフレームで伝送される前記ＨＡＲＱのフィードバック情報を受信することは、
前記基地局が、前記ＵＥから、少なくとも１つの伝送サブフレームで伝送される前記ＨＡＲＱのフィードバック情報を受信することを含み、ここで、当該少なくとも１つの伝送サブフレームは、前記ＵＥが、前記複数の指示情報に指示される伝送サブフレームから選択され、前記基地局により事前設定される搬送波に属する伝送サブフレームであり、
または、前記基地局が、前記ＵＥから、１つの伝送サブフレームで伝送される前記ＨＡＲＱのフィードバック情報を受信することを含み、ここで、当該伝送サブフレームは、前記ＵＥが、前記複数の指示情報に指示される伝送サブフレームから選択した番号最小の搬送波の伝送サブフレームであり、
または、前記基地局が、前記ＵＥから、少なくとも１つの伝送サブフレームで伝送される前記ＨＡＲＱのフィードバック情報を受信することを含み、ここで、当該少なくとも１つの伝送サブフレームは、前記ＵＥが、前記基地局から送信される動的指示に基づいて、前記複数の指示情報に指示される伝送サブフレームから選択した１つまたは複数の伝送サブフレームであり、
前記動的指示は、ＨＡＲＱのフィードバック情報のトリガーシグナリングが付帯されているアップリンクスケジューリングシグナリングである請求項８〜１１のいずれか一項に記載の方法。
【請求項１３】
前記ＵＥから前記ＨＡＲＱのフィードバック情報を前記伝送サブフレームで前記基地局に伝送することは、
前記ＵＥが、前記伝送サブフレームに対しＬＢＴ検出を行い、前記ＬＢＴ検出が成功すると、前記ＨＡＲＱのフィードバック情報を前記伝送サブフレームで前記基地局に伝送することを含む請求項８〜１２のいずれか一項に記載の方法。
【請求項１４】
搬送波のうちＨＡＲＱのフィードバック情報の伝送に用いられる伝送サブフレームを指示するための指示情報を基地局から受信することに用いられる受信モジュールと、
ＨＡＲＱのフィードバック情報を生成することに用いられる生成モジュールと、
前記ＨＡＲＱのフィードバック情報を前記伝送サブフレームで前記基地局に伝送することに用いられる伝送モジュールとを含むＵＥ。
【請求項１５】
搬送波のうちＨＡＲＱのフィードバック情報の伝送に用いられる伝送サブフレームを指示するための指示情報をＵＥに送信することに用いられる送信モジュールと、
前記ＵＥによって生成されて前記伝送サブフレームで伝送されるＨＡＲＱのフィードバック情報を前記ＵＥから受信することに用いられる受信モジュールとを含む基地局。
【国際調査報告】
2019521558.tif 000011
2019521558.tif 000012
2019521558.tif 000013
2019521558.tif 000014